(57)【要約】安全かつ強固に汎用のコンテンツソースから汎用のコンテンツシンクへデジタルコンテンツを配信する無線の二地点間インターフェースを実装するシステム、方法、および装置。システム、方法、装置は、ＨＤＭＩコンテンツをケーブル上で配信するための代用品としての役割を果たすために十分に安全かつ強固な方法で実行する。システム、方法、装置は、デジタル映像インターフェース（ＤＶＩ）コンテンツ、コンポジット映像（ＣＶＳＢ）コンテンツ、Ｓ−映像コンテンツ、ＲＧＢ映像コンテンツ、ＹＵＶ映像コンテンツ、および／またはさまざまな種類の音声コンテンツを含むがそれだけに限られず、ケーブル上で従来配信されている他の種類のコンテンツの配信にも適用可能である。【特許請求の範囲】
【請求項１】
コンテンツソースからコンテンツシンクへメディアコンテンツを転送するためのシステムであって、
第一の変換ロジックと送信機とを備えている第一の無線メディアアダプタであって、該第一の変換ロジックは、有線通信インターフェース上の伝送のために符号化された出力信号をコンテンツソースから受信し、該出力信号を無線通信に適したフォーマットに変換し、該送信機は、該変換された出力信号を無線で送信する、第一の無線メディアアダプタと、
受信機と第二の変換ロジックとを備えている第二の無線メディアアダプタであって、該受信機は、該無線で送信された信号を受信し、該第二の変換ロジックは、該無線で受信された信号を該有線通信インターフェース上の伝送のために符号化された入力信号に変換し、該入力信号を該コンテンツシンクに送信する、第二の無線メディアアダプタと、
を備えている、システム。
【請求項２】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、
ＹＵＶ映像インターフェース、または
音声インターフェース
のうちの一つを含む、請求項１に記載のシステム。
【請求項３】
前記音声インターフェースは、
ＲＣＡ音声インターフェース、
ＸＬＲ音声インターフェース、
５．１サラウンドサウンド音声インターフェース、
６．１サラウンドサウンド音声インターフェース、
７．１サラウンドサウンド音声インターフェース、または
１０．１サラウンドサウンド音声インターフェースのうちの一つを含む、請求項２に記載のシステム。
【請求項４】
前記変換された出力信号は、可逆圧縮されたデータまたは非圧縮データのうちの一つを備えている、請求項１に記載のシステム。
【請求項５】
前記ＴＸ無線メディアアダプタは、第一の送受信機をさらに備え、前記ＲＸ無線メディアアダプタは、第二の送受信機をさらに備え、
前記送信機および前記受信機は、前記コンテンツソースから前記コンテンツシンクへメディアコンテンツを配信するために、第一のラジオ周波数（ＲＦ）チャンネル上で通信し、
該第一の送受信機および該第二の送受信機は、メディアアクセス制御（ＭＡＣ）情報を交換するため、および／またはマルチメディア信号を実行するために、第二のＲＦチャンネル上で通信する、
請求項１に記載のシステム。
【請求項６】
前記第一の送受信機および前記第二の送受信機は、高帯域幅デジタルコンテンツ保護（ＨＤＣＰ）パラメータを、前記第二のＲＦチャンネル上で通信する、
請求項５に記載のシステム。
【請求項７】
前記第一の送受信機および前記第二の送受信機は、ディスプレイデータチャンネル（ＤＤＣ）情報を、前記第二のＲＦチャンネル上で通信する、
請求項５に記載のシステム。
【請求項８】
前記第一の送受信機および前記第二の送受信機は、コンシューマーエレクトロニクスコントロール（ＣＥＣ）チャンネル情報を、前記第二のＲＦチャンネル上で通信する、
請求項５に記載のシステム。
【請求項９】
前記第一の送受信機および前記第二の送受信機は、受信される信号品質に関連する情報を通信する、
請求項５に記載のシステム。
【請求項１０】
前記第一の無線メディアアダプタは、受信される信号品質に関連する前記情報に基づいて前記送信機の動作パラメータを調整する、請求項９に記載のシステム。
【請求項１１】
前記第一の変換ロジックは、前記出力信号の低密度パリティ検査（ＬＤＰＣ）符号化を実行し、前記第二の変換ロジックは、前記無線で受信された信号のＬＤＰＣ復号化を実行する、請求項１に記載のシステム。
【請求項１２】
前記第一の変換ロジックは、前記出力信号の遷移時間最短差動信号伝送方式（ＴＭＤＳ）復号化を実行し、前記第二の変換ロジックは、前記無線で受信された信号のＴＭＤＳの符号化を実行する、請求項１に記載のシステム。
【請求項１３】
前記第一の変換ロジックは、前記出力信号の集積回路間（Ｉ２Ｃ）復号化を実行し、前記第二の変換ロジックは、前記無線で受信された信号のＩ２Ｃの符号化を実行する、請求項１に記載のシステム。
【請求項１４】
前記第一の変換ロジックは、前記出力信号のコンシューマーエレクトロニクスコントロール（ＣＥＣ）復号化を実行し、前記第二の変換ロジックは、前記無線で受信された信号のＣＥＣの符号化を実行する、請求項１に記載のシステム。
【請求項１５】
前記第一の変換ロジックは、前記コンテンツソースに関連する第一の基準クロックおよびピクセルクロックに基づいて制御情報を生成し、該送信機は該制御情報を無線で伝送し、ならびに前記受信機は、該制御情報を無線で受信し、前記第二の変換ロジックは、該無線で受信された制御情報および第二の基準クロックに基づいて該ピクセルクロックを再生する、請求項１に記載のシステム
【請求項１６】
コンテンツソースからコンテンツシンクへメディアコンテンツを転送する方法であって、
有線通信インターフェース上の伝送のために符号化された出力信号を、該コンテンツソースから受信するステップと、
該出力信号を、無線通信に適したフォーマットに変換するステップと、
該変換された出力信号を無線で送信および受信するステップと、
該無線で受信された信号を、該有線通信インターフェース上の伝送のために符号化された入力信号に変換するステップと、
該入力信号を該コンテンツシンクに伝送するステップと、
を含む方法。
【請求項１７】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、
ＹＵＶ映像インターフェース、または
音声インターフェース
のうちの一つを含む、請求項１６に記載の方法。
【請求項１８】
前記音声インターフェースは、
ＲＣＡ音声インターフェース、
ＸＬＲ音声インターフェース、
５．１サラウンドサウンド音声インターフェース、
６．１サラウンドサウンド音声インターフェース、
７．１サラウンドサウンド音声インターフェース、または
１０．１サラウンドサウンド音声インターフェースのうちの一つを含む、請求項１７に記載の方法。
【請求項１９】
前記出力信号を、無線通信に適したフォーマットに変換するステップは、前記出力信号の可逆圧縮を実行するステップを含む、請求項１６に記載の方法。
【請求項２０】
前記変換された出力信号を無線で送信および受信するステップは、前記コンテンツソースから前記コンテンツシンクへメディアコンテンツを配信するために、前記変換された出力信号を第一のラジオ周波数（ＲＦ）チャンネル上で無線で送信および受信するステップを含み、前記方法は、
メディアアクセス制御（ＭＡＣ）情報を交換するため、および／またはマルチメディア信号を実行するために、第二のＲＦチャンネル上で信号を無線で送信および受信するステップをさらに含む、
請求項１６に記載の方法。
【請求項２１】
前記第二のＲＦチャンネル上で信号を無線で送信および受信するステップは、高帯域幅デジタルコンテンツ保護（ＨＤＣＰ）パラメータを、前記第二のＲＦチャンネル上で通信するステップを含む、請求項２０に記載の方法。
【請求項２２】
前記第二のＲＦチャンネル上で信号を無線で送信および受信するステップは、ディスプレイデータチャンネル（ＤＤＣ）情報を、前記第二のＲＦチャンネル上で通信するステップを含む、請求項２０に記載の方法。
【請求項２３】
前記第二のＲＦチャンネル上で信号を無線で送信および受信するステップは、コンシューマーエレクトロニクスコントロール（ＣＥＣ）チャンネル情報を、前記第二のＲＦチャンネル上で通信するステップを含む、請求項２０に記載の方法。
【請求項２４】
前記第二のＲＦチャンネル上で信号を無線で送信および受信するステップは、受信される信号品質に関する情報を通信するステップを含む、請求項２０に記載の方法。
【請求項２５】
受信される信号品質に関する前記情報に基づいて、前記変換された出力信号の無線伝送に関する動作パラメータを調整するステップをさらに含む、請求項２４に記載の方法。
【請求項２６】
前記出力信号を、無線通信に適したフォーマットに変換するステップは、前記出力信号の低密度パリティ検査（ＬＤＰＣ）符号化を実行するステップを含み、前記無線で受信された信号を、前記有線通信インターフェース上の伝送のために符号化された入力信号に変換するステップは、前記無線で受信された信号のＬＤＰＣ復号化を実行するステップを含む、請求項１６に記載の方法。
【請求項２７】
前記出力信号を、無線通信に適したフォーマットに変換するステップは、前記出力信号の遷移時間最短差動信号伝送方式（ＴＭＤＳ）復号化を実行するステップを含み、前記無線で受信された信号を、前記有線通信インターフェース上の伝送のために符号化された入力信号に変換するステップは、前記無線で受信された信号のＴＭＤＳ符号化を実行するステップを含む、請求項１６に記載の方法。
【請求項２８】
前記出力信号を、無線通信に適したフォーマットに変換するステップは、前記出力信号の集積回路間（Ｉ２Ｃ）復号化を実行するステップを含み、前記無線で受信された信号を、前記有線通信インターフェース上の伝送のために符号化された入力信号に変換するステップは、前記無線で受信された信号のＩ２Ｃ符号化を実行するステップを含む、請求項１６に記載の方法。
【請求項２９】
前記出力信号を、無線通信に適したフォーマットに変換するステップは、前記出力信号のコンシューマーエレクトロニクスコントロール（ＣＥＣ）復号化を実行するステップを含み、前記無線で受信された信号を、前記有線通信インターフェース上の伝送のために符号化された入力信号に変換するステップは、前記無線で受信された信号のＣＥＣ符号化を実行するステップを含む、請求項１６に記載の方法。
【請求項３０】
前記コンテンツソースに関連する第一の基準クロックとピクセルクロックに基づいて、制御情報を生成するステップと、
該制御情報を無線で送信および受信するステップと、
該無線で受信された制御情報および第二の基準クロックに基づいて、該ピクセルクロックを再生するステップと、
をさらに含む請求項１６に記載の方法。
【請求項３１】
（ａ）コンテンツソースであって、該コンテンツソースは、
（ｉ）有線通信インターフェース上の伝送のためにフォーマットされた出力信号を生成する音声／ビジュアル（Ａ／Ｖ）ソースと、
（ｉｉ）該出力信号を受信し、該出力信号を無線通信に適したフォーマットに変換し、該変換された出力信号を無線で送信する第一の無線メディアアダプタと
を備えているコンテンツソースと、
（ｂ）コンテンツシンクであって、該コンテンツシンクは、
（ｉ）該無線で送信された信号を無線で受信し、該無線で受信された信号を該有線通信インターフェース上の伝送のためにフォーマットされた入力信号に変換する第二の無線メディアアダプタと、
（ｉｉ）該入力信号を受信し、該入力信号に応答してユーザーに対するＡ／Ｖ提示を生成するＡ／Ｖ提示システムと
を備えているコンテンツシンクと
を備えている、システム。
【請求項３２】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、
ＹＵＶ映像インターフェース、または
音声インターフェース
のうちの一つを含む、請求項３１に記載のシステム。
【請求項３３】
前記音声インターフェースは、
ＲＣＡ音声インターフェース、
ＸＬＲ音声インターフェース、
５．１サラウンドサウンド音声インターフェース、
６．１サラウンドサウンド音声インターフェース、
７．１サラウンドサウンド音声インターフェース、または
１０．１サラウンドサウンド音声インターフェースのうちの一つを含む、請求項３２に記載のシステム。
【発明の詳細な説明】
【技術分野】
【０００１】
本発明は、概して、無線通信システムを対象とする。具体的には、本発明は、汎用のコンテンツソースから汎用のコンテンツシンクへのアナログおよび／またはデジタル情報の無線通信のためのシステム、方法、および装置に関する。
【背景技術】
【０００２】
無線インターフェースにより、家庭におけるネットワーク化された消費家電製品、パーソナルコンピュータ（ＰＣ）、およびモバイル機器を中心に、写真、音楽、映像、データ、およびその他の形式のメディアコンテンツの転送に関して相当な価値が提示されている。かさばって目障りなケーブルを排除できるだけでなく、設置が簡単で安価であることが見込まれることから、その業界で旋風を巻き起こした。これらの無線技術が、一般的なコンテンツ転送について十分なサービスエリア、スループット、および品質水準を有するので、技術ベンダは、これを機会に、新興の家庭内コンテンツ転送アプリケーションに関して、Ｂｌｕｅｔｏｏｔｈ（登録商標）、８０２．１１  ＷｉＦｉ（登録商標）、および８０２．１５．３ａ超広帯域無線（ＵＷＢ）を急いで開発し市場に出した。
【０００３】
メディアコンテンツ転送は、家庭用無線用途だけではないが、消費者にとって最も魅力的なものですらないかもしれない。業界アナリストの多くは、高性能のデジタルケーブルの代用品が、家庭向けの無線技術のチャンスとして、むしろより有益になり得ると考えている。
【０００４】
例えば、今日市場に導入されている高精細度プラズマ／ＬＣＤディスプレイ、デジタルプロジェクター、およびＤＶＤプレーヤーの多くは、高精細度メディアインターフェース（ＨＤＭＩ）コネクタを備えて、ソースデバイス（例えば、デジタルセットトップボックス、ＤＶＤプレーヤーなど）からディスプレイ装置にデジタルケーブルを介してデジタルコンテンツの高性能な転送を容易にしている。ＨＤＭＩインターフェース規格は、１０−９のビット誤り率（ＢＥＲ）で１．５Ｇｂｐｓのデータ転送速度を必要とする７２０ｐおよび１０８０ｉの高精細度テレビジョン（ＨＤＴＶ）をはじめとする全ての一般的な高精細度フォーマットに対応する。ＨＤＭＩは、デジタルコンテンツがソースとディスプレイの間を転送される際の安全性を確保する、米国映画協会（ＭＰＡＡ）承認の高帯域デジタルコンテンツ保護（ＨＤＣＰ）も内蔵している。包括的に設計されたＨＤＭＩ規格は、業界から幅広く支持を獲得し、ＨＤＭＩを備えた装置の売上げは、２００５年の５０００万台から２００８年の２億台以上に成長すると見込まれている。
【０００５】
技術ベンダは、デジタルケーブルの代用品の解決候補として８０２．１１およびＵＷＢを位置付けようと試みている。残念ながら、８０２．１１およびＵＷＢのサービスエリア、スループット、および品質水準は、要求の多い高性能デジタルケーブル市場の代用品、具体的には７２０ｐおよび１０８０ｉのＨＤＴＶに関連しているものとしての役割を果たすには全く不十分である。例えば、ＨＤＭＩケーブルの無線代用品には、８０２．１１およびＵＷＢが設計されて提供されたものよりも７〜１０倍優れたスループットおよび１０００倍優れた品質を必要とする。
【０００６】
例示として、一般的なコンテンツ転送の技術は、共有多重アクセス通信、１％ＢＥＲ、レイテンシ受理、圧縮データの転送、再伝送の使用、および２００Ｍｂｐｓまでのデータ転送速度の対応という特徴を共有する。一方、高性能デジタルケーブル上のデータ転送は、専用二地点間通信、１０−９ＢＥＲ、低レイテンシ、圧縮データの転送、ベストエフォート型通信（つまり、再送無し）、および１Ｇｂｐｓを越えるデータ転送速度の対応によって特徴付けられる。したがって、提案されたＵＷＢ解決法を伴う８０２．１１およびＢｌｕｅｔｏｏｔｈなどの既存の無線技術は、家庭用高性能デジタルケーブルの代用品に必要なスループットおよび品質を提供できない。
【０００７】
現在、８０２．１５．３ａＵＷＢは、一般的なコンテンツ転送および無線ＨＤＭＩケーブルの代用品に対する解決法として売り込まれている。残念ながら、一般的なコンテンツ転送用途に重点を置くあまり、８０２．１５．３ａＵＷＢの性能は、ＨＤＭＩケーブルの代用品として必要なものが劇的に欠けている。例えば、最大の８０２．１５．３ａのデータ転送速度は、大容量のデータ転送レイテンシの可能性がある場合、およそ２００Ｍｂｐｓに制限される。８０２．１５．３ａは、ディスプレイからソースのバックチャンネルのデータ転送速度の要件が、ソースからディスプレイの順方向チャンネルに比べて少ない、ＨＤＭＩに関連する本来のデータ転送速度の非対称性を発揮できない汎用のメディアアクセス制御（ＭＡＣ）を備え、その結果として全体的なスループットが損なわれる。さらなる問題として、１％のＢＥＲ（８％のパケット誤り率（ＰＥＲ））の８０２，１５．３ａ受理が挙げられ、無線ケーブルの代用製品を消費者が受け入れるかどうかに影響を与えるほどの破滅的な品質を有する可能性がある。
【０００８】
したがって、８０２．１５．３ａは、一般的なコンテンツ転送用途の必要性に確実に対処する一方、無線ＨＤＭＩケーブルの代用品に必要なデータ転送速度や誤り性能を大幅に欠いている。８０２．１５．３ａのデータ転送速度の制限を克服するために、ＭＰＥＧ−２を使用してデジタルコンテンツを圧縮することに注目する者が多いが、ＭＰＥＧ−２エンコーダをソースデバイスに加える費用を考えると実用的ではない。費用制約を克服したとしても、ＭＰＥＧ−２でエンコードされた映像の転送は、サービスの質（ＱｏＳ）という観点から考えると最も要求のきつい用途の一つである。ＭＰＥＧ−２は、８０２．１５．３ａのＭＡＣ層によってもたらされるものなどの遅延に関する大幅な変更に対応不可能であり、ＭＰＥＧ−２の質は、８０２．１５．３ａのＢＥＲ目標である１％を大幅に下回る１０−５に近づく際に著しく悪化する。
【発明の開示】
【発明が解決しようとする課題】
【０００９】
そこで必要になるのは、汎用のコンテンツソースから汎用のコンテンツシンクへのコンテンツの無線配信のためのシステム、方法、および装置である。提案される解決法は、ＨＤＭＩコンテンツをケーブル上で配信するための代用品としての役割を果たすために十分に安全かつ強固な方法で実行することである。解決法は、デジタル映像インターフェース（ＤＶＩ）コンテンツ、コンポジット映像（ＣＶＳＢ）コンテンツ、Ｓ−映像コンテンツ、ＲＧＢ映像コンテンツ、ＹＵＶ映像コンテンツ、および／またはさまざまな種類の音声コンテンツを含むがそれだけに限られない、ケーブル上で従来配信されている他の種類のコンテンツの配信にも適用可能であるべきである。
【課題を解決するための手段】
【００１０】
本発明は、安全かつ強固に汎用のコンテンツソースから汎用のコンテンツシンクへコンテンツを配信する無線の二地点間インターフェースを実行するためのシステム、方法、および装置を対象とする。本発明の実施形態による無線インターフェースは、ＨＤＭＩコンテンツをケーブル上で配信するための代用品としての役割を果たすために十分に安全かつ強固な方法で実行する。解決法は、ＤＶＩ、ＣＶＳＢ、Ｓ−映像、ＲＧＢ映像、ＹＵＶ映像、および／またはＲＣＡ音声、ＸＬＲ音声、および５．１、６．１、７．１、および１０．１サラウンドサウンド音声などのさまざまな種類の音声コンテンツを含むがそれだけに限られない、ケーブル上で従来配信されている他の種類のコンテンツの配信にも適用可能である。
【００１１】
本発明のさらなる特徴および利点、ならびに本発明のさまざまな実施形態の構造および動作は、添付の図面を参照して以下に詳細に説明される。本発明は、以下に説明される特定の実施形態に限られないことに留意されたい。そのような実施形態は、例示するためのみに本明細書に提示される。追加の実施形態は、本明細書に含まれる教示に基づき、当業者に明らかであろう。
【発明を実施するための最良の形態】
【００１２】
本明細書に組み込まれ、本明細書の一部である付随の図面は、その説明とともに本発明を示し、さらに、本発明の原理を説明して当業者が本発明を利用可能にする役割を果たす。
【００１３】
本発明の特徴および利点は、図面と併用して以下に記載される詳細な説明によりさらに明白になり、図面上の同様の参照文字は、全体を通して類似の要素を示す。図面において、類似の参照数字は、通常、同一で、機能的に類似、および／または構造的に類似の要素を示す。要素が最初に記載される図は、対応する参照番号において最左桁によって表示される。
【００１４】
高品質かつ帯域幅集約型の用途の必要性を満たさない８０２．１５．３ａに基づく汎用の解決法を利用せず、本発明の実施形態は、その用途に合わせて無線の解決法を用意する試みを提示する。本明細書にさらに詳しく説明されるように、本発明の実施形態に基づき設計される二地点間インターフェースの例は、ＨＤＭＩケーブルの代用のためのスループットおよび品質要件に合わせて、無線物理（ＰＨＹ）層およびメディアアクセス制御（ＭＡＣ）層を用意する。具体的には、本発明の実施形態は、１０−９のＢＥＲで特定されるＨＤＭＩケーブルの代用を容易にする。このようなインターフェースは、ディスプレイに対し最大１．５Ｇｂｐｓリンクを必要とするが、数ｋｂｐｓのバックチャンネルしか必要としない。
本明細書で説明されるように、本発明の実施形態に係る無線インターフェースも、ＤＶＩ、ＣＶＳＢ、Ｓ−映像、ＲＧＢ映像、ＹＵＶ映像、および／またはＲＣＡ音声、ＸＬＲ音声、および５．１、６．１、７．１、および１０．１サラウンドサウンド音声などのさまざまな種類の音声コンテンツを含むがそれだけに限られない、ケーブル上での他の種類のコンテンツの配信の代用として使用可能である。
【００１５】
Ａ．本発明の実施形態に係る、コンテンツの無線伝送のためのシステムに関する概要
本発明は、安全かつ強固に汎用コンテンツソースから汎用コンテンツシンクへ、デジタルおよび／またはアナログのコンテンツを配信する無線インターフェースを実行するためのシステム、方法、および装置を対象とする。本明細書でより詳しく説明されるように、本発明の実施形態は、一つ以上の有線接続上の伝送のためにコンテンツソースで符号化される信号を受理し、その信号を無線の伝送のために変調される無線信号に変換する。その結果生成された無線信号は、コンテンツシンクにおいて受信されて、有線接続上の所定の伝送に求められるフォーマットで符号化された信号に変換される。
【００１６】
本発明の実施形態に係る汎用システム１００が図１に示される。図１に示されるように、システム１００はコンテンツソース１０２およびコンテンツシンク１０４を備える。コンテンツソース１０２は、コンテンツシンクに配信するために音声および／またはビジュアルコンテンツを生成する、いかなる装置またはシステムも備えてもよい。コンテンツソース１０２は、セットトップボックス、デジタル多用途ディスク（ＤＶＤ）プレーヤー、データＶＨＳ（ＤＶＳ）プレーヤー、または音声／映像（Ａ／Ｖ）受信機を備えてもよいが、これらの例は限定することを目的としていない。コンテンツシンク１０４は、コンテンツソースから音声および／またはビジュアルコンテンツを受信し、それをユーザーに提示するように動作するいかなる装置またはシステムも備えてもよい。例えば、コンテンツシンク１０４は、デジタルテレビ（ＤＴＶ）、プラズマディスプレイ装置、液晶ディスプレイテレビ（ＬＣＤ  ＴＶ）、またはプロジェクタを備えてもよいが、これらの例は限定することを目的としていない。
【００１７】
図１にさらに示されるように、コンテンツソース１０２は、Ａ／Ｖソース１０６および無線送信機１０８を備え、一方、コンテンツシンク１０４は、無線受信機１１０、有線受信機１１２、およびＡ／Ｖ提示システム１１４を備える。コンテンツソース１０２内において、Ａ／Ｖソース１０６は、Ａ／Ｖ信号を生成し、それらを有線インターフェース１１６を介して、一つ以上の有線接続上の伝送のために符号化されたフォーマットで出力する。無線送信機１０８は、有線インターフェース１１６を介して出力された信号を受信し、それらを無線で伝送するために変調される無線信号に変換する。コンテンツシンク１０４内において、無線受信機１１０は、無線信号を受信し、それらを有線接続の一定の伝送に求められるフォーマットに符号化される信号に変換する。変換された信号は、有線インターフェース１１８を介して有線受信機１１２に受信される。有線受信機１１２は、受信信号を処理し、それらを適切なフォーマットでユーザーに提示するためＡ／Ｖ提示システム１１４に出力する。
【００１８】
上述のように、有線インターフェース１１６から出力され、有線インターフェース１１８に入力された信号は、有線媒体上で伝送するためのフォーマットで符号化される。本発明の例示的実施形態において、これらのインターフェースは、高精細度メディアインターフェース（ＨＤＭＩ）、デジタル映像インターフェース（ＤＶＩ）、コンポジット映像（ＣＶＳＢ）インターフェース、Ｓ−映像インターフェース、ＲＧＢ映像インターフェース、ＹＵＶ映像インターフェース、および／またはＲＣＡ音声、ＸＬＲ音声、ならびに５．１、６．１、７．１、および１０．１サラウンドサウンド音声だけに限定されないさまざまな音声フォーマットのうちの有線のデータ転送規格の一つ以上に適合してもよい。実施形態において、有線インターフェース１１６および有線インターフェース１１８に使用される有線フォーマットは、同一または類似しているが、本発明はそれを限定しない。
【００１９】
有線インターフェース１１６と１１８の間に無線リンクを提供することによって、本発明の実施形態は、高価でかさばる接続を使用しない方法で、ユーザーがコンテンツソース１０２とコンテンツシンク１０４とを接続できるようにする。ケーブルの代用を容易にすることで、本発明の実施形態は、一つ以上のコンテンツソースおよびシンクを備えるシステムの設定プロセスを大幅に簡素化にもする。さらに、無線送信機１０８は、標準の有線インターフェースから信号を受信するように構成され、無線受信機１１０は、標準の有線インターフェースに信号を出力するように構成されているので、これらの要素は、有線接続の動作のために設計される既存のシステムに容易に統合される。
【００２０】
当業者に容易に理解されるように、無線送信機１０８は、コンテンツソース１０２の内部要素として示されるが、コンテンツソース１０２に関連する外部の追加要素としても実装されることができる。前者の場合、有線インターフェース１１６は、コンテンツソース１０２の内部インターフェースを備えるが、後者の場合、有線インターフェース１１６は、無線送信機１０８が装着されるコンテンツソース１０２に外部インターフェースを提供する。同様に、無線受信機１１０は、コンテンツシンク１０４の内部要素として、あるいはコンテンツシンク１０４に関連する外部の追加要素として実装されることができる。前者の場合、有線インターフェース１１８は、コンテンツシンク１０４の内部インターフェースを備えるが、後者の場合、有線インターフェース１１８は、無線受信機１１０が装着されるコンテンツシンク１０４に外部インターフェースを提供する。
【００２１】
上述のように、本発明の例示的な実施形態は、コンテンツソースとシンクの間のＨＤＭＩケーブルに代用するために使用されることができる。これは、図２のシステム２００によって示される。図２に示されるように、システム２００は、コンテンツソース２０２およびコンテンツシンク２０４を備える。コンテンツソース２０２は、ＨＤＭＩ出力を有するＡ／Ｖソース２０６および無線ＨＤＭＩ送信機２０８を備え、一方、コンテンツシンク２０４は、無線ＨＤＭＩ受信機２１０、ＨＤＭＩ受信機２１２、およびＡ／Ｖ提示システム２１４を備える。
【００２２】
コンテンツソース２０２内において、Ａ／Ｖソース２０６は、Ａ／Ｖ信号を生成し、それらをＨＤＭＩインターフェース２１６を介してＨＤＭＩフォーマットで出力する。無線ＨＤＭＩ送信機２０８は、Ａ／Ｖソース２０６から出力された信号を受信し、それらを無線で送信するために変調される無線信号に変換する。コンテンツシンク２０４内において、無線ＨＤＭＩ受信機２１０は、無線信号を受信し、それらを標準ＨＤＭＩ信号に変換する。変換された信号は、ＨＤＭＩインターフェース２１８を介してＨＤＭＩ受信機２１２に受信される。ＨＤＭＩ受信機２１２は、受信信号を処理し、それらを適切なフォーマットでユーザーに提示するために提示システム２１４に出力する。例えば、図２に示されるように、ＨＤＭＩ受信機２１２は、映像信号（Ｒ、Ｇ、Ｂ）および音声信号（Ｌ、Ｒ）をＡ／Ｖ提示システム２１４に出力する。
【００２３】
さらなる実例として、図３は、高価でかさばるＨＤＭＩケーブル３０６を使用して、ＨＤＭＩ信号がコンテンツソース３０２とコンテンツシンク３０４の間で伝達される、従来技術のシステム３００を示す。コンテンツソース３０２は、ＭＰＥＧ−２復号器チップ３０８およびＨＤＭＩ送信機チップ３１０を備える。ＭＰＥＧ−２復号器チップ３０８は、２４ビットＲＧＢまたはＢＴ．６５６／６０１に符号化される映像信号、ならびにタイミングおよび音声信号を生成する。ＨＤＭＩ送信機チップ３１０は、符号化された映像信号のＨＤＣＰ暗号化の実行をはじめとする、復号器チップ３０８からの信号の処理を行い、ＨＤＭＩケーブル３０６を介して送信するために、ＨＤＭＩ出力信号を生成する。コンテンツシンク３０４は、ＨＤＭＩケーブル３０６を介して送信された信号（この時点でＨＤＭＩ入力と表示される）を受信するＨＤＭＩ受信機チップ３１２を備え、それを処理して２４ビットのＲＧＢまたはＢＴ．６５６／６０１に符号化される映像信号、ならびにタイミングおよびオーディオ信号に戻す。
【００２４】
一方、図４は、ＨＤＭＩ信号の無線伝送を提供する、本発明の実施形態に係るシステムを示す。図４に示されるように、システム４００は、コンテンツソース４０２およびコンテンツシンク４０４を備える。図３のコンテンツソース３０２と同様に、コンテンツソース４０２は、ＭＰＥＧ−２復号器チップ４０８、およびＨＤＭＩ出力信号を生成するように動作するＨＤＭＩ送信機チップ４１０を備える。しかしながら、この信号は、無線伝送のために信号４０６（Ｗ−ＨＤＭＩ出力で示される）に変換する無線送信機４１４によって受信され、電波でそれを無線伝送する。コンテンツシンク４０４内の無線受信機４１６は、無線ＨＤＭＩ信号（この時点でＷ−ＨＤＭＩ入力と表示される）を受信し、所定の有線伝送にＨＤＭＩ受信機チップ４１２で求められるフォーマットに受信信号を変換する。ＨＤＭＩ受信機チップ４１２は、ＨＤＭＩ入力を処理して、図３のＨＤＭＩ受信機チップ３１２と本質的に同じ方法で２４ビットＲＧＢまたはＢＴ．６５６／６０１に符号化された映像信号、ならびにタイミングおよび音声信号に戻す。
【００２５】
本発明は、ＨＤＭＩ以外の有線のフォーマットに基づいてフォーマットされる信号の無線伝送にも同様に適用される。例えば、本発明は、コンテンツソースとコンテンツシンクの間の、ＤＶＩおよびアナログの音声信号を無線で伝送するために適用されることができる。例示として、図５は、ＤＶＩケーブル５０６および２〜６本の音声ケーブル５０８をそれぞれ使用して、ＤＶＩ信号およびアナログ音声信号が、コンテンツソース５０２とコンテンツシンク５０４の間で伝達される従来技術のシステム５００を示す。
【００２６】
図５に示されるように、コンテンツソース５０２は、ＭＰＥＧ−２復号器チップ５１０およびＤＶＩ送信機チップ５１２を備える。ＭＰＥＧ−２復号器チップ５１０は、２４ビットＲＧＢまたはＢＴ．６５６／６０１に符号化された映像信号、標準のＤＶＩのＨＳＹＮＣ、ＶＳＹＮＣ、ＣＬＫ、およびＤＥ信号、ならびにアナログ音声出力で表示されるアナログ音声出力を生成する。ＤＶＩ送信機チップ５１２は、符号化された映像信号（映像信号のＨＤＣＰ暗号化実施を含む）、およびＨＳＹＮＣ、ＶＳＹＮＣ、ＣＬＫ、およびＤＥ信号を処理して、ＤＶＩケーブル５０６を介して送信するためにＤＶＩ出力信号を生成する。アナログ音声出力は、アナログケーブル５０８を介して送信される。コンテンツシンク５０４は、この時点でＤＶＩ入力と表示される、ＤＶＩ出力信号をＤＶＩケーブル５０６を介して受信し、それを処理して２４ビットＲＧＢまたはＢＴ．６５６／６０１に符号化された映像信号、ならびにＨＳＹＮＣ、ＶＳＹＮＣ、ＣＬＫ、およびＤＥ信号に戻す受信機チップ５１４を備える。この時点でアナログ音声入力と表示される送信されたアナログ音声出力信号は、音声ケーブル５０８上でコンテンツシンク５０４によって受信される。
【００２７】
一方、図６は、ＤＶＩおよびアナログ音声信号の無線伝送のために提供する、本発明の実施形態に係るシステム６００を示す。図６に示されるように、システム６００は、コンテンツソース６０２およびコンテンツシンク６０４を備える。図５のコンテンツソース５０２と同様に、コンテンツソース６０２は、ＤＶＩ送信機チップ６１２とともに動作してＤＶＩ出力信号を生成し、またアナログ音声出力信号を生成するようにも動作する、ＭＰＥＧ−２復号器チップ６１０を備える。しかしながら、これらの信号は、無線送信機６１４によって受信され、それらを無線伝送のために信号６０６（Ｗ−ＤＶＩ出力で表示される）に変換して無線でそれを無線送信する。コンテンツシンク６０４内の無線受信機６１６は、無線ＤＶＩ信号（この時点でＷ−ＤＶＩ入力と表示される）を受信して、その受信信号を、無線受信機チップ６１４の所定の有線伝送で求められるフォーマットを有するＤＶＩ入力で表示される信号に変換するだけでなく、アナログオーディオ入力と表示される、アナログ音声信号に戻すように変換する。ＤＶＩ受信機チップ６１４は、図５のＤＶＩ受信機チップ５１４と同様の方法で、ＤＶＩ入力を処理して、２４ビットＲＧＢまたはＢＴ．６５６／６０１に符号化された映像信号、ならびにＨＳＹＮＣ、ＶＳＹＮＣ、ＣＬＫ、およびＤＥ信号に戻す。
【００２８】
本発明は、前述の例示的な実施形態に限定されず、従来から有線媒体上でソースからシンクに転送されている他の種類のコンテンツの伝送を含むことに留意したい。さらに、本明細書にさらに詳しく説明されるように、本発明の実施形態は、多数のコンテンツソースと多数のコンテンツシンクの間の無線通信を可能にするために、有利に実装されることが可能である。
【００２９】
例えば、本明細書により詳しく説明されるように、本発明は、Ｎ個のメディア送信機であって、少なくとも一つのコンテンツ／メディアソースおよび送信（ＴＸ）無線メディアアダプタとを備えるメディア送信機と、１つのメディア受信機であって、少なくとも一つのコンテンツ／メディアシンクおよび受信（ＲＸ）無線メディアアダプタを備えるメディア受信機から構成されるシステムを広範囲に含む。メディア送信機は、映像、音声、および制御情報、ならびにメディア送信機およびメディア受信機の交換信号品質情報、能力情報、安全性情報、およびその他の制御情報を別々の無線チャンネルを使用して送信するために、一つのラジオチャンネル上でメディア受信機と通信する。
【００３０】
本発明は、また、１つの送信機およびＮ個のメディア受信機から構成されるシステムを広範囲に含み、メディア送信機は、映像、音声、および制御情報を送信する目的でラジオチャンネル上でメディア受信機と通信し、メディア送信機およびメディア受信機は、信号品質情報、能力情報、安全性情報、およびその他の制御情報を、別々のラジオチャンネルを使用して伝達する。本発明は、Ｎ個のメディア受信機が、情報を伝送して応答を待つことによってバックチャンネルを共有する上記のようなシステムも含む。
【００３１】
Ｂ．本発明の実施形態に係る、非圧縮または可逆圧縮されるコンテンツの伝送
本発明の実施形態に係る、映像またはサラウンドサウンドなどの解凍または可逆圧縮された高精細度コンテンツは、一つ以上の高精細度コンテンツソースおよび一つ以上の高精細度コンテンツシンクとの間を無線で伝送される。したがって、例えば、図１のシステム１００を引き続き参照すると、コンテンツソース１０２は、解凍または可逆圧縮された高精細度コンテンツをコンテンツシンク１０４に無線で伝送するよう本発明の実施形態に従って構成されてもよい。
【００３２】
「パッキング」としても既知である圧縮は、大きいファイルまたはファイルの集合から小さいファイルを形成することをいう。圧縮は、そのデータに関する標準の保存フォーマットよりもスペースをとらないフォーマットでデータを保存することとしても定義されることができる。「可逆圧縮」は、データが技術的な点で欠落しない圧縮処理をいう。ゆえに圧縮処理は可逆的である。一方、「不可逆圧縮」は、いくつかのデータが欠落する圧縮である。この処理は不可逆的である。
【００３３】
一般的な可逆圧縮技術の一つに、「ランレンクス符号化（ｒｕｎ  ｌｅｎｇｔｈ  ｅｎｃｏｄｉｎｇ）」が挙げられ、長い一連の同一データ値が、「一連の１」または「一連のゼロ」に対する既定の符号（その連なりの数が続く）を伝送することによって圧縮される。別の可逆スキームは、モールス信号に類似し、出現頻度の高い文字が最も短い符号を有する。ハフマンまたはエントロピー符号化は、一定のデータ値が発生する確立を計算し、高確立のものに短い符号を割り当て、低出現のものにはより長い符号を割り当てる。可逆圧縮を使用するプログラムの通常の例として、カルフォルニア州のワトソンビルのＡｌｌｕｍｅ  Ｓｙｓｔｅｍｓ，Ｉｎｃ．に開発および販売されるマッキントッシュのコンピュータ用のＳｔｕｆｆｉｔＴＭプログラムと、コネチカット州のマンスフィールドのＷｉｎＺｉｐ  Ｃｏｍｐｕｔｉｎｇ，Ｉｎｃ．に開発および販売されるウィンドウズ（登録商標）ベースのコンピュータのためのＷｉｎＺｉｐ（登録商標）プログラムが挙げられる。
【００３４】
非可逆映像圧縮システムは、必要な場合または実行可能な場合に可逆技術を使用するが、選択されたデータを破棄することによっても実質的な節約を引き出す。これを達成するために、画像は、二つのグループのデータに処理または「変換」される。一つのグループは必須情報と考えられるものを含み、他方のグループは必須でない情報と考えられるものを含む。必須情報のグループのみが保存および伝送されることになる。非可逆映像圧縮の例として、ＭＰＥＧ−２およびＭＰＥＧ−４が挙げられる。
【００３５】
実例として、図７は、非可逆圧縮された高精細度コンテンツが、コンテンツソース７０２からコンテンツシンク７０４に無線で転送される従来技術のシステム７００を示す。図７に示されるように、コンテンツソース７０２は、高精細度コンテンツを受信し、それを非可逆圧縮技術により圧縮する非可逆圧縮ロジック７０６、および圧縮コンテンツを無線信号の形式でコンテンツシンク７０４に送信する無線送信機７０８を備える。コンテンツシンク７０４は、無線信号を受信してそれを圧縮コンテンツに戻す無線受信機７１０、および圧縮コンテンツを解凍する解凍ロジック７１２を備える。従来技術では、非圧縮コンテンツを有線接続上でパスすることも含む。
【００３６】
一方、非可逆圧縮を用い簡単な無線システム上での伝送を可能にするのではなく、図８に示される本発明の実施形態は、本明細書でさらに詳しく説明されるさらに高性能な無線システムと組み合わせた可逆圧縮を用いる。具体的に、図８は、コンテンツソース８０２およびコンテンツシンク８０４を備えるシステム８００を示す。図８に示されるように、コンテンツソース８０２は、高精細度コンテンツを受信し、それを可逆圧縮技術により圧縮する可逆圧縮ロジック８０６、および圧縮コンテンツを無線信号の形式でコンテンツシンク８０４に送信する無線送信機８０８を備える。コンテンツシンク８０４は、無線信号を受信してそれを圧縮コンテンツに戻す無線受信機８１０、および圧縮コンテンツを解凍する解凍ロジック８１２を備える。
【００３７】
図７に示される従来技術のシステムとはさらに対照的に、図９に示される本発明の実施形態は、圧縮を用いず、本明細書でさらに詳しく説明されるさらに高性能な無線システムを用いる。具体的に、図９は、コンテンツソース９０２およびコンテンツシンク９０４を備えるシステム９００を示す。図９に示されるように、コンテンツソース９０２は、非圧縮高精細度コンテンツを無線信号の形式でコンテンツシンク９０４に伝送する無線送信機９０６を備える。コンテンツシンク９０４は、無線信号を受信し、それを非圧縮コンテンツに戻す無線受信機９０８を備える。
【００３８】
ノイズの多い無線チャンネルは、非可逆圧縮コンテンツのために大幅に性能が低下するが、非圧縮および可逆圧縮されたコンテンツは、所定の無線チャンネル特性（例えば、ビット誤り率、信号ドロップアウト率、ビット当たりのエネルギー対ノイズ率）に関し、コンテンツシンクにおいて非常に高い品質の再生を可能にするため、図８および９に示される実施形態は有利である。さらに、圧縮により、映像と音声の間のレイテンシおよびオフセットが付加され、それぞれが映像コンテンツシンクにおいて知覚品質を低下させる。さらに、圧縮は高価な処理装置を必要とするが、本発明の実施形態においてはそれを排除でき、本発明は、圧縮を使用しないかまたは可逆圧縮を使用するが、本発明の実施形態では圧縮の複雑性が大幅に削減可能である。
【００３９】
Ｃ．本発明の実施形態に係る、無線チャンネル上の有線セキュリティープロトコルの使用
本発明の実施形態に従って、高帯域幅デジタルコンテンツ保護（ＨＤＣＰ）またはデータ伝送コンテンツ保護（ＤＴＣＰ）などの、有線媒体上でコンテンツを転送するために策定されるセキュリティープロトコルは、無線チャンネル上の動作のために使用される。したがって、例えば、図１のシステム１００を引き続き参照すると、コンテンツソース１０２およびコンテンツシンク１０４は、ＨＤＣＰまたはＤＴＣＰのセキュリティープロトコルを実行するように本発明の実施形態に従って構成されてもよい。
【００４０】
例示として、図１０は、ＨＤＣＰプロトコルが標準のＨＤＭＩケーブル上を伝送されるデータ上で実行される、従来のシステムを示す。図１０に示されるように、システム１０００は、コンテンツソース１００２およびコンテンツシンク１００４を備える。コンテンツソースは、高精細度コンテンツを受信し、それを処理してＨＤＭＩケーブル１００６を介して送信するためのＨＤＭＩ出力信号を生成するＨＤＭＩ送信機１００８を備える。コンテンツシンク１００４は、送信された信号（この時点でＨＤＭＩ入力と表示される）をＨＤＭＩケーブル１００６を介して受信し、それを処理して高精度コンテンツに戻すＨＤＭＩ受信機１０１２を備える。また、コンテンツソース１００２は、ＨＤＣＰ規格に基づいて高精細度コンテンツのＨＤＣＰ認証プロセスおよび／また暗号化を実行するように構成されるＨＤＣＰロジック１０１０も備える。同様に、コンテンツシンク１００４は、ＨＤＣＰ規格に基づいて高精細度コンテンツのＨＤＣＰ認証プロセスおよび／また復号化を実行するように構成されるＨＤＣＰロジック１０１４も備える。コンテンツソース１００２とコンテンツシンク１００４の間で交換されるべきいかなるＨＤＣＰ信号またはパラメータも、ＨＤＭＩケーブル１００６上で伝送される。
【００４１】
一方、本発明の実施形態は、無線リンク上でＨＤＣＰプロトコルを実行する。これにより、無線リンク上でＨＤＣＰ認証プロセスを実行することを伴う。特定の実施形態において、第一の無線チャンネルは、コンテンツソースからコンテンツシンクへ高精細度コンテンツをパスするために使用されるが、別の周波数帯域（つまり、バックチャンネル）は、コンテンツソースとコンテンツシンクの間でＨＤＣＰパラメータを双方向に交換するために使用される。
【００４２】
図１１は上記のシステムを示す。図１１に示されるように、システム１１００は、コンテンツソース１１０２およびコンテンツシンク１１０４を備える。コンテンツソース１１０２は、ＨＤＭＩ送信機１１１０、ＨＤＣＰロジック１１１４、無線送信機１１１２、および無線送受信機１１１６を備える。コンテンツシンク１１０４は、無線受信機１１８、ＨＤＭＩ受信機１１２０、ＨＤＣＰロジック１１２６、および無線送受信機１１２４を備える。
【００４３】
コンテンツソース１１０２内のＨＤＭＩ送信機１１１０は、高精細度コンテンツを受信し、それを処理して有線転送のための信号を生成する。この信号は、無線送信機１１１２によって受信され、それを無線伝送のためにＷ−ＨＤＭＩ出力で表示される信号に変換し、それをチャンネル１で表示される第一の無線チャンネルを介して電波で無線伝送する。コンテンツシンク１１０４内の無線受信機１１１８は、ここでＷ−ＨＤＭＩ入力で表示される無線信号を受信し、受信信号をＨＤＭＩ受信機１１２０の所定の有線伝送に求められるフォーマットに変換する。ＨＤＭＩ受信機１１２０は、変換された信号を受信し、それを高精細度コンテンツに戻すように動作する。
【００４４】
コンテンツソース１１０２内のＨＤＣＰロジック１１１４は、ＨＤＣＰ規格に基づいて、高精細度コンテンツのＨＤＣＰ認証プロセスおよび暗号化を実行するように動作する。同様に、コンテンツシンク１１０４内のＨＤＣＰロジック１１２６は、ＨＤＣＰ規格に基づいて、高精細度コンテンツの認証プロセスおよび復号化を実行するように動作する。コンテンツソース１１０２とコンテンツシンク１１０４の間で交換されるべきいかなるＨＤＣＰ信号またはパラメータ１１０８も、無線送受信機１１１６および無線送受信機１１２４の間で、図１１のチャンネル２で表示される第二の無線チャンネル（つまり、バックチャンネル）上で双方向に無線でパスされる。
【００４５】
代替の実施形態において、コンテンツソース１１０２からコンテンツシンク１１０４に通信されるべきＨＤＣＰパラメータは、チャンネル１上で高精細度コンテンツとともに伝送されるが、コンテンツシンク１１０４からコンテンツソース１１０２に通信されるべきＨＤＣＰパラメータは、全てバックチャンネル上でのみパスされる。このような実施形態によると、これらの信号の一方向の転送のみがバックチャンネル上で必要とさらえるので、コンテンツソース１１０２における無線送受信機１１１６は、無線受信機で代用されてもよく、コンテンツシンク１１０４における無線送受信機１１２４は、無線送信機で代用されてもよい。
【００４６】
歴史的に言えば、有線接続のために生成されるセキュリティープロトコルは無線接続に適用されていない。その代わりに、全く新しいセキュリティープロトコルが開発されてきた。これらの代替プロトコルは、多くの場合、コンテンツ保護を取り払う必要があるため、暗号化されていないコンテンツを暴露する可能性がある。さらに、これらの新しいセキュリティープロトコルは、一般的に、実行すべき長くて難しい承認プロセスを要する。さらに、新しいハードウェアおよびソフトウェアが、新しいセキュリティープロトコルに対応するために開発されなければならない。すぐ上で説明されたような本発明の実施形態は、既にコンテンツプロバイダー（例えば、ＭＰＡＡ）による有線伝送で承認されているセキュリティープロトコルを有利に利用する。これらのプロトコルを無線伝送に拡大適用することにより、本発明の実施形態は、コンテンツプロバイダーによる承認プロセスを大幅に簡潔化する。さらに、この方法により、既存のソースおよびシンクプロセッサが使用可能になり、安全なコンテンツ転送について、無線接続に拡大適用される。
【００４７】
Ｄ．本発明の実施形態に係る、一対のコンテンツソース／シンク間の通信のための二つの無線チャンネルの使用
本発明の実施形態によると、第一の無線周波数帯域、つまりチャンネルは、単一で、適応的に選択された、一対のコンテンツソース／シンクの間における高精細度コンテンツのパスのために設けられ、第二の無線周波数帯域、つまりチャンネルは、高精細度コンテンツのパスのために使用されず、メディアアクセス制御（ＭＡＣ）情報およびマルチメディア信号情報をその一対の間を双方にパスするために使用される。このようなマルチメディア信号情報は、ディスプレイデータチャンネル（ＤＤＣ）およびコンシューマーエレクトロニクスコントロール（ＣＥＣ）チャンネル情報を含んでもよい。第一のチャンネルは、本明細書において「ダウンストリームリンク」とも呼ばれてもよく、第二のチャンネルは、本明細書において「バックチャンネル」とも呼ばれてもよい。
【００４８】
この方法は、ソース／シンクの一対がその他のソース／シンクの対から十分ＲＦ隔離されている範囲に存在する場合に特に有用である。例えば、ソース／シンクの対は、空間的に十分隔離されてそのペアが相互に干渉しないようにしてもよく、壁などのＲＦ伝播障害により相互に隔離させてもよく、あるいは、方向性を有するアンテナ（つまり、無方向性のアンテナではない）を使用して達成される方向性ＲＦ伝播により相互に隔離させてもよい。
【００４９】
図１２は、上述のような、二つの対のソース／シンクのそれぞれが、高精細度コンテンツの伝送のための第一の無線チャンネルと、ＭＡＣ情報およびマルチメディア信号を双方向に転送するための第二の無線チャンネルを利用する本発明の実施形態を示す。
【００５０】
具体的には、図１２に示されるように、本発明の実施形態に係るシステム１２００は、第一の適応的に選択された対のコンテンツソース／シンク１２０２、第二の適応的に選択された対のコンテンツソース／シンクの１２０４を備える。各対について、大きいＲＦ干渉が性能にあまり影響を与えない範囲がある。対のソース／シンク１２０２については、この範囲の外側の境界は参照数字１２１４で示され、対のソース／シンク１２０４については、その外側の境界は参照数字１２１６で示される。
【００５１】
対のコンテンツソース／シンク１２０２は、コンテンツソース１２０６およびコンテンツシンク１２０８を備える。対のコンテンツソース／シンク１２０４は、コンテンツソース１２１０およびコンテンツシンク１２１２を備える。コンテンツソース１２０６および１２１０の各々は、高精細度コンテンツを受信および処理し、それを無線伝送のためにフォーマットし、それを第一のチャンネル（「チャンネル１」）上で無線送信機を使用して送信する。コンテンツシンク１２０８および１２１２の各々は、チャンネル１上を送信されたデータを受信および処理し、それを高精細度コンテンツに戻す。
【００５２】
さらに、コンテンツソース１２０６および１２１０、ならびにコンテンツシンク１２０８および１２１２の各々は、無線送受信機を備え、メディアアクセス制御（ＭＡＣ）情報およびマルチメディア信号を第二のチャンネル（「チャンネル２」）上でその対の間を双方向に転送する。上述のように、このようなマルチメディア信号は、ディスプレイデータチャンネル（ＤＤＣ）およびコンシューマーエレクトロニクスコントロール（ＣＥＣ）チャンネル情報を含んでもよい。
【００５３】
上記の実施形態とは対照的に、高精細度コンテンツのパスのために使用または提案される従来の無線システム（例えば、８０２．１１およびＵＷＢシステム）は、複雑な帯域内のＭＡＣ層を使用して、一つ以上のコンテンツソースおよび一つ以上のコンテンツシンク間におけるチャンネル利用を調整する。このＭＡＣ層はオーバーヘッドを付加することから、スループットを低下させる。さらに、ＭＡＣ層信号は、高精細度コンテンツの転送に必要とされるよりかなり遅いデータ転送速度を条件とするため、ＭＡＣ層信号がパスされる間、チャンネル利用は実際にパスされ得るよりも少なくなる。同一の従来の提案によると、ＤＤＣまたはＣＥＣ信号などのマルチメディア信号も帯域内で実行する。また、この情報をパスするには、比較的低いデータ転送速度を条件とするため、スペクトルリソースを非効率的に使用することになる。
【００５４】
本発明の実施形態による方法により、ソースからシンクへの高精細度コンテンツの転送のためだけに広い周波数帯域が設けられることで、対のソース／シンクの間におけるスループットの大幅な改善が可能になり、小さい周波数帯域がＭＡＣおよびマルチメディア信号のために使用される。
【００５５】
図１３は、高精細度コンテンツをパスするための第一の無線チャンネルと、ＭＡＣおよびマルチメディア信号のための第二の無線チャンネルを利用する、本発明の実施形態に係るシステム１３００をさらに詳しく示す。図１３に示されるように、システム１３００は、コンテンツソース１３０２およびコンテンツシンク１３０４を備える。コンテンツソース１３０２は、ＭＡＣ１３０６、ロジック１３０８、およびロジック１３１０を備える。ロジック１３０８は、ＭＡＣ１３０６の制御のもと、映像および音声コンテンツを無線メディアチャンネル１３１８上で送信するための、ソースフォーマット化および物理層機能を実行する。ロジック１３１０は、ＭＡＣ情報およびマルチメディア信号（例えば、ＤＤＣ／ＣＥＣ信号）をバックチャンネル１３１０上で通信するために、バックチャンネルフォーマット化および送受信機物理層機能を実行する。バックチャンネルプロトコルに関する情報は、ＭＡＣ１３０６およびロジック１３１０の間で通信される。
【００５６】
図１３にさらに示されるように、コンテンツシンク１３０４は、ＭＡＣ１３１２、ロジック１３１４、およびロジック１３１６を備える。ロジック１３１４は、ＭＡＣ１３１２の制御のもと、映像および音声コンテンツを無線メディアチャンネル１３１８上で受信するための、シンクフォーマット化および物理層機能を実行する。ロジック１３１６は、ＭＡＣ情報およびマルチメディア信号（例えば、ＤＤＣ／ＣＥＣ信号）をバックチャンネル１３１０上で通信するために、バックチャンネルフォーマット化および送受信機物理層機能を実行する。バックチャンネルプロトコルに関する情報は、ＭＡＣ１３１２とロジック１３１６の間で通信される。
【００５７】
本発明の一実施形態において、無線メディアチャンネル１３１８は、およそ３．１ＧＨｚから４．８ＧＨｚの範囲の帯域幅を占拠し、バックチャンネル１３２０は、およそ９０２ＭＨｚから９２８ＭＨｚの範囲の帯域幅を占拠する。この帯域幅割当は、図１４にグラフで示される。
【００５８】
本明細書でさらに詳しく説明されるように、本発明の実施形態に係る無線インターフェースは、コンテンツソースとコンテンツシンクの間の信号を伝送するために、直交周波数分割多重（ＯＦＤＭ）を利用する。１つのこのような実装において、ＯＦＭＤヌルトーンおよび／またはウィンドウイングが、本発明の実施形態による無線プロトコルの使用により、４．９ＧＨｚかそれに近い値で動作する８０２．１１ｊなどの無線システムと干渉しないように使用されてもよい。
【００５９】
代替の実施形態において、およそ６〜１０．６ＧＨｚの範囲の帯域幅が、高精細度コンテンツの無線伝送に使用される。これは、その他の帯域で動作するように設計された通信システムを有するユーザーからの干渉を回避するという点で有利である。この帯域の動作について提案されているシステムは現在ない。周波数ホッピングを利用する本発明の実施形態において（本明細書に後に記載されるように）、これにより、依然としてＦＣＣ伝送電力要件を満たす一方で、ピーク電力において二倍以上の増加が可能である。
【００６０】
本発明の別の実施形態において、無線送信機メディアアダプタと無線受信機メディアアダプタの間の信号を伝送するためにＯＦＤＭを使用する無線メディア配信システムは、ストリーミング音声情報を多数の音声スピーカーに同時に提供することができる。本実施形態によると、メディアシンクは一つ以上の音声スピーカーを備える。音声信号を各スピーカーに継続して提供するために、メディア配信システムは、ＯＦＤＭトーンの範囲を各スピーカーに割り当てることができる。特定のスピーカーに向けられた音声情報は、割り当てられた範囲の周波数上で搬送される。このように、本発明の実施形態は、サラウンドサウンド音声スキームを実装するために、ストリーミングアナログ音声情報を、メディアソースから多数の音声スピーカーを備えるメディアシンクへ提供することができる。
【００６１】
Ｅ．本発明の実施形態に係る、コンテンツソースとコンテンツシンクの間の自動検出および自動接続
本発明の局面によると、メディアコンテンツシンクをメディアコンテンツソースと対にするために、自動検出および自動ペアリング／自動接続プロセスが実行される。自動検出および自動接続プロセスは、無線コンテンツ伝送のために使用されるＲＦチャンネルとは別のＲＦチャンネル上で実施されることができる。このプロセスでは、無線のコンテンツ伝送チャンネルが特定の時間の間に対して設けられるべき可能性のあるコンテンツソースおよびコンテンツシンクの対の組から決定する。一方、従来技術のシステムは、各送信機と受信機の間で別の有線接続を利用するか、もしくは無線チャンネル接続競争のために複雑なＭＡＣを使用する。本発明の局面によって提供される自動検出および自動接続プロセスによって、このような複雑なＭＡＣのオーバーヘッドが有利に排除され、ケーブルが排除され、そして無線ソース／シンクのユーザーによる手動接続が排除される。
【００６２】
図１５は、共有無線リソースに関わる複数のコンテンツソース１５０２ａ〜１５０２ｎおよび複数のコンテンツシンク１５０４ａ〜１５０４ｎを含む本発明の実施形態に係るシステム１５００を示す。本明細書でさらに詳しく説明されるように、コンテンツソース１５０２ａ〜１５０２ｎおよびコンテンツシンク１５０４ａ〜１５０４ｎの各々は、無線リソースの共有を可能にする自動検出および自動接続プロセスを実行するように構成される。
【００６３】
本発明の一局面において、第一の組のコンテンツソースとコンテンツシンクの対を備える第一のネットワーク、および第二の組のコンテンツソースとコンテンツシンクの対を備える第二のネットワークが相互に干渉しないような、対のコンテンツソースとコンテンツシンクの異なるネットワークが共存する。具体的には、異なるネットワークのコンテンツソースとコンテンツシンクの間の通信（例えば、コンテンツ伝送またはオーバーヘッド信号伝送）は、阻止されあるいは許されないことが可能である。
【００６４】
例えば、第一のネットワーク（つまり「ネットワークＡ」）は、コンテンツソース１５０２ａおよびコンテンツシンク１５０４ａを備え、第二のネットワーク（つまり「ネットワークＢ」）は、コンテンツソース１５０２ｂおよびコンテンツシンク１５０４ｂを備えることができる。コンテンツソース１５０２ａおよびコンテンツシンク１５０４ａは対になることができる。同様にコンテンツソース１５０２ｂおよびコンテンツシンク１５０４ｂは対になることができる。本発明の局面は、コンテンツまたはオーバーヘッド信号伝送が、コンテンツソース１５０２ａとコンテンツシンク１５０４ｂの間で共有されないようにすることができる。同様に、本発明の局面は、コンテンツまたはオーバーヘッド信号伝送がコンテンツソース１５０２ｂとコンテンツシンク１５０４ａの間で共有されないようにすることができる。
【００６５】
異なるネットワークに存在する装置間でのいかなるコンテンツまたはオーバーヘッド信号伝送の共有も回避するために、例えば、ネットワーク識別パラメータ（つまり「ネットワークＩＤ」）が、同一のネットワーク内に存在するコンテンツソースとコンテンツシンクの間で交換されるいかなるメッセージにも含まれることができる。ネットワークＩＤは、ネットワークだけでなくネットワーク内の要素も一意に識別することができる。その結果、第一のネットワーク上のデバイスによって受信されるメッセージは、デバイスによって選別、審査、またはフィルタを掛けられることによって、メッセージが第一のネットワークのデバイスに対するものかどうかを判断することができる。含まれるネットワークＩＤに基づいてメッセージが第一のネットワーク上のデバイスのものと判断されると、メッセージは次のプロセスに進む。また、メッセージが第一のネットワークに対するものではない場合、メッセージは無視されることができる。
【００６６】
例えば、コンテンツソース１５０２ａは、コンテンツシンク１５０４ａ用のオーバーヘッド信号メッセージを送信することができる。そうするためには、コンテンツソースは、ネットワークＡ用のネットワークＩＤパラメータをブロードキャストメッセージに加える。ネットワークＡおよびネットワークＢが近接して動作する場合、コンテンツシンク１５０４ａとコンテンツシンク１５０４ｂの両方がコンテンツソース１５０２ａに送信されたメッセージを受信することが不可能である。コンテンツシンク１５０４ｂは、メッセージを受信すると、メッセージがネットワークＡ内のデバイスのためのものであると判断することができる。したがって、コンテンツシンク１５０４ｂは、メッセージを単に無視するか、またはメッセージのさらなる処理を中止することができる。コンテンツシンク１５０４ａは、メッセージを受信すると、同様に、メッセージがネットワークＡ内のデバイスのためのものであるかどうかを判断することができる。したがって、コンテツシンク１５０４ａは、メッセージを完全に受信および処理すると判断することができる。
【００６７】
あらゆる通信メッセージ内のネットワークＩＤまたはネットワークＩＤフィールドは、特定のネットワーク特有のその他の情報も含むことができる。例えば、ネットワークＩＤは、周波数ホッピングシーケンスを特定または判断するために使用可能である。さらに、ネットワークＩＤは、例えば、特定のネットワーク内または特定の対のコンテンツソースとコンテンツシンクの間のデバイス間の安全な通信を可能にするためのメッセージ暗号化キーを伝送するために使用可能である。
【００６８】
本発明の局面によると、「プロビジョニング」プロセスは、デバイスが、事前に識別されている同一のネットワーク上にあるようにすることを可能にする。つまり、プロビジョニングにより、同一ネットワーク上にあることを意図される送信機無線メディアアダプタおよび受信機無線メディアアダプタ全体に、同一のネットワークＩＤパラメータを設定できるようになる。このプロビジョニングプロセスは、例えば、製造時に確立されることができる。あるいは、プロビジョニングは、一つ以上のネットワークのエンドユーザーによって設置または実行されることができる。
【００６９】
本発明により提供される自動検出および自動接続プロセスの局面に関する説明を容易にするために、高精細度コンテンツの転送を実行するための従来の方法をまず説明する。有線接続を有する従来技術のＨＤＭＩおよびＤＶＩシステムは、高精細度コンテンツの転送を開始するために、ホットプラグ検出（ＨＰＤ）信号として知られたものを用いる。このプロセスは図１６を使用して詳細に説明され、図１６は、有線接続つまりケーブル１６０６上で、従来技術のメディアソース１６０２および従来技術のメディアシンク１６０４の間の信号の通信を示す図である。
【００７０】
このプロセスにおいて、ステップ１６２０で示されるように、メディアソース１６０２に電源が入れられるか、使用可能になった後に、メディアソース１６０２は、ステップ１６２２に示されるように、有線接続１６０６で電力信号１６０８をアサートする。一般的に、電力信号１６０８は、５Ｖなどの特定の所定電圧レベルを有する。ステップ１６２４に示されるように、ケーブル１６０６がメディアシンク１６０４に接続されて、メディアシンク１６０４に電源が入れられると、メディアシンク１６０４は、コンテンツを受信する準備が整った状態になる。例えば、メディアシンク１６０４は、エンハンストエクステンデッドディスプレイ識別データ（Ｅ−ＥＤＩＤ）が読み込む準備が整った状態になる。メディアシンク１６０４がそのような状態になり、メディアソース１６０２によりアサートされた電力信号１６０８を検出すると、メディアシンク１６０４は、ステップ１６２６に示されるように、ホットプラグ検出（ＨＰＤ）信号１６１０を有線接続１６０６でアサートする。ＨＰＤ信号１６１０を受信すると、メディアソース１６０２は、ステップ１６２８に示されるように高精細度コンテンツを伝送し始める。高精細度コンテンツは、ステップ１６３０に示されるように有線接続１６０６上を送信され、ステップ１６３２に示されるようにメディアシンク１６０４によって受信される。
【００７１】
従来技術のメディアソース１６０２を従来技術のメディアシンク１６０４と対にするためには、有線接続１６０６を使用し、各デバイスに電源を入れることによって、物理的に従来技術のメディアソース１６０２を従来技術のメディアシンク１６０４に接続することが必要になる。さらに、有線接続１６０６は、高精細度コンテンツの転送のために、従来技術のメディアソース１６０２と従来技術のメディアシンク１６０４に特有のリソースを提供する。一方、コンテンツソース１５０２ａとコンテンツシンク１５０４ａを対にする（その後、高精細度コンテンツの転送を可能にする）ことは、コンテンツソース１５０２ａとコンテンツシンク１５０４ａは、相互に物理的に接続されないのでより課題が大きい。上述のとおり、共通のおよび限定された組の無線リソースについて共有または「競い合う」必要があるいくつかのコンテンツソース（例えば、コンテンツソース１５０２ａ〜１５０２ｎ）およびコンテンツシンク（例えば、コンテンツシンク１５０４ａ〜ｎ）があってもよい。さらに、コンテンツシンクは、高精細度コンテンツを受信するために、対になる可能性のあるコンテンツソースの組から特定のコンテンツソースを選択する必要があり得る。
【００７２】
図１７Ａおよび１７Ｂは、本発明の局面にかかる自動検出および自動接続プロセスを示す。具体的には、図１７Ａおよび１７Ｂは、多数のコンテンツソースおよび／または多数のコンテンツシンクが、限定された無線リソースを競い合うプロセスを示す。さらに、図１７Ａおよび１７Ｂは、特定のコンテンツシンクが、コンテンツを受信すべき可能性のあるコンテンツソースの組をどのように検出するか、ならびに、その後コンテンツシンクが対になるためにコンテンツソースをどのように選択するのかを示す。
【００７３】
図１７Ａおよび１７Ｂに示されるように、メディア送信機１７０２は、メディアソース１７０４および送信機（ＴＸ）無線メディアアダプタ１７０６を備えてモデル化される。第二のメディア送信機１７０８は、メディアソース１７１０およびＴＸ無線メディアアダプタ１７１２を備えてモデル化される。メディア受信機１７１４は、受信機（ＲＸ）無線メディアアダプタ１７１６およびメディアシンク１７１８を備えてモデル化される。
【００７４】
本発明は、図１７Ａおよび１７Ｂの自動検出および自動接続プロセスの描写に関する以下の動作説明に限定されない。むしろ、当業者には、本明細書の教示により、その他の動作制御フローが本発明の範囲と精神の範囲内にあることが明らかであろう。
【００７５】
ＴＸ無線メディアアダプタ１７０６は、メディアソース１７０４からのメディアコンテンツ転送に伴うあらゆる物理的（ＰＨＹ）およびＭＡＣ層の無線の機能性を実行し、その実装に応じてメディアソース１７０４の内部または外部に存在してもよい。同様に、ＴＸ無線メディアアダプタ１７１２は、メディアソース１７１０からのメディアコンテンツ転送に伴うあらゆる物理的（ＰＨＹ）およびＭＡＣ層の無線の機能性を実行し、その実装に応じてメディアソース１７１０の内部または外部に存在してもよい。同様に、ＲＸ無線メディアアダプタ１７１６は、メディアシンク１７１８へのメディアコンテンツ転送に伴うあらゆる物理的（ＰＨＹ）およびＭＡＣ層の無線機能性を実行し、その実装に応じてメディアソース１７１８の内部または外部に存在してもよい。
【００７６】
自動検出および自動接続プロセスロジックは、ＴＸ無線メディアアダプタ１７０６および１７１２、ならびにＲＸ無線メディアアダプタ１７１６のＭＡＣ層の一部として考えてもよい。ＴＸ無線メディアアダプタ１７０６および１７１２、ならびにＲＸ無線メディアアダプタ１７１６のＰＨＹ層ロジックは、本発明の局面によって提供される自動検出および自動接続プロトコルの特徴を実行するために必要な無線伝送を処理することができる。
【００７７】
本発明の実装は、単一の無線チャンネルがメディアコンテンツ（例えば、高精細度コンテンツ、複合コンテンツ、またはアナログコンテンツ）を転送するため、およびＭＡＣ情報またはオーバーヘッドマルチメディア信号を交換するために使用されることを可能にする。あるいは、本発明の実装は、メディアコンテンツの転送のための第一の無線チャンネル（つまり、無線メディアチャンネル）、およびＭＡＣ情報およびマルチメディアオーバーヘッド信号の交換のための第二の無線チャンネル（つまり、バックチャンネル）を提供することができる。以下の説明のために、ＴＸ無線メディアアダプタ１７０６および１７１２、ならびにＲＸ無線メディアアダプタ１７１６は、図１３および１４に関連して上でさらに十分説明されたように、無線メディアチャンネルおよびバックチャンネルの両方を使用することと仮定する。
【００７８】
ＴＸ無線メディアアダプタ１７０６および１７１２、ならびにＲＸ無線メディアアダプタ１７１６は、メディアソース１７０４および１７１０、ならびにメディアシンク１７１８の電力状態にそれぞれが依存せず、本発明の局面に従って自動検出および自動接続プロトコルを実行することができる。メディアソース１７０４および１７１０、ならびにメディアシンク１７１８の電力状態は、各メディアデバイスからその対応する無線メディアアダプタへの電力信号、ホットプラグ検出信号、またはその他のインジケータの有無によって決定または示唆される。したがって、ＴＸ無線メディアアダプタ１７０６および１７１２は、ＴＸ無線メディアアダプタ１７０６および１７１２に電源が入れられるか使用可能になるとすぐ、ＲＸ無線メディアアダプタ１７１６に応答するように構成されることができる。同様に、ＲＸ無線メディアアダプタ１７１６は、電源が入れられるか使用可能になるとすぐに、自動検出および自動接続プロセスに着手または開始するように構成されることができる。
【００７９】
あるいは、本発明の局面に基づく自動検出および自動接続プロセスの実装は、メディア装置の電力状態に依存することができる。メディアソース１７０４および１７１０からＴＸ無線メディアアダプタ１７０６および１７１２へ、それぞれに電力信号が存在することにより、各ソースがコンテンツを伝送する準備が整っていることおよび伝送可能であることが示される。ゆえに、ＴＸ無線メディアアダプタ１７０６および１７１２は、メディアソース１７０４および１７１０から電力信号がそれぞれ提供された場合にのみ、ＲＸ無線メディアアダプタ１７１６に応答するように構成されることができる。同様に、ＲＸ無線メディアアダプタ１７１６は、メディアシンク１７１８からホットプラグ検出信号またはその他の電力信号あるいはインジケータを受信した後のみ、自動検出および自動接続プロセスに着手または開始するように構成されることができる。また、ＲＸ無線メディアアダプタ１７１６は、メディアシンク１７１８からＨＰＤ信号を受信した後のみ、自動検出および自動接続プロセスに着手または開始するように構成されることもできる。いずれのシナリオにおいても、本発明の局面の自動検出及び自動接続プロセスは、メディアコンテンツまたはメディア信号情報がメディアソースとメディアシンクの間を無線で中継する前に、ＴＸ無線メディアアダプタとＲＸ無線メディアアダプタの間のペアリングまたは接続が確立するようにすることができる。
【００８０】
本発明の局面による自動検出プロセスは、固有のアドレスを各無線メディアアダプタに割り当て可能にすることによって二地点間接続を促進する。さらに、本発明の局面による自動検出プロセスによって、ＴＸ無線メディアアダプタおよびＲＸ無線メディアアダプタは、対応するフレームフォーマットなどのアドレス情報および能力情報を交換できるようになる。能力情報は、関連するメディア装置の能力情報も含む。その後、本発明の局面による自動接続プロセスによって、ＲＸ無線メディアアダプタは、コンテンツ受信元のメディアソースを選択できるようになる。つまり、本発明の局面による自動接続プロセスは、メディアソースおよびメディアシンクのペアリングを達成し、無線メディアコンテンツの転送および関連のオーバーヘッドメディア信号の交換を可能にする。
【００８１】
図１７Ａに示されるように、ＲＸ無線メディアアダプタ１７１６は、ステップ１７２０で電源を入れられるか、または使用可能になる。本発明の一局面によると、メディアシンク１７１８の電力状態に関係なく、ＲＸ無線メディアアダプタ１７１６は、自動検出プロセスに着手または開始する準備がすぐに整う。したがって、ＲＸ無線メディアアダプタ１７１６は、ステップ１７２２でそれ自体に固有の通信アドレスを割り当てようと試みる。具体的には、ステップ１７２２で、ＲＸ無線メディアアダプタ１７１６は、アドレス（例えば、第一の試みの割当アドレス）を選択し、バックチャンネル上でアドレスを無線で伝送する。アドレスは、アドレス決定ブロードキャストメッセージとしてブロードキャストされ、他の無線メディアアダプタが現在同一のアドレスを割り当てられているかどうかを判断する。ブロードキャストされたメッセージは、アドレス決定期間１７２４で周期的にブロードキャストされる。
【００８２】
別の無線メディアアダプタがブロードキャストメッセージを受信し、現在同一のアドレスを割り当てられている場合、無線メディアアダプタは、そのブロードキャストアドレス決定メッセージに応答する。ブロードキャストアドレス決定メッセージに応答することによって、無線メディアアダプタは、その第一の試みの割当アドレスは既に使用中であることまたは以前に割り当て済みであることを、ＲＸ無線メディアアダプタ１７１６に知らせる。その結果、ＲＸ無線メディアアダプタ１７１６は、別のアドレスを選び、アドレス決定プロセスを再開することができる。
【００８３】
アドレスを選択し、その後対応するブロードキャストアドレス決定メッセージを伝送することは、ＲＸ無線メディアアダプタ１７１６が、現在使用中でないアドレスを選択するまで繰り返されることができる。ＲＸ無線メディアアダプタ１７１６は、その他の無線メディアアダプタがアドレス決定ブロードキャストメッセージに応答しない場合に、選択されたアドレスが使用中でないことを判断することができる。具体的には、ＲＸ無線メディアアダプタ１７１６は、その他の無線メディアアダプタがアドレス決定期間１７２４内に応答しない場合、それ自体に試みたアドレスを割り当てることができる。また、ステップ１７２０、１７２２、および１７２４は、本発明の局面に基づくアドレス決定プロセスを示す。
【００８４】
割り当てられたアドレスは、ＲＸ無線メディアアダプタ１７１６のパーシステントメモリに保存されることができる。結果として、割り当てられたアドレスは、ＲＸ無線メディアアダプタ１７１６が電源を切られて入れられる場合（つまり、電源オンオフの繰り返しの事象）の場合に、新しいアドレス決定プロセスにおいて使用するための初期アドレスとして使用可能である。
【００８５】
多くの場合、ＲＸ無線メディアアダプタ１７１６により伝送されるアドレス決定ブロードキャストメッセージは、同一のネットワーク内にある各無線メディアアダプタに受信されないかもしれない。つまり、例えば、壁または窓などの障害物により、ＲＸ無線メディアアダプタ１７１６からのブロードキャストメッセージを、無線メディアアダプタが適切に受信および読み取りできない可能性がある。アドレス決定プロセスを支援するために、ＲＸ無線メディアアダプタ１７１６からのブロードキャストメッセージを適切に受信する各無線メディアアダプタは、ブロードキャストメッセージを転送するように構成されることができる。同様に、アドレス決定期間１７２４中に、別の無線メディアアダプタからの応答を適切に受信する各無線メディアアダプタは、ＲＸ無線メディアアダプタ１７１６に応答メッセージを転送できる。このようにして、各無線メディアアダプタが中継として機能することにより、各無線メディアアダプタが、ＲＸ無線メディアアダプタ１７１６からブロードキャストメッセージを適切に受信し、ＲＸ無線メディアアダプタ１７１６が、そのブロードキャストに関連するいかなる応答も適切に受信するようになる。
【００８６】
本発明の局面によると、各無線メディアアダプタは、現在使用中の全てのアドレスを追跡および保存することができる。ゆえに、ＲＸ無線メディアアダプタ１７１６からのブロードキャストメッセージ内のアドレスが現在使用中であるという情報を無線メディアアダプタが有する場合、無線メディアアダプタは、ＲＸ無線メディアアダプタに適切に報告できる。
【００８７】
ＲＸ無線メディアアダプタ１７１６に関連して上に説明されたアドレス決定プロセスは、ＴＸ無線メディアアダプタ１７０６および１７１２により使用されることもできる。この場合、所定のネットワークまたはファミリー内の各無線メディアアダプタは、それ自体に固有のアドレスを割り当てることができる。簡潔にするために、図１７Ａおよび１７Ｂにおいて、ＴＸ無線メディアアダプタ１７０６および１７１２の電源が入れられ、それらに固有のアドレスが既に割り当てられていると仮定する。本発明の局面のアドレス決定プロセスは修正可能で、固有のアドレスが、アダプタの種類（つまり、ＴＸまたはＲＸ）に基づいてネットワークにおける各無線メディアアダプタに割り当てられるようにできる。
【００８８】
無線メディアアダプタにより使用されるアドレスフォーマットは、ＨＤＭＩ仕様バージョン１．１のＣＥＣ−１４ページに記載される論理アドレスフォーマットであることが可能で、そのＨＤＭＩ仕様の全体は、参照することにより本明細書に全体的に記載されているかのように組み込まれる。
【００８９】
ＲＸ無線メディアアダプタ１７１６がそれ自体に固有のアドレスを割り当てた後、ＲＸ無線メディアアダプタ１７１６は、動作可能なＴＸ無線メディアアダプタ（つまり、ＴＸ無線メディアアダプタ１７０６および１７１２）を発見するプロセスを開始する。ステップ１７２６で示されるように、ＲＸ無線メディアアダプタ１７１６は、周期的に「ハロー」メッセージをブロードキャストする。「ハロー」ブロードキャストメッセージは、ＲＸ無線メディアアダプタ１７０６および関連するメディアシンク１７１８の能力情報を含むことが可能で、また、ＲＸ無線メディアアダプタ１７０６のアドレスも含むことができる。「ハロー」ブロードキャストメッセージは、ＨＤＭＩ仕様バージョン１．１のＣＥＣ−１０ページに記載されるように、例えば、０ｂ１１１１に設定される宛先論理アドレスフィールドを有するＣＥＣフレームフォーマットを使用して実行されることができる。ＴＸ無線メディアアダプタ１７０６および１７１２は、「ハロー」ブロードキャストメッセージ（または「発見」メッセージ）を受信する。「ハロー」メッセージを受信すると、ＴＸ無線メディアアダプタ１７０６および１７１２は、ＲＸ無線メディアアダプタ１７１６の能力およびアドレスを判断することができる。
【００９０】
ＴＸ無線メディアアダプタ１７０６および１７１２の各々は、「ハロー」メッセージに応答することができる。ＴＸ無線メディアアダプタ１７０６および１７１２が「ハロー」メッセージに同時に応答しないようにするため、バックチャンネルの競合解決プロセスが実施されることができる。具体的には、ＴＸ無線メディアアダプタ１７０６および１７１２の各々は、ＴＸ無線メディアアダプタ１７０６および１７１２の各々が「ハロー」メッセージに応答可能な時間を決定するために使用される乱数で初期化されることができる。ＴＸ無線メディアアダプタ１７０６および１７１２の各々によって決定される時間は、各アダプタが「ハロー」ブロードキャストメッセージに応答する試みの前にどのくらいの間待つのかを特定する。待機時間は、ＴＸ無線メディアアダプタ１７０６および１７１２の各々による「ハロー」メッセージの受信からそれぞれ測定することができる。時間を計算するために使用される乱数は、例えば、ＴＸ無線メディアアダプタ１７０６および１７１２の製造者によって設定されることができる。この計算された時間は、「バックオフ」時間と呼ばれることができる。
【００９１】
一般的に、ブロードキャストメッセージに応答する無線メディアアダプタは「バックオフ」時間を決定し、ブロードキャストメッセージへの応答を試みる前に「バックオフ」時間の間待機することができる。「バックオフ」時間を使用する競合解決プロトコルは、共有チャンネルにおける同時伝送の可能性を低減させることができる。
【００９２】
さらに、「バックオフ」時間の決定後で、かつその時間終了の前に、各無線メディアアダプタは、その他の無線メディアアダプタからの伝送を傾聴することができる。伝送が聞こえる場合、各無線メディアアダプタは、その各「バックオフ」時間内に、バックチャンネルが使用中であることを判断することができる。したがって、各無線メディアアダプタは、バックチャンネルが応答前に空くまで待機する。チャンネルが空くと、各無線メディアアダプタは、新しい「バックオフ」時間を再計算することができる。無線メディアアダプタの「バックオフ」時間が終了し、その他のメディアアダプタからの伝送が「バックオフ」時間中に受信または聞かれることがない場合、無線メディアアダプタは、チャンネルが使用可能であると結論を出すことができる。結果として、チャンネルは、無線メディアアダプタからの伝送に対応するために使用可能である。
【００９３】
ステップ１７２８において、ＴＸ無線メディアアダプタ１７１２の「バックオフ」時間は、ＴＸ無線メディアアダプタ１７０６がバックチャンネルを占拠せずに終了する。その結果、ＴＸ無線メディアアダプタ１７１２は、ステップ１７３０で、ＲＸ無線メディアアダプタ１７１６の「ハロー」メッセージに対して「接続要求」メッセージと共に応答する。「接続要求」メッセージは、ＴＸ無線メディアアダプタ１７１２の能力情報の他にその固有のアドレスも含むことができる。さらに、「接続要求」メッセージは、関連のメディアソース１７１０の能力情報の他にメディアソース１７１０の現在の電力状態も含むことができる。
【００９４】
「接続要求」メッセージをＴＸ無線メディアアダプタ１７１２から受信すると、ＲＸ無線メディアアダプタ１７１６は、「接続要求」メッセージの受信を確認通知することができる。具体的には、ステップ１７３２において、ＲＸ無線メディアアダプタ１７１６は、「接続要求確認通知」メッセージを返信することができる。
【００９５】
ＴＸ無線メディアアダプタは、「ハロー」フレームに対する応答に成功すると、バックチャンネルを占拠する。そうすることで、ＲＸとＴＸ無線メディアアダプタの間の一組の伝送が引き起こされ、アドレスおよび能力情報の交換が可能になる。その一組の伝送は、ステップ１７３０で伝送される「接続要求」メッセージおよびステップ１７３２で伝送される「接続要求確認通知」メッセージよりもさらに広範である。多くの場合、さらに広範な組の伝送が、必要な能力およびアドレス情報の十分な交換を確実にするために必要とされてもよい。さらに、バックチャンネルを占拠するＴＸ無線メディアアダプタだけが、チャンネルが「解放」されるまでチャンネル上を伝送できる。
【００９６】
ステップ１７３４において、ＴＸ無線メディアアダプタ１７０６の「バックオフ」時間は、ＴＸ無線メディアアダプタ１７１２がバックチャンネルを占拠せずに終了する。その結果、ＴＸ無線メディアアダプタ１７０６は、ステップ１７３６で、ＲＸ無線メディアアダプタ１７１６の「ハロー」メッセージに対して「接続要求」メッセージと共に応答する。「接続要求」メッセージは、ＴＸ無線メディアアダプタ１７０６の能力情報の他にその固有のアドレスも含むことができる。さらに、「接続要求」メッセージは、関連のメディアソース１７０４の能力情報の他にメディアソース１７０４の現在の電力状態も含むことができる。「接続要求」メッセージをＴＸ無線メディアアダプタ１７０６から受信すると、ＲＸ無線メディアアダプタ１７１６は、「接続要求」メッセージの受信を確認通知することができる。具体的には、ステップ１７３８において、ＲＸ無線メディアアダプタ１７１６は、「接続要求確認通知」メッセージを返信することができる。
【００９７】
図１７Ａに示されるように、「バックオフ」時間１７３４は、ＴＸ無線メディアアダプタ１７１２とＲＸ無線メディアアダプタ１７１６間の前回の組の伝送に基づいて、再計算された「バックオフ」時間であることが可能である。具体的には、ＴＸ無線メディアアダプタ１７０６の「バックオフ時間」は、ＲＸ無線メディアアダプタ１７１６によって伝送される「接続要求確認通知」メッセージの後に再計算される。あるいは、ＴＸ無線メディアアダプタ１７０６の「バックオフ時間」は、ＴＸ無線メディアアダプタ１７０６にバックチャンネルが空いている旨を通知するＴＸ無線メディアアダプタ１７１２により伝送されるメッセージに基づくことができる。さらに、ＴＸ無線メディアアダプタ１７０６の「バックオフ時間」は、ＲＸ無線メディアアダプタ１７１６によってブロードキャストされる最新の周期的な「ハロー」メッセージに基づくことができる。バックオフ時間は、ＴＸ無線メディアアダプタ１７１２とＲＸ無線メディアアダプタ１７１６間のアドレスまたは能力情報の最新の双方向の交換にも基づくことができる。
【００９８】
ＲＸ無線メディアアダプタ１７１６は、「自動検出時間」１７４０で示される一定の時間が終了するまで、その他のＴＸ無線メディアアダプタから「接続要求」メッセージを継続して受信する。図１７Ａに示されるように、「自動検出時間」１７４０は、第一の「接続要求」メッセージがステップ１７３０で受信された時間に対して測定される。あるいは、「自動検出時間」１７４０は、ステップ１７２６で第一の「ハロー」メッセージが送信された時間に対して測定されることができる。「自動検出時間」１７４０は、各ＴＸ無線メディアアダプタがバックチャンネルを占拠する機会を持つ前に終了することができる。例えば、「自動検出時間」１７４０は、およそ１００ミリ秒に設定可能で、ＴＸ無線メディアアダプタがＲＸ無線メディアアダプタ１７１６からの「ハロー」メッセージへ応答することに成功しないことがあっても、自動接続プロセスが開始できるようにする。あるいは、「自動検出時間」は、特定されないことも可能であり、全てのＴＸ無線メディアアダプタは、自動接続プロセスの開始前にＲＸ無線メディアアダプタ１７１６と通信できるようにする。
【００９９】
本発明の局面によると、バックチャンネル上で伝送される各メッセージまたはメッセージフレームは、受信の確認通知を要求または要請することができる。例えば、ＴＸ無線メディアアダプタは、バックチャンネルを占拠しようと試みる場合に、「ハロー」メッセージに対する応答が確認通知されることを要求することができる。ゆえに、特定のフレームまたはメッセージが確認通知されない場合、ＴＸ無線メディアアダプタは、設定されたフレームの数または設定された待機時間後にその応答を再試行または再伝送することができる。所定の数の再試行がそれぞれ成功しない場合、ＴＸ無線メディアアダプタは、チャンネルを占拠する試みが失敗したと判断することができる。したがって、ＴＸ無線メディアアダプタは、競合プロセス（例えば、「バックオフ」時間の再計算）を再開し、自動検出時間が終了するまでチャンネルを占拠しようと試みることができる。通信メッセージおよび適切な確認通知の伝送は、例えば、ＣＥＣ規定の確認通知手順を使用して実施されることができる。
【０１００】
「自動検出時間」１７４０の終了時に、ＲＸ無線メディアアダプタ１７１６は、確定的プロセスを使用して、自動接続またはペアリングのために、識別されたメディアソース１７０４または１７１０のうちの一つを選択することができる（つまり、ＴＸ無線メディアアダプタ１７０６または１７１２経由で）。ＲＸ無線メディアアダプタ１７１６は、パーシステントメモリ内のＴＸ無線メディアアダプタの格納されたリストをメンテナンスすることができる。格納されたリストは、能力情報およびアドレス情報を含むことができる。さらに、そのリストはアドレス値に応じて配列が可能である（つまり、関連アドレスに応じてＴＸ無線メディアアダプタを順番にリストにする）。メディアソースは、例えば、メディアソース１７０４および１７１０の各々に関連するアドレス、メディアソース１７０４および１７１０の各々の能力、ならびにメディアソース１７０４または１７１０に電源が入っているか否かなどの要因に基づいて選択されることができる。例えば、選択されるメディアソースは、割り当てられたアドレスが最も低いメディアソースであることが可能である。また、メディアソースは、ＲＸ無線メディアアダプタが電源オンオフの繰り返しの事象に直面する前に、ＲＸ無線メディアアダプタ１７１６により確立された前回の接続に基づいて選択されることもできる。つまり、ＲＸ無線メディアアダプタ１７１６は、ＲＸ無線メディアアダプタ１７１６の電源が切られる直前に、前回接続されたメディアソースと再接続するように選択されることができる。
【０１０１】
メディアソースが選択されると、ＲＸ無線メディアアダプタ１７１６は、選択されたメディアソースに自動接続制御メッセージを送信する。これは、ステップ１７４０における「接続」メッセージで示される。「接続」メッセージは、ＲＸ無線メディアアダプタ１７１６からＴＸ無線メディアアダプタ１７０６に伝送される自動接続メッセージである。
【０１０２】
「接続」メッセージを受信すると、ＴＸ無線メディアアダプタ１７０６は、ステップ１７４２で「接続確認通知」メッセージを送信することができる。ステップ１７４２で「接続確認通知」メッセージを送信後、ＴＸ無線メディアアダプタ１７０６は、電源の入ったメディアソース１７０４からＲＸ無線メディアアダプタ１７１６へのいかなるメディア制御信号も中継することができる。本発明の局面によると、ＲＸ無線メディアアダプタ１７１６は、関連するメディアシンク１７１８および関連するメディアソース１７０４の電力状態に関係なく、「接続」メッセージをＴＸ無線メディアアダプタに発信することができる。あるいは、ＲＸ無線メディアアダプタ１７１６は、メディアシンク１７１８に電源が入った後にのみ「接続」メッセージを発信するように構成されることができる。さらに、ＲＸ無線メディアアダプタ１７１６は、メディアシンク１７１８の電源が入り、メディアソース１７０４の電源が入り、そしてＴＸ無線メディアアダプタ１７０６がメディアソース１７０４の電源が入ったことを示した後にのみ、「接続」メッセージを発信するように構成されることができる。
【０１０３】
ステップ１７４４において、メディアシンク１７１８に電源が入れられる。それに応じて、ステップ１７４６において、ＲＸ無線メディアアダプタ１７１６は、メディアシンク１７１８に電源が入っているか、または使用可能であることを判断する。したがって、ＲＸ無線メディアアダプタ１７１６は、メディアシンク１７１８は電源が入っていることを知らされる。
【０１０４】
ステップ１７４８において、メディアソース１７０４に電源が入れられる。それに応じて、ステップ１７５０において、電源の入った信号は、メディアソース１７０４にアサートされ、ＴＸ無線メディアアダプタ１７０６に受信される。したがって、ＴＸ無線メディアアダプタ１７０６は、メディアソース１７０４に電源が入っていることを知らされる。
【０１０５】
ステップ１７５２において、ＴＸ無線メディアアダプタ１７０６は、メディアソース１７０４に現在電源が入っている旨をＲＸ無線メディアアダプタ１７１６に知らせる。ステップ１７５４において、ＲＸ無線メディアアダプタ１７１６は、メディアソース１７０４の電力状態をメディアシンク１７１８まで中継する。ＲＸ無線メディアアダプタ１７１６は、アサートされた電力信号を複製することによってメディアソース１７０４の電力状態をメディアシンク１７１８に中継する。ステップ１７５６において、ＴＸ無線メディアアダプタ１７１６は、ＴＸ無線メディアアダプタ１７０６によって提供されたメディアソース１７０４の電力状態に関する情報の受信を確認通知する。
【０１０６】
図１７Ｂは、自動検出および自動接続プロセスの残りの動作ステップを示す。ステップ１７５８において、メディアシンク１７１８はＨＰＤ信号をアサートする。メディアシンク１７１８は、電源を入れた後のいかなる時点においてもＨＰＤ信号をアサートすることができる。それに応じて、ＲＸ無線メディアアダプタ１７１６は、ステップ１７６０においてＨＰＤ信号を「ホットプラグ検出」メッセージとしてＴＸ無線メディアアダプタ１７０６へ中継する。ステップ１７６２において、ＴＸ無線メディアアダプタ１７０６は、複製されたＨＰＤ信号をメディアソース１７０４へ提供する。ステップ１７６４において、ＴＸ無線メディアアダプタ１７０６は、「ホットプラグ検出」の受信を確認通知し、複製されたＨＰＤ信号がメディアソース１７０４に提供されたことを示す。
【０１０７】
この時点で、メディアソース１７０４は、メディアコンテンツを送信し始めるか、必要に応じてＨＤＣＰ認証プロセスを開始する。ステップ１７６６は、メディアソース１７０４からＴＸ無線メディアアダプタ１７０６までのメディアコンテンツの転送、順方向音声／映像チャンネル上でのＴＸ無線メディアアダプタ１７０６からＲＸ無線メディアアダプタ１７１６へのメディアコンテンツの無線転送、ならびにＲＸ無線メディアアダプタ１７１６からメディアシンク１７１８までのメディアコンテンツの転送を一般的に示す。ステップ１７６６は、ＴＸ無線メディアアダプタ１７０６およびＲＸ無線メディアアダプタ１７１６を介した、メディアソース１７０４とメディアシンク１７１８の間の制御情報（例えば、ＤＤＣまたはＣＥＣ情報）の双方向の交換を一般的に示す。
【０１０８】
本発明の局面によると、ステップ１７５０から１７６４は、メディアソース１７０４およびメディアシンク１７０６がメディアコンテンツの転送前にＨＰＤ信号をアサートする必要がない場合、実装する必要はない。具体的には、ステップ１７５０から１７６４は、メディアソース１７０４およびメディアシンク１７１８がＨＤＭＩまたはＤＶＩメディア装置である場合に実行されることができる。あるいは、ステップ１７５０から１７６４は、メディアソース１７０４およびメディアシンク１７１８がコンポーネントまたはアナログ（例えば、Ｓ−映像）メディア装置である場合、実行する必要はない。例えば、メディアソース１７０４およびメディアシンク１７１８がＳ−映像メディア装置である場合、順方向の無線音声／映像チャンネルは、ＴＸ無線メディアアダプタ１７０４およびＲＸ無線メディアアダプタ１７１６がステップ１７４２で接続された直後に使用可能になる。したがって、メディアコンテンツは、両方の装置に電源が入った後に、メディアソース１７０４からメディアシンク１７１８に転送されることができる。
【０１０９】
多くの場合、ＲＸ無線メディアアダプタ１７１６は、ステップ１７２６においてブロードキャストされる「ハロー」メッセージに対するいかなる応答も受信できないことがある。あるいは、ＲＸ無線メディアアダプタ１７１６は、接続されていないまたは対になっていないメディアソースを発見できない場合がある。こういった状況下においては、ＲＸ無線メディアアダプタ１７１６は、一つ以上の応答が受信されるまで、または対になっていないメディアソースを特定するまで、再びブロードキャストすることができる（周期的または非周期的なプロセスによって）。ＲＸ無線メディアアダプタ１７１６は、伝送範囲内におけるその他の同様の／対の片方のコンテンツソース／シンクに干渉しないように十分低い率で「ハロー」メッセージを再びブロードキャストすることができる。
【０１１０】
本発明の局面によると、ＴＸ無線メディアアダプタ１７０６とＲＸ無線メディアアダプタ１７１６の間の接続は、メディアシンク１７０４および／またはメディアソース１７１８の電源が切られる場合に保持されることが可能である。このようなシナリオ下において、ＴＸ無線メディアアダプタ１７０６およびＲＸ無線メディアアダプタ１７１８は待機モードに入ることができる。待機中、バックチャンネルは、引き続きアクティブであることが可能であるが、順方向無線音声／映像チャンネルは、消費電力の低減が不可能になる。
【０１１１】
ＴＸ無線メディアアダプタ１７０６およびＲＸ無線メディアアダプタ１７１８は、特定の時間周期で、メディアコンテンツがメディアソース１７０４から検出または受信されない場合に待機状態に入ることもできる。ＴＸ無線メディアアダプタ１７０６およびＲＸ無線メディアアダプタ１７１８は、音声または映像データがメディアソース１７０４から検出されると、待機状態から抜け出すことができる。または、ＴＸ無線メディアアダプタ１７０６およびＲＸ無線メディアアダプタ１７１８は、確立された制御チャンネル（例えば、ＣＥＣバス）の上で搬送される制御メッセージをスヌープ（ｓｎｏｏｐｉｎｇ）またはオーバーヒア（ｏｖｅｒｈｅａｒｉｎｇ）することによって待機モードを出入りすることができる。
【０１１２】
あるいは、ＴＸ無線メディアアダプタ１７０６とＲＸ無線メディアアダプタ１７１６の間の接続は、メディアシンク１７０４および／またはメディアソース１７１８の電源が切られる際に破棄されることができる。当業者に正しく理解されるように、そのような事象を検出するために、さまざまな機構がＴＸ無線メディアアダプタ１７０６および／またはＲＸ無線メディアアダプタ１７１６によって用いられることができる。例えば、ＲＸ無線メディアアダプタ１７１６は、ＴＸ無線メディアアダプタ１７０６からＲＸ無線メディアアダプタ１７１８へ伝送される信号の電力を監視することができる。検出された信号の電力が既定の閾値を下回る場合、ＲＸ無線メディアアダプタ１７１６は、接続が切れたと判断することができる。あるいは、バックチャンネルは、ＴＸ無線メディアアダプタ１７０６とＲＸ無線メディアアダプタ１７１６の間で周期的なビーコンを搬送するために使用されることが可能である。ゆえに、ビーコンが検出されない場合、対応する無線メディアアダプタは、関連するメディア装置の電源が切れたという結論を出すことができる。
【０１１３】
本発明の局面によると、ＲＸ無線メディアアダプタ１７１６は、メディアソース１７０４またはＴＸ無線メディアアダプタ１７０６の電源が切れる場合に、自動検出プロセスを再開するように構成されることができる。またはＲＸ無線メディアアダプタ１７１６は、自動接続プロセスを再開し、前回の自動検出プロセス中に決定された情報に基づいてＴＸ無線メディアアダプタと接続することができる。このようにして、ＲＸ無線メディアアダプタ１７１６は、ＲＸ無線メディアアダプタ１７１６により既に発見または列挙されたＴＸ無線メディアアダプタに接続できる。
【０１１４】
本発明の局面によると、ＲＸ無線メディアアダプタ１７１６は、ＲＸ無線メディアアダプタ１７１６の電源が切られて電源を入れられた場合（つまり、電源オンオフの繰り返しの場合）に、自動検出プロセスを再開することができる。あるいは、ＲＸ無線メディアアダプタ１７１６は、電源オンオフの繰り返し事象の直前に、ＲＸ無線メディアアダプタ１７１６が前回接続されたＴＸ無線メディアアダプタ／メディアソースに再接続することができる。
【０１１５】
ＴＸ無線メディアアダプタ１７０６は、ＲＸ無線メディアアダプタ１７１６またはメディアシンク１７１８の電源が切れる場合に、無線のメディアコンテンツの伝送を停止するように構成されることもできる。ＴＸ無線メディアアダプタ１７１６は、「ハロー」メッセージまたは「接続メッセージ」をＲＸ無線メディアアダプタから受信するまで伝送を停止するようにさらに構成されることもできる。
【０１１６】
本発明の局面によると、対になった（自動接続された）接続は、ＴＸ無線メディアアダプタ１７０６またはＲＸ無線メディアアダプタ１７１６によって中止または中断されるまで持続されることができる。例えば、各ＲＸ無線メディアアダプタは、例えば、消費者またはエンドユーザーがＴＸ無線メディアアダプタを切替えるために使用できるボタンなどのユーザーインターフェースを備えることができる。ボタンが押されるたびに、ＲＸ無線メディアアダプタは、現在対になっているＴＸ無線メディアアダプタとの接続を切り、新しいまたは異なるＴＸ無線メディアアダプタと接続することができる。新しいＴＸ無線メディアアダプタと接続するために、ＲＸ無線メディアアダプタ１７１６は、自動検出プロセスを再開することができる。または、ＲＸ無線メディアアダプタ１７１６は、自動接続プロセスを再開し、前回の自動検出プロセス中に判断された情報に基づいてＴＸ無線メディアアダプタと接続することができる。このようにして、ＲＸ無線メディアアダプタ１７１６は、ＲＸ無線メディアアダプタにより既に発見またはリストアップされたＴＸ無線メディアアダプタに接続できる。例えば、ＲＸ無線メディアアダプタ１７１６は、列挙または検出されたＴＸ無線メディアアダプタの格納されたリストまたは表に記載された次のＴＸ無線メディアアダプタに接続することができる。
【０１１７】
本発明の局面によると、ＲＸ無線メディアアダプタは、バックチャンネル（例えば、ＣＥＣチャンネル）をスヌープし、チャンネル上を伝送される情報に基づいて既存の接続または対を変更することができる。さらにＲＸ無線メディアアダプタは、赤外線（ＩＲ）、８０２．１１、またはＺｅｎｓｙｓの接続チャンネルを含むがそれだけに限定されない代わりの有線または無線のチャンネル上で受信される情報またはコマンドに基づいて接続を変更することができる。
【０１１８】
本発明の局面によって提供される前述の自動ペアリング／接続の機構は、ソフトウェアでプログラム可能なプロセッサを使用せず、半導体回路を使用して実装されることができる。つまり、本発明の局面によるＲＸおよびＴＸ無線メディアアダプタの両方は、メモリから制御データベクトルを読み込む固定状態の機械（プロセッサー）を使用することができる。次に、制御ベクトルの所定のフィールド（つまり、ビットフィールド）は、半導体回路において制御信号を直接作動させ、本発明の局面の上記の自動ペアリング／接続機構を実装できるようにする。
【０１１９】
本発明の局面によると、自動の機構ではなく手動の機構が、コンテンツソースとコンテンツシンクを無線で対にする／接続するために使用される。例えば、外部制御データは、ＲＸ無線メディアアダプタに受信されることができる。外部制御データは、対にする／接続するＴＸ無線メディアアダプタの論理的および物理的な識別子を示すことができる。特定のＴＸ無線メディアアダプタが既に対にされ／接続されている場合、ＲＸ無線メディアアダプタは、特定の論理的および物理的な識別子とともに対解除／接続切断の制御データを、選択されたＴＸ無線メディアアダプタに無線で送信することによって既存のペアリング／接続を中止するように構成されることができる。その後、ＲＸ無線メディアアダプタは、特定の論理的および物理的な識別子とともにペアリング／接続の制御データを、選択されたＴＸ無線メディアアダプタに無線で送信することによって、選択されたＴＸ無線メディアアダプタと対になり／接続することができる。
Ｆ．本発明の実施形態に係る、コンテンツソースからコンテンツシンクへの高精細度コンテンツ再伝送の禁止
本発明の実施形態によると、コンテンツソースからコンテンツシンクへの高精細度コンテンツの再伝送は許可されていない。したがって、例えば、図１のシステム１００を引き続き参照すると、コンテンツソース１０２およびコンテンツシンク１０４は、コンテンツソース１０２が、コンテンツシンク１０４に既に伝送された高精細度コンテンツの再転送を実施しないように、本発明の実施形態に基づいて構成される。
【０１２０】
既存および既知の提案されている高精細度コンテンツの転送のための無線の方法は、再伝送を実施する能力を備える。このような方法の例として、８０２．１１および提案される８０２．１５．３ａ規格が挙げられる。再伝送に対応するためにはコンテンツソースおよびコンテンツシンクにおいて、バッファおよび処理論理などの追加の大幅な複雑性が要求されるので、本発明の実施形態により再伝送を許可されないことは有利になる。さらに、再転送により、コンテンツシンクにおいて知覚コンテンツ品質を低下させるレイテンシも加わる。さらに、再転送によって、確認通知／否定確認通知の必要性ならびにいくらかのパッケットデータを何度も送信するという必要性から、スループットが下がる。レイテンシにより制限されるストリーミングシステムにおいて、データを再転送することは受信機にとって有用でない場合がある。
Ｇ．本発明の実施形態に係る、一定のブロックサイズおよび一定の演算パラメータの使用
本発明の実施形態に係る、高精細度コンテンツの転送用に設計される無線通信システムにおいて、一定のブロックサイズおよび一定の演算パラメータは、あらゆる送信および受信プロセスブロックに関して使用される。したがって、例えば、図１のシステム１００を引き続き参照すると、コンテンツソース１０２およびコンテンツシンク１０４は、本発明の実施形態に基づいて構成され、一定のブロックサイズおよび一定の演算パラメータが、コンテンツソース１０２とコンテンツシンク１０４の間で伝送される送信および受信プロセスブロックに関して使用される。従来技術のシステムは、可変サイズのブロックおよび可変パラメータを備える。発明の方法により、プロセス実施の複雑性の軽減が可能になる。
Ｈ．本発明の実施形態に係るエラー制御符号化
本発明の実施形態は、コンテンツソースとコンテンツシンクの間の無線通信のために、非圧縮のまたは可逆圧縮された高精細度コンテンツを処理するために必要とされる誤り率（例えば、ＨＤＭＩに対し１０−９ピクセルエラー率）で、１ｄＢ内の最良の符号で実行するエラー制御符号を使用する。これにより、認証されないユーザーにより伝送される信号が検出および／または利用され得る範囲を制限することによって安全性が改善される。また、これにより、専用の無線チャンネルを使用することができる対の送信機／受信機の密度が改善される（つまり、最大限に周波数を再利用する）。
【０１２１】
例えば、低密度パリティ検査（ＬＤＰＣ）符号が、上に説明する利点を達成するためにエラー制御符号として使用されてもよい。特定の実施形態において、長さＬ＝４０９６で率Ｒ＝０．８であるＬＤＰＣ符号が使用される。この符号は、１０−９ビット誤り率が必要とされると仮定すると、ビタビ復号に関して拘束長Ｋ＝７であり、８０２．１５．３ａにおいて最速のデータ転送速度である４８０Ｍｂｐｓに対応するよう提案されるＲ＝０．７５である畳み込み符号に比べて５ｄＢ優れて実行する。符号および伝送電力レベル以外は全て同一であるシステムを仮定すると、Ｒ＝０．８でＬ＝４０９６である符号は、Ｒ＝０．７５でＫ＝７である畳み込み符号を有し、伝送電力が３．１〜４．８ＧＨｚ帯域を可能にする最大ＦＣＣを使用して設計されるシステムよりも５．２ｄＢ小さい電力で動作を可能にする。これは、以下の表１に記載されるリンクバジェット分析に示される。リンクバジェット分析は、性能を評価するために技術者が用いる共通のツールである。
【０１２２】
【表１】
2008533913.tif 000002
Ｉ．本発明の実施形態に係る、周波数ホッピングの使用
本発明の実施形態によると、周波数ホッピングは、電力制限を適用するＦＣＣチャンネル（例えば、超広帯域の３．１−１０．６ＧＨｚ）上のコンテンツソースとコンテンツシンクの間の無線通信に用いられる。これによって、ホッピング率に反比例して、ＦＣＣ特定平均電力上で最大の送信機電力の増加が可能になる。
【０１２３】
周波数ホッピングは、公知のまたはコンテンツソースおよびコンテンツシンクによって適応的に決定されるパターンで、動的に周波数を切り替えることをいう。例えば、そのパターンは、直交配列表、あらゆる可能な中心周波数を掃引すること、送信機および受信機の両方に既知である疑似ノイズパターンに基づいて周波数を選択すること、送信機に周波数を選択させて受信機にその周波数を決定させること、または受信機にバックチャンネルを使用させて周波数を特定することを含む。本実施形態に基づき周波数ホッピングを用いることによって、ダイバーシティ利得も提供することができる。
【０１２４】
さらなる実施形態において、上記の方法は、多数のアンテナをコンテンツソースおよび／またはコンテンツシンクで使用することによって拡張適用され、いくつかの点と点とのリンクを同時に搬送することが可能になる。例えば、実施形態において、コンテンツソースおよび／またはコンテンツシンクは、いくつかの点と点とのリンクを同時に搬送することを可能にする多重入出力（ＭＩＭＯ）アンテナシステムを備える。
【０１２５】
またさらなる実施形態において、上記の方法は、多数の直交周波数ホッピングシステムを使用して拡大適用され、帯域で同時に動作するいくつかの二地点間リンクを可能にする。図１８は、本発明の実施形態に係る、多数の直交周波数ホッピングを用いるシステム１８００を示す。図１８に示されるように、システム１８００は、コンテンツシンク１８１０との通信のために周波数帯域を共有する３つのコンテンツソース１８０２、１８０４、および１８０６を備える。実施形態において、これらのソースの各々は、決定論的パターンに基づいて、ｆ１、ｆ２、およびｆ３でそれぞれ表示される帯域内の三つのチャンネルで周波数ホッピングを行うが、同一の周波数上で同時に搬送はしない。実施形態において、決定論的パターンは、各コンテンツソースに関連するアドレスおよびコンテンツシンク１８１０から提供される同期に基づいている。このようなシステムを実装するための周知の方法として、直交配列表の列を一意に特定するためにソースアドレスを使用し、次に、特定の時間の間使用されるべき周波数を決定するために読み込まれる方法がある。
【０１２６】
また別の実施形態において、上記の方法は、コンテンツソースとコンテンツシンクの間のＲＦ通信のために、時間ダイバーシティ、空間ダイバーシティ、偏波ダイバーシティ、または周波数ダイバーシティなどの受信および／または送信ダイバーシティを用いることによって拡大適用される。例えば、２つの送信アンテナを用いて空間ダイバーシティを提供される、一般に使用される送信ダイバーシティは、対の複素数データシンボル［ｓ０，ｓ１］が処理されて、一つのアンテナより伝送される［ｓ０，−ｓ１＊］および第二のアンテナより伝送される［ｓ１，ｓ０＊］を生成するＡｌａｍｏｕｔｉ符号化であり、ここで＊は、共役変換を示す。空間ダイバーシティが二つ以上の受信アンテナを用いて提供される場合、Ａｌａｍｏｕｔｉの符号化された送信信号は、［ｓ０，ｓ１］を共同で生成するように処理される。受信機がこれらの値を計算するために用いることのできる多くのアルゴリズムが存在する。例えば、最尤（ＭＬ）復号を用いてもよい。
【０１２７】
図１９は、送受信ダイバーシティが、コンテンツソースとコンテンツシンクの間のＲＦ通信のために使用される本発明の例示的実施形態を示す。図１９に示されるように、コンテンツソースは、Ａｌａｍｏｕｔｉダイバーシティ符号化を複素数データシンボル［ｓ０，ｓ１］について実施するためのロジック１９０６を備え、第一のアンテナ１９０２より伝送される［ｓ０，−ｓ１＊］および第二のアンテナ１９０４より伝送される［ｓ１，ｓ０＊］を生成する。コンテンツシンクは、送信された信号を受信するための二つのアンテナ１９１２および１９１４、ならびに受信信号を処理し、
【０１２８】
【数１】
2008533913.tif 000003
で示される［ｓ０，ｓ１］を生成するＭＬ／ＭＡＰ復号ロジック１９１６を備える。
Ｊ．本発明の実施形態に係る、通信パラメータの適応調整
少なくとも図１３および１４を参照して上で説明されるように、本発明の実施形態は、コンテンツソースとコンテンツシンクの間でＭＡＣ情報およびマルチメディア信号を通信するために、高精細度コンテンツを搬送するのに使用されるものとは別の周波数領域上で動作するバックチャンネルを利用する。本発明のさらなる実施形態によると、バックチャンネルは、コンテンツソースおよび／またはコンテンツシンクによって使用される情報も搬送し、高精細度コンテンツをさらに確実におよび／またはさらに効率的に転送させるのに使用される通信パラメータを適応的に調整する。
【０１２９】
例えば、本発明の実施形態において、コンテンツシンクは、受信信号の品質を監視し、この品質を伝達するデータをバックチャンネル上で伝送する。受信信号の品質は、例えば、信号対ノイズの率（ＳＮＲ）の観点から測定されてもよい。信号の品質データに基づいて、コンテンツソースの送信機部分は、変調および符号化パラメータを決定する。例えば、コンテンツソースとコンテンツシンクの間の通信に関して直交周波数分割多重（ＯＦＤＭ）を実施する実施形態において、特定のＯＦＤＭのサブ搬送波が大きいＳＮＲを有する場合、１６−ＱＡＭまたは６４−ＱＡＭなどの高次変調フォーマットがこのサブ搬送波に高い信頼性をもって使用され得る。高次変調を有するサブ搬送波は、ＢＰＳＫまたはＱＰＳＫで変調されるサブ搬送波で伝達されるよりも多くの情報を伝達する。したがって、高次変調を導入することによって、スループットを改善することが可能である。
Ｋ．本発明の実施形態に係る、ホットプラグ検出（ＨＰＤ）信号情報の伝送
本発明の実施形態によると、コンテンツシンクによって生成されるホットプラグ検出（ＨＰＤ）に関する情報は、コンテンツソースに無線で伝送される。コンテンツソースは、例えば、コンテンツシンクとの接続を確立することが可能であるか否か、またはソースとシンクの間で接続が既に確立されたか否か、またはそれらの接続を切るべきかどうかを決定するために、この情報を使用してもよい。
【０１３０】
そのような一実施形態によると、コンテンツシンク内で関連するＲＸ無線メディアアダプタは、コンテンツシンクによって生成されるＨＰＤ信号を周期的にサンプリングし、そこから現在の状況（オン／オフ）を検出する。次に、ＨＰＤ信号の状態を示す制御データが生成されて、コンテンツソースに関連する接続されているＴＸ無線メディアアダプタに無線で伝送される。ＴＸ無線メディアアダプタは、制御情報を復号化し、ＨＰＤ信号は、現在の状況がオンまたはオフか否かに応じて再び生成される。
【０１３１】
代替実施形態において、コンテンツシンクに関連するＲＸ無線メディアアダプタは、コンテンツシンクによって生成されるＨＰＤ信号を周期的にサンプリングし、現在の状況（オン／オフ）が変化したか否かに関する判断を下す。ＨＰＤ信号の状態が変更した場合のみ、その状態が変化したことを示す制御データが生成されて、コンテンツソースに関連する接続されているＴＸ無線メディアアダプタに伝送される。ＴＸ無線メディアアダプタは、制御情報を復号化し、ＨＰＤ信号は、現在の状況がオンまたはオフか否かに応じて再び生成される。
Ｌ．本発明の実施形態に係る、遷移時間最短差動信号伝送方式（ＴＭＤＳ）復号化および符号化の性能
本発明の実施形態は、コンテンツソースとコンテンツシンクの間の無線ＨＤＭＩインターフェースを実装するために、遷移時間最短差動信号伝送方式（ＴＭＤＳ）復号化および符号化の動作を行う。例えば、ＴＸ無線メディアアダプタは、この実装に基づいて、ＴＭＤＳ符号化信号を受理し、映像データ周期、データアイランド周期、および制御周期を含むメディアトランスポートストリームを抽出するために、ＴＭＤＳ復号化を実行し、データを再フォーマットしてクロックデータを抽出し、そして再フォーマットされたデータおよびクロック速度およびその他の制御情報を伝達する情報を無線で転送する。ＲＸ無線メディアアダプタは、この実装に基づいて、再フォーマットされたデータおよびクロック速度情報を受信し、ソースクロックを生成するためにクロック情報を処理し、データを再構成してそれを映像データ周期、データアイランド周期、および制御周期に分け、そしてクロックおよび復旧データを使用してＴＭＤＳの符号化を実施する。
【０１３２】
図２０の図を参照してさらに詳しくこのプロセスを説明する。図２０において、メディア送信機は、メディアソース２００２、ＴＭＤＳ送信機２００４、およびＴＸ無線メディアアダプタ２００６としてモデル化され、ここで、ＴＸ無線メディアアダプタ２００６は、ＴＭＤＳ受信機２０２０および無線送信機２０２２を備える。同様に、メディア受信機は、メディアシンク２０１２、ＴＭＤＳ受信機２０１０、およびＲＸ無線メディアアダプタ２００８としてモデル化され、ここで、ＲＸ無線メディアアダプタ２００８は、無線受信機２０２４およびＴＭＤＳ送信機２０２６を備える。
【０１３３】
図２０に示されるように、そのプロセスは、メディアソース２００２がデータ、制御信号、およびクロックを生成するステップ２０４０で開始する。ステップ２０４２において、ＴＭＤＳ送信機２００４は、データおよび制御信号をＨＤＭＩパケットに符号化し、そのパケットをシリアル化させてシリアルクロックを生成する。ステップ２０４４において、ＴＸ無線メディアアダプタ２００６内のＴＭＤＳ受信機２０２０は、クロックを戻し、ＨＤＭＩパケットをデータおよび制御信号に復号化する。ステップ２０４６において、無線送信機２０２２は、データおよび制御信号、ならびにクロック速度に関する情報を無線で伝送するために符号化する。ステップ２０４８において、符号化された情報は無線で伝送される。
【０１３４】
ステップ２０５０において、ＲＸ無線メディアアダプタ２００８内の無線受信機２０２４は、伝送された情報を受信し、それをデータおよび制御信号に復号化し、そしてそこからクロックを再生成する。ステップ２０５２において、ＴＭＤＳ送信機２０２６は、データおよび制御信号をＨＤＭＩパケットに符号化し、パケットをシリアル化してシリアルクロックを生成する。ステップ２０５４において、ＴＭＤＳ受信機２０１０はクロックを戻し、ＨＤＭＩパケットを非シリアル化および復号化してデータおよび制御信号にする。ステップ２０５６において、メディアシンク２０１２はデータ、制御データ、およびクロックをＴＭＤＳ受信機２０１０から受信する。
【０１３５】
当業者に正しく理解されるように、前述のプロセスは、ＨＤＭＩパケットを生成するメディアソース／ＴＭＤＳ送信機、ならびにＨＤＭＩパケットを受信するＴＭＤＳ受信機／メディアシンクの観点から説明されたが、そのプロセスは、通常、ＤＶＩパケットを生成するメディアソース／ＴＭＤＳ送信機、ならびにＤＶＩパケットを受信するＴＭＤＳ受信機／メディアシンクにも適用可能である。
Ｍ．本発明の実施形態に係る、Ｉ２Ｃ復号化および符号化動作の性能
本発明の実施形態は、コンテンンツソースとコンテンツシンク間の無線ＨＤＭＩインターフェースを実施するために、集積回路間（Ｉ２Ｃ）復号化および符号化動作を実施する。Ｉ２Ｃ復号化および符号化動作は、ディスプレイデータチャンネル（ＤＤＣ）チャンネルの受信、復号化、伝送に対応するために、必要に応じて実行される。例えば、この実装によるＴＸ無線メディアアダプタは、Ｉ２Ｃ符号化信号を受理し、Ｉ２Ｃ符号化信号をデータに復号化し、そのデータを再フォーマットし、そしてその再フォーマットしたデータを無線で転送する。この実装によるＲＸ無線メディアアダプタは、無線で転送された再フォーマットしたデータを受信し、そのデータを再構成し、そしてその復旧データを使用してＩ２Ｃ符号化を実行する。
【０１３６】
例示として、図２１は、従来技術のシステムが、ケーブル２１０６を介して接続されたメディアソース２１０２とメディアシンク２１１０間のＤＤＣチャンネルを実装するプロセスを示す。図２１に示されるように、メディアソース２１０２は、第一のＨＤＭＩインターフェース２１０４を介してケーブル２１０６に接続され、メディアシンク２１１０は第二のＨＤＭＩインターフェース２１０８を介してケーブル２１０６に接続される。
【０１３７】
そのプロセスは、メディアソース２１０２がＤＤＣ読み込み／書き込みデータおよび制御パケットを生成するステップ２１２０で開始する。このプロセスのために、メディアソース２１０２はＤＤＣチャンネルのマスターの役割を果たし、メディアシンク２１１０はスレーブの役割を果たす。ステップ２１２２で、ＨＤＭＩインターフェース２１０４は、ＤＤＣパケットをＩ２Ｃバス読み込み／書き込みトランザクションに符号化する。ステップ２１２４で、Ｉ２Ｃトランザクションは、Ｉ２Ｃバス上で搬送される。ステップ２１２６で、ＨＤＭＩインターフェース２１０８は、Ｉ２Ｃトランザクションを受信し、ＤＤＣパケットに復号化する。ステップ２１２８において、メディアシンク２１１０は、ＤＤＣ読み込み／書き込みデータおよび制御パケットを受信する。この時点で、メディアシンク２１１０は、双方向の矢印２１３０で表示されるＩ２Ｃバス上で追加のトランザクションを開始する応答情報をＤＤＣチャンネル上で返送してもよい。
【０１３８】
一方、図２２は、本発明の実施形態に係る、ＤＤＣチャンネルが、無線ＨＤＭＩインターフェースを介して接続されたコンテンツソースとコンテンツシンクの間で実装されるプロセスを示す。図２２において、メディア送信機は、ＨＤＭＩインターフェース２２０４によってＴＸ無線メディアアダプタ２２０６に接続されるメディアソース２２０２としてモデル化され、ここでＴＸ無線メディアアダプタ２２０６は、ＨＤＭＩインターフェース２２１４および無線送信機２２１６を備える。同様に、メディア受信機は、ＨＤＭＩインターフェース２２１０によってＲＸ無線メディアアダプタ２２０８に接続されるメディアシンク２２１２としてモデル化され、ここで、ＲＸ無線メディアアダプタ２２０８は、無線受信機２２１８およびＨＤＭＩインターフェース２２２０を備える。
【０１３９】
図２２のプロセスは、メディアソース２２０２がＤＤＣ読み込み／書き込みデータおよび制御パケットを生成するステップ２２３０で開始する。このプロセスのために、メディアソース２２０２はＤＤＣチャンネルのマスターの役割を果たし、メディアシンク２２１２はスレーブの役割を果たす。ステップ２２３２で、ＨＤＭＩインターフェース２２０４は、ＤＤＣパケットをＩ２Ｃバス読み込み／書き込みトランザクションに符号化する。ステップ２２３４で、ＴＸ無線メディアアダプタ２２０６内のＨＤＭＩインターフェース２２１４は、Ｉ２ＣトランザクションをＤＤＣパケットに復号化する。ステップ２２３６において、ＴＸ無線メディアアダプタ２２０６内の無線送信機２２１６は、データおよび制御パケットを、無線伝送のために符号化する。ステップ２２３８において、符号化されたデータおよび制御パケットは無線で伝送される。
【０１４０】
ステップ２２４０において、ＲＸ無線メディアアダプタ２２０８内の無線受信機２２１８は、符号化されたデータおよび制御パケットを受信して、復号化する。ステップ２２４２において、ＲＸ無線メディアアダプタ２２０８内のＨＤＭＩインターフェース２２２０は、ＤＤＣパケットをＩ２Ｃバス読み込み／書き込みトランザクションに符号化する。ステップ２２４４において、ＨＤＭＩインターフェース２２１０は、Ｉ２ＣトランザクションをＤＤＣパケットに復号化する。ステップ２２４６において、メディアシンク２２１２は、ＤＤＣ読み込み／書き込みデータおよび制御パケットを受信する。この時点で、メディアシンク２２１２は、双方向の矢印２２４８で表示される無線での追加のトランザクションを開始する応答情報をＤＤＣチャンネル上で返送してもよい。
【０１４１】
当業者に正しく理解されるように、前述のプロセスは、ＨＤＭＩインターフェース有するメディアソースおよびメディアシンクの観点から説明されているが、前述のプロセスは、通常、ＤＶＩインターフェースを有するメディアソースおよびメディアシンクにも適用可能である。
【０１４２】
図３４Ａおよび３４Ｂは、本発明の局面に係る、ＤＤＣチャンネルを形成するために、バイト単位ベースにおける汎用コンテンツソースと汎用コンテンツシンクの間のＩ２Ｃ信号の無線中継を示す。バイト（つまり８ビット）は、その全体が参照することにより本明細書に援用されるＩ２Ｃバス仕様２．１のセクション７に記載されるように、Ｉ２Ｃバス上を転送されることができる情報の最小単位である。バイト単位ベースのＩ２Ｃプロトコルの無線中継は、ＤＤＣデータおよび制御情報の交換を提供することによって、汎用コンテンツソースと汎用コンテンツシンクの間のデジタルメディアインターフェース（例えば、ＨＤＭＩまたはＤＶＩインターフェース）の一部を提供する。
【０１４３】
図３４Ａに示されるように、コンテンツソース３４０２は、メディアソース３４０４およびＴＸ無線メディアアダプタ３４０６を備える。ＴＸ無線メディアアダプタ３４０６は、ＨＤＭＩインターフェース３４０８および無線送受信機３４１０をさらに備える。ＨＤＭＩインターフェース３４０８および無線送受信機３４１０は、データリンク３４１２−Ａ上でデータ情報を交換し、制御リンク３４１２−Ｂ上で制御情報を交換する。データリンク３４１２−Ａおよび制御リンク３４１２−Ｂは、Ｉ２Ｃバスのように構成されることができる。
【０１４４】
メディアソース３４０４およびＨＤＭＩインターフェース３４０８は、Ｉ２Ｃバス上を通信する。具体的には、メディアソース３４０４およびＨＤＭＩインターフェース３４０８は、Ｉ２Ｃバス仕様バージョン２．１のセクション７に記載されるように、シリアルデータライン（ＳＤＡ）３４１４−Ａ上でデータおよび制御情報を交換する。メディアソース３４０４およびＨＤＭＩインターフェース３４０８を接続するＩ２Ｃバスは、Ｉ２Ｃプロトコルによって規定されるように、シリアルクロックライン（ＳＣＬ）３４１４−Ｂも備える。
【０１４５】
図３４Ａにさらに示されるように、コンテンツシンク３４１６は、メディアシンク３４１８およびＲＸ無線メディアアダプタ３４２０を備える。ＲＸ無線メディアアダプタ３４２０は、ＨＤＭＩインターフェース３４２２および無線送受信機３４２４をさらに備える。ＨＤＭＩインターフェース３４２２および無線送受信機３４２４は、データリンク３４２６−Ａ上でデータ情報を交換し、制御リンク３４２６−Ｂ上で制御情報を交換する。データリンク３４１２−Ａおよび制御リンク３４１２−Ｂは、Ｉ２Ｃバスのように構成されることができる。
【０１４６】
メディアシンク３４１８およびＨＤＭＩインターフェース３４２２は、Ｉ２Ｃバス上を通信する。具体的には、メディアシンク３４１８およびＨＤＭＩインターフェース３４２２は、Ｉ２Ｃバス仕様バージョン２．１のセクション７に記載されるように、ＳＤＡ３４２８−Ａ上でデータおよび制御情報を交換する。メディアシンクＨＤＭＩインターフェース３４２２を接続するＩ２Ｃバスは、Ｉ２Ｃプロトコルによって規定されるように、ＳＣＬ３４２８−Ｂも備える。
【０１４７】
無線送受信機３４１０および無線送受信機３４２４は、無線制御チャンネル３４３０上で通信する。無線制御チャンネル３４３０は、図１３および１４に関連して前述の説明でより十分に記載されるバックチャンネルである場合がある。データおよび制御情報は、無線制御チャンネル３４３０上でＲＸ無線メディアアダプタ３４０６とＴＸ無線メディアアダプタ３４２０の間において交換される。
【０１４８】
ＤＤＣチャンネルは、本発明の局面によると、メディアソース３４０４とメディアシンク３４１８の間で確立され、メディアソース３４０４がメディアシンク３４１８にＨＤＭＩメディアコンテンツをＨＤＭＩ仕様に基づいて提供できるようにする。ＤＤＣデータおよび制御情報は、ＴＸ無線メディアアダプタ３４０６およびＲＸ無線メディアアダプタ３４２０を使用してＩ２Ｃ情報を無線で中継することによって、メディアソース３４０４とメディアシンク３４１８の間で交換される。本発明の局面によると、Ｉ２Ｃ情報は、一度に一バイト中継される。ＴＸ無線メディアアダプタ３４０６とＲＸ無線メディアアダプタ３４２０の間で中継されるＩ２Ｃ情報のバイトは、ＤＤＣデータまたは制御情報がメディアソース３４０４とメディアシンク３４１８の間で交換されることを可能にするＩ２Ｃトランザクションの一部である。このようにして、ＤＤＣチャンネルは、メディアソース３４０４とメディアシンク３４１８の間で形成される。
【０１４９】
したがって、本発明の局面によると、ＴＸ無線メディアアダプタ３４０６は、（ａ）Ｉ２Ｃプロトコルに従ってフォーマットされた信号をメディアソース３４０４から受信する、（ｂ）受信したＩ２Ｃ信号を無線伝送に適したフォーマットに変換する、ならびに（ｃ）変換されたＩ２Ｃ信号をＲＸ無線メディアアダプタ３４２０に無線で送信するように構成される。さらに、ＴＸ無線メディアアダプタ３４０６は、（ａ）符号化されたＩ２Ｃ信号を含む無線信号を、ＲＸ無線メディアアダプタ３４２０から受信する、（ｂ）受信した無線信号を復号化してＩ２Ｃ信号に戻す、ならびに（ｃ）戻されたＩ２Ｃをメディアソース３４０４に提供するように構成される。
【０１５０】
同様に、本発明の局面によると、ＲＸ無線メディアアダプタ３４２０は、（ａ）Ｉ２Ｃプロトコルに従ってフォーマットされた信号をメディアシンク３４１８から受信する、（ｂ）受信したＩ２Ｃ信号を無線伝送に適切なフォーマットに符号化する、ならびに（ｃ）符号化されたＩ２Ｃ信号をＴＸ無線メディアアダプタ３４０６に無線で送信するように構成される。さらに、ＲＸ無線メディアアダプタ３４２０は、（ａ）符号化されたＩ２Ｃ信号を含む無線信号を、ＴＸ無線メディアアダプタ３４０６から受信する、（ｂ）受信した無線信号を復号化してＩ２Ｃ信号に戻す、ならびに（ｃ）戻されたＩ２Ｃをメディアシンク３４１８に提供するように構成される。
【０１５１】
前述のとおり、図３４Ａおよび３４Ｂは、本発明の局面による、メディアソース３４０４とメディアシンク３４１８の間のＤＤＣチャンネルを形成するように、ＴＸ無線メディアアダプタ３４０６とＲＸ無線メディアアダプタ３４２０の間において、バイト単位ベースでＩ２Ｃ情報を無線で中継するための動作ステップを一般的に示す。具体的には、図３４Ａおよび３４Ｂは、バイト単位ベースでメディアソース３４０４とメディアシンク３４１８の間において実行されるＩ２Ｃ書き込みトランザクションを容易にするＴＸ無線メディアアダプタ３４０６およびＲＸ無線メディアアダプタ３４２０を示す。しかしながら、本発明の本局面は、以下の動作説明だけに限定されない。むしろ、当業者には、本明細書の教示によりその他の動作制御フローが本発明の範囲と精神の範囲内にあることが明らかであろう。以下の説明において、図３４Ａおよび図３４Ｂにおけるステップが説明される。
【０１５２】
メディアソース３４０４は、メディアソース３４０４をＴＸ無線メディアアダプタ３４０６に接続するＩ２ＣバスのＩ２Ｃ「マスター」として動作する。それに対応して、ＨＤＭＩインターフェース３４０８のＩ２Ｃバスは、Ｉ２Ｃ「スレーブ」として動作する。さらに、ＨＤＭＩインターフェース３４２２のＩ２Ｃバスは、Ｉ２Ｃ「マスター」として動作し、メディアシンク３４１８は、Ｉ２Ｃ「スレーブ」として動作する。これによって、メディアソース３４０４とメディアシンク３４１８の間のシームレスなＩ２Ｃバスが容易になる。ステップ３４３２において、メディアソース３４０４は、Ｉ２Ｃ開始条件、宛先（つまりスレーブ）アドレス、および書き込みビットフラグを生成することによって、Ｉ２Ｃ書き込みトランザクションを開始する。宛先アドレスは、メディアシンク３４１８に関連するアドレスである。
【０１５３】
Ｉ２Ｃ開始条件、宛先アドレス、および書き込みビットフラグは、Ｉ２Ｃプロトコルに従いフォーマットされ、まとめておよそ２バイトの情報を表す。Ｉ２Ｃ開始条件、宛先アドレス、および書き込みビットフラグは、ステップ３４３４において、Ｉ２Ｃバス３４１４−Ａおよび３４１４−Ｂ上でＨＤＭＩインターフェース３４０８に伝送される。
【０１５４】
ステップ３４３６において、ＨＤＭＩインターフェース３４０８は、Ｉ２Ｃ開始条件、宛先アドレス、および書き込みビットフラグの受信を確認通知する。さらに、ステップ３４３６において、ＨＤＭＩインターフェース３４０８は、ＳＣＬ３４１４−Ｂをローまたはロー状態に保持することによって「クロックストレッチ」条件を開始する。クロックストレッチ条件は、Ｉ２Ｃバス仕様バージョン２．１のセクション８．３に記載される。ＳＣＬ３４１４−Ｂをローに保持することによって、スレーブのＨＤＭＩインターフェース３４０８は、マスターのメディアソース３４０４がさらなるＩ２Ｃ情報（つまり、Ｉ２Ｃトランザクションの次の部分）を送信しないようにする。つまり、マスターのメディアシンク３４０４は、スレーブのＨＤＭＩインターフェース３４０８がＳＣＬ３４１４−Ｂクロックを回復することによって（つまり、ＳＣＬ３４１４−Ｂクロックのロー状態を解除することによって）、情報を受信する準備が整ったことを示すまでＩ２Ｃ書き込みトランザクションに関連するさらなるＩ２Ｃ情報を送信しない。
【０１５５】
ステップ３４３８において、ＨＤＭＩインターフェース３４０８は、Ｉ２Ｃ開始条件、宛先アドレス、および書き込みビットフラグが、データリンク３４１２−Ａおよび／または制御リンク３４１２−Ｂ上で無線送受信機３４１０に転送する。無線送受信機３４１０は、開始条件、宛先アドレス、および書き込みビットフラグを、無線伝送に適したフォーマットに変換する。ステップ３４４０において、変換された開始条件、宛先アドレス、および書き込みビットフラグが、無線制御チャンネル３４３０上でＲＸ無線メディアアダプタ３４２０に無線信号として無線で送信される。
【０１５６】
無線信号を受信すると、無線送受信機３４２４は、無線信号を復号化して、開始条件、宛先アドレス、および書き込みビットフラグに戻す。ステップ３４４２において、無線送受信機３４２４は、戻された開始条件、宛先アドレス、および書き込みビットフラグを、データリンク３４２６−Ａおよび／または制御リンク３４２６−Ｂ上でＨＤＭＩインターフェース３４２２に転送する。
【０１５７】
ステップ３４４４において、ＨＤＭＩインターフェース３４２２は、ステップ３４３４で実行されたＩ２Ｃトランザクションの一部を再生する。具体的には、メディアシンク３４０４によって生成されたＩ２Ｃ開始条件、宛先アドレス、および書き込みビットフラグは、再生成されてメディアソース３４１８に転送される。再生成されたＩ２Ｃ開始条件、宛先アドレス、および書き込みビットフラグは、Ｉ２Ｃバス３４２８−Ａおよび３４２８−Ｂ上で、メディアシンク３４１８に転送される。
【０１５８】
ステップ３４４６において、メディアシンク３４１８は、Ｉ２Ｃ開始条件、宛先アドレス、および書き込みビットフラグの受信を確認通知する。それに応じて、ステップ３４４８において、マスターのＨＤＭＩインターフェース３４２２は、ＳＣＬ３４２８−Ｂをローに保持することによってクロックストレッチ条件を開始する。ＳＣＬ３４２８−Ｂをローに保持することによって、マスターのＨＤＭＩインターフェース３４２２は、スレーブのメディアシンク３４１８がＳＤＡ３４２８−Ａをサンプリングしないようにする。これにより、マスターのＨＤＭＩインターフェース３４２２は、Ｉ２Ｃ書き込みトランザクションの次の部分を受信するために必要な時間を与えられ、スレーブのメディアシンク３４１８がＳＤＡ３４２８−Ａを時期尚早にサンプリングしないようにする。
【０１５９】
ステップ３４５０において、ＨＤＭＩインターフェース３４２２は、メディアシンク３４１８から無線送受信機３４２４へ確認通知を転送する。無線送受信機３４２４は、伝送に適したフォーマットにＩ２Ｃ確認通知を変換する。ステップ３４５２において、変換された確認通知は、無線制御チャンネル３４３０上でＴＸ無線メディアアダプタ３４０６に線信号として無線で送信される。
【０１６０】
無線信号を受信すると、無線送受信機３４１０は、無線信号を復号化して確認通知に戻す。ステップ３４５４において、無線送受信機３４１０は、戻された確認通知をＨＤＭＩインターフェース３４０８に転送する。ステップ３４５６において、ＨＤＭＩインターフェース３４０８は、ステップ３４３６で前回アサートされたクロックストレッチを終了させる。具体的には、スレーブのＨＤＭＩインターフェース３４０８は、ＳＣＬライン３４１４−Ｂのロー状態を解除することによってＳＣＬライン３４１４−Ｂを回復させる。クロックストレッチ条件を解除することにより、スレーブのＨＤＭＩインターフェース３４０８は、メディアソース３４０４からＩ２Ｃデータの第一のバイトを受信する準備ができたことを通信する。
【０１６１】
ステップ３４５８において、マスターのメディアソース３４０４は、クロックストレッチの廃止をＳＣＬ３４１４−Ｂで検出する。その後、マスターのメディアシンク３４０４は、Ｉ２Ｃ書き込みトランザクションの第一のデータバイトを、スレーブのＨＤＭＩインターフェース３４０８に転送する。Ｉ２Ｃ書き込みトランザクションの第一のデータバイトは、ＤＤＣデータおよび／または制御情報、もしくはＨＤＣＰデータを含むことができる。
【０１６２】
ステップ３４６０において、ＨＤＭＩインターフェース３４０８は、クロックストレッチ条件を再アサートする。ステップ３４６２において、Ｉ２Ｃ書き込みトランザクショの第一のデータバイトは、無線送受信機３４１０に転送される。無線送受信機は、Ｉ２Ｃ書き込みトランザクションの第一のデータバイトを無線伝送に適したフォーマットに変換する。ステップ３４６４において、Ｉ２Ｃ書き込みトランザクションの変換された第一のデータバイトは、無線制御チャンネル３４３０上でＲＸ無線メディアアダプタ３４２０に無線信号として無線で送信される。
【０１６３】
無線信号を受信すると、無線送受信機３４２４は、無線信号を復号化して、Ｉ２Ｃ書き込みトランザクションの第一のデータバイトに戻す。ステップ３４６６において、無線送受信機３４２４は、Ｉ２Ｃ書き込みトランザクションの戻された第一のデータバイトをＨＤＭＩインターフェース３４２２に転送する。
【０１６４】
ステップ３４６８において、マスターのＨＤＭＩインターフェース３４２２は、ステップ３４４８で開始されたクロックストレッチ条件を終了させる。その結果、スレーブのメディアシンク３４１８は、ＳＤＡ３４２８−Ａのサンプリングを開始する。ＨＤＭＩインターフェース３４２２は、メディアシンク３４０４によって生成されたＩ２Ｃ書き込みトランザクションの第一のデータバイトを再生する。したがって、Ｉ２Ｃ書き込みトランザクションの再生された第一のデータバイトは、メディアシンク３４１８へ転送される。
【０１６５】
ステップ３４７０において、スレーブのメディアシンク３４１８は、Ｉ２Ｃ書き込みトランザクションの第一のデータバイトの受信を確認通知する。その結果、マスターのＨＤＭＩインターフェース３４２２は、ステップ３４７２において、ＳＣＬ３４２８−Ｂをローに保持することによってクロックストレッチ条件を再開する。また、クロックストレッチ条件によって、マスターのＨＤＭＩインターフェース３４２０は、Ｉ２Ｃ書き込みトランザクションの次の部分（例えば、Ｉ２Ｃ書き込みトランザクションの第二のデータバイト）を受信するのに必要な時間を与えられ、スレーブのメディアシンク３４１８が時期尚早にＳＤＡ３４２８−Ａをサンプリングしないようにする。
【０１６６】
図３４Ｂに示されるように、ステップ３４７４において、ＨＤＭＩインターフェース３４２２は、メディアシンク３４１８から無線送受信機３４２４に確認通知を転送する。無線送受信機３４２４は、その確認通知を伝送に適したフォーマットに変換する。ステップ３４７６において、変換された確認通知は、無線制御チャンネル３４３０上でＴＸ無線メディアアダプタ３４０６に無線信号として無線で送信される。
【０１６７】
無線信号を受信すると、無線送受信機３４１０は、無線信号を復号化して確認通知に戻す。ステップ３４７８において、無線送受信機３４１０は、戻された確認通知をＨＤＭＩインターフェース３４０８に転送する。ステップ３４８０において、スレーブのＨＤＭＩインターフェース３４０８は、ステップ３４６０で開始されたクロットレッチ条件を終了させる。その結果、スレーブのＨＤＭＩインターフェース３４０８は、メディアソース３４０４から次のバイトのＩ２Ｃデータを受信する準備ができたことを通信する。
【０１６８】
ステップ３４８２において、マスターのメディアシンク３４０４は、クロックストレッチ条件の廃止をＳＣＬ３４１４−Ｂで検出し、その後、「終了」条件を発信する。終了条件は、Ｉ２Ｃトランザクションが完全に完了したことを示し得る。終了条件は、Ｉ２Ｃトランザクションを終了させるために完了前にアサートされることもできる。
【０１６９】
Ｉ２Ｃトランザクションに対応するＩ２Ｃ情報の全てがメディアシンク３４１８とメディアソース３４０４の間で交換されると、Ｉ２Ｃトランザクションが完全に終了する。多くの場合、メディアソース３４０４は、前回発信されたＤＤＣデータおよび制御情報（つまり、Ｉ２Ｃ情報／トランザクションの形式）を無効にする追加のＤＤＣデータおよび制御情報を生成し得る（つまり、Ｉ２Ｃ情報／トランザクションの形式）。その結果、未完了、または部分的に完了した、進行中のＩ２Ｃトランザクションをまず終了させることによって、新しいＩ２Ｃトランザクションが実行されることができる。このようにして、更新されたまたは追加のＤＤＣデータおよび／または制御情報に対応する新しいまたは追加のＩ２Ｃトランザクションが、適時に実行される。
【０１７０】
ステップ３４８４において、ＨＤＭＩインターフェース３４０８は、無線送受信機３４１０に終了条件を転送する。無線送受信機３４１０は、無線伝送に適したフォーマットに終了条件を変換する。ステップ３４８６において、変換された終了条件は、無線制御チャンネル３４３０上でＲＸ無線メディアアダプタ３４２０に無線信号として無線で送信される。
【０１７１】
無線信号を受信すると、無線送受信機３４２４は、無線信号を復号化して、終了条件に戻す。ステップ３４８８において、無線送受信機３４２４は、戻された終了条件をＨＤＭＩインターフェース３４２２に転送する。ステップ３４９０において、マスターのＨＤＭＩインターフェース３４２２は、ステップ３４７２で開始されたクロックストレッチ条件を終了させる。その結果、スレーブのメディアシンク３４１８は、ＳＤＡ３４２８−Ａのサンプリングを開始する。ＨＤＭＩインターフェース３４２２は、メディアソース３４０４によって生成された終了条件を再生する。したがって、Ｉ２Ｃ終了条件は、メディアシンク３４１８へ転送される。その結果、ステップ３４３２でメディアソース３４０４によって開始されたＩ２Ｃ書き込みトランザクションは、完了または終了する。
【０１７２】
本発明の実施形態によると、図３４Ａおよび図３４Ｂで示される多数のステップは、バイト単位ベースでメディアシンク３４０４とメディアシンク３４１８の間においてＩ２Ｃ情報を転送するために、必要に応じて繰り返されることができる。例えば、ステップ３４５８から３４８０は、メディアソース３４０４とメディアシンク３４１８の間のＩ２Ｃトランザクションの一つ以上のデータバイトを転送するために、繰り返されることができる。さらに、ステップ３４３２で生成されるＩ２Ｃ開始条件、宛先アドレス、および書き込みビットフラグに対応するおよそ２バイトの情報は、一度に１バイトを無線で中継できる。
【０１７３】
本発明の局面によると、図３４Ａおよび図３４Ｂで示される動作ステップは、Ｉ２Ｃ読み込みトランザクションに対応するように修正されることができる。具体的には、メディアソース３４０４は、Ｉ２Ｃ開始条件、読み込みアドレス、および読み込みビットフラグをステップ３４３２で生成することによって、Ｉ２Ｃ読み込みトランザクションを開始することができる。したがって、メディアシンク３４１８は、メディアソース３４０４によって特定されるアドレスに保存されたデータを提供することによって、ステップ３４４６で、Ｉ２Ｃ読み込みトランザクションの開始に応答することができる。
【０１７４】
本発明の局面によると、図３４Ａおよび図３４Ｂで示される動作ステップは、Ｉ２Ｃプロトコルによって特定されるその他のＩ２Ｃ信号に対応するように修正されることができる。例えば、本発明の局面は、伝送が誤って受信または復号化される場合などに、否定確認通知の送信および受信に対応する。したがって、進行中のＩ２Ｃトランザクションは、否定確認通知を受信する際に終了されることが可能で、同一のトランザクションが再スタートまたは新しいトランザクションが開始されるようにし得る。
【０１７５】
本発明によると、図３４Ａおよび図３４Ｂで示される動作ステップは、Ｉ２Ｃトランザクションの一つ以上のバイトが、メディアソース３４０４とメディアシンク３４１８の間で一度に無線で中継されるように修正されることができる。さらに、Ｉ２Ｃ情報は、トランザクション毎ベースで、メディアソース３４０４とメディアシンク３４１８の間で無線で転送されることが可能で、Ｉ２ＣトランザクションがＩ２Ｃ開始条件または繰り返される開始条件で開始し、Ｉ２Ｃ終了条件または繰り返される開始条件で終了するようにし得る。メディアソース３４０４とメディアシンク３４１８の間において無線で中継される情報のサイズは、無線制御チャンネル３４３０の条件によることができる。つまり、ＤＤＣ情報またはＨＤＣＰ情報の量が少ないと、無線制御チャンネル３４３０の条件が厳しい場合でもＩ２Ｃ信号として無線で中継されることができるが、ＤＤＣ情報の量が多いと、無線制御チャンネル３４３０の条件がより好ましい場合にＩ２Ｃ信号として無線で中継されることができる。
【０１７６】
前述の説明は、ＨＤＭＩインターフェースを有する汎用のコンテンツソースおよび汎用のコンテンツシンクに限定されないことを留意することが重要である。具体的には、本発明の局面によると、ＤＶＩメディアコンテンツを転送するためにＤＶＩインターフェースを有する汎用のコンテンツソースおよび汎用のコンテンツシンク（つまりメディア装置）が、Ｉ２Ｃ信号の無線中継に対応可能であることが、当業者に正しく理解されるだろう。
Ｎ．本発明の実施形態に係る、ＣＥＣの符号化および復号化動作の性能
本発明の実施形態は、コンテンツソースとコンテンツシンクの間の無線ＨＤＭＩインターフェースを実装するために、コンシューマーエレクトロニクスコントロール（ＣＥＣ）復号化および符号化の動作を行う。例えば、ＴＸ無線メディアアダプタは、この実装に基づいて、ＣＥＣ符号化信号を受理し、ＣＥＣ符号化信号をデータに復号化し、データを再フォーマットし、そして再フォーマットされたデータを転送する。ＲＸ無線メディアアダプタは、この実装に基づいて、再フォーマットされたデータを受信し、データを再構成し、そして復旧データを使用してＣＥＣの符号化を実施する。
【０１７７】
例示として、図２１は、従来技術のシステムが、ケーブル２１０６を介して接続されたメディアソース２１０２とメディアシンク２１１０間のＣＥＣチャンネルを実装するプロセスを示す。図２１に示されるように、メディアソース２１０２は、第一のＨＤＭＩインターフェース２１０４を介してケーブル２１０６に接続され、メディアシンク２１１０は第二のＨＤＭＩインターフェース２１０８を介してケーブル２１０６に接続される。
【０１７８】
そのプロセスは、メディアソース２１０２がＣＥＣデータおよび制御パケットを生成するステップ２１４０で開始する。このプロセスのために、メディアソース２１０２はＣＥＣチャンネルのイニシエータの役割を果たし、メディアシンク２１１０はフォロアの役割を果たす。ステップ２１４２で、ＨＤＭＩインターフェース２１０４は、ＣＥＣパケットをＣＥＣバストランザクションに符号化する。ステップ２１４４で、ＣＥＣトランザクションは、ＣＥＣバス上で搬送される。ステップ２１４６で、ＨＤＭＩインターフェース２１０８は、ＣＥＣトランザクションを受信し、ＣＥＣパケットに復号化する。ステップ２１４８において、メディアシンク２１１０は、ＣＥＣデータおよび制御パケットを受信する。
【０１７９】
一方、図２３は、本発明の実施形態に係る、ＣＥＣチャンネルが、無線ＨＤＭＩインターフェースを介して接続されたコンテンツソースとコンテンツシンクの間で実装されるプロセスを示す。図２３において、メディア送信機は、ＨＤＭＩインターフェース２３０４によってＴＸ無線メディアアダプタ２３０６に接続されるメディアソース２３０２としてモデル化され、ここでＴＸ無線メディアアダプタ２３０６は、ＨＤＭＩインターフェース２３１４および無線送信機２３１６を備える。同様に、メディア受信機は、ＨＤＭＩインターフェース２３１０によってＲＸ無線メディアアダプタ２３０８に接続されるメディアシンク２３１２としてモデル化され、ここで、ＲＸ無線メディアアダプタ２３０８は、無線受信機２３１８およびＨＤＭＩインターフェース２３２０を備える。
【０１８０】
図２３のプロセスは、メディアソース２３０２がＣＥＣデータおよび制御パケットを生成するステップ２３３０で開始する。このプロセスのために、メディアソース２３０２はＣＥＣチャンネルのイニシエータの役割を果たし、メディアシンク２３１２はフォロアの役割を果たす。ステップ２３３２で、ＨＤＭＩインターフェース２３０４は、ＣＥＣパケットをＣＥＣバストランザクションに符号化する。ステップ２３３４で、ＴＸ無線メディアアダプタ２３０６内のＨＤＭＩインターフェース２３１４は、ＣＥＣトランザクションをＣＥＣパケットに復号化する。ステップ２３３６において、ＴＸ無線メディアアダプタ２３０６内の無線送信機２３１６は、データおよび制御パケットを、無線伝送のために符号化する。ステップ２３３８において、符号化されたデータおよび制御パケットは無線で伝送される。
【０１８１】
ステップ２３４０において、ＲＸ無線メディアアダプタ２３０８内の無線受信機２３１８は、符号化されたデータおよび制御パケットを受信して、復号化する。ステップ２３４２において、ＲＸ無線メディアアダプタ２３０８内のＨＤＭＩインターフェース２３２０は、ＣＥＣパケットをＣＥＣバストランザクションに符号化する。ステップ２３４４において、ＨＤＭＩインターフェース２３１０は、ＣＥＣトランザクションをＣＥＣパケットに復号化する。ステップ２３４６において、メディアシンク２３１２は、ＣＥＣ読み込み／書き込みデータおよび制御パケットを受信する。この時点で、メディアシンク２３１２は、双方向の矢印２３４８で表示されるように、無線での追加のトランザクションを開始する応答情報をＣＥＣチャンネル上で返送してもよい。
【０１８２】
バイト（つまり８ビット）は、可能である最小のＣＥＣメッセージサイズである。本発明の局面において、ＣＥＣバストランザクションは、バイト単位ベースで、メディアソースとメディアシンクの間において無線で転送される。この方法は、ＣＥＣメッセージを無線リンクで転送する際に遅延量を削減することができる。この方法は、ＣＥＣメッセージ全体がバッファに格納される必要がないため、さらに効率の良いメモリの実装ももたらす。
【０１８３】
無線伝送のデータサイズが１バイトよりも大きく、ＣＥＣメッセージ全体のサイズまでの、ＣＥＣバスメッセージの転送に関するその他の実施形態も可能である。
Ｏ．本発明の実施形態に係る、クロック情報の無線転送
本発明の実施形態は、コンテンツソースとコンテンツシンクの間の無線ＨＤＭＩインターフェースを実装するために、クロック情報を無線で転送する。例えば、そのような実施形態によると、ＴＸ無線メディアアダプタは、メディアソースによって生成されるクロック情報を周期的にサンプリングし、クロックの周波数が決定される。ＴＸ無線メディアアダプタは、次に、クロック周波数を示す制御データを、ＲＸ無線メディアアダプタへ無線リンク上で周期的に送信する。ＲＸ無線メディアアダプタは、制御データを受信し、クロック情報を抽出する。ＲＸ無線メディアアダプタは、次に、クロックを再生してそれをメディアシンクに提供するために、制御データによって特定されるクロック周波数を使用する。
【０１８４】
図２４Ａは、そのような実施形態におけるＴＸ無線メディアアダプタ２４０２を示す。図２４Ａに示されるように、ＴＸ無線メディアアダプタ２４０２は、第一のサイクル時間カウンタ２４０４および第二のサイクル時間カウンタ２４０６を備える。第一のサイクル時間カウンタ２４０４は、入力ピクセルクロックおよび時間基準周期を入力として受信する。入力ピクセルクロックは、メディアソースから提供されるか、そうでない場合は、メディアソースから提供される情報に由来し、時間基準周期は、整数のピクセルクロック数であるように選択される。例えば、実施形態において、時間基準周期は、水平帰線消去間隔（ＨＢＩ）、水平帰線周期、または同様のものと等しくなる。入力ピクセルクロックおよび時間基準周期に基づいて、サイクル時間カウンタ２４０４は、時間基準周期当たりのピクセルクロックの数によって規定される値Ｎを導き、出力する。整数のピクセルクロック数である時間基準周期を使用して、Ｎがあらゆる映像フォーマットの整数定数であるようにする。
【０１８５】
第二のサイクル時間カウンタ２４０６は、上に説明される時間基準周期およびＴＸ無線メディアアダプタ２４０２の送信機（ＴＸ）基準クロックを入力として受信する。時間基準周期およびＴＸ基準クロックに基づいて、第二のサイクル時間カウンタ２４０６は、時間基準周期当たりのＴＸ基準クロックの数として規定されるＣＴＳを導き、出力する。ＮおよびＣＴＳの値は、基準周期の終わりごとに更新され、映像クロック再生パケットの形式で、ＴＸ無線メディアアダプタによってＲＸ無線メディアアダプタに無線で送信される。
【０１８６】
図２４Ｂは、本実施形態にさらに基づくＲＸ無線メディアアダプタ２４５２を示す。図２４Ｂに示されるように、ＲＸ無線メディアアダプタ２４５２は、「ＣＴＳによる除算」ロジック２４５４および「Ｎによる乗算」ロジック２４５６を備える。ＲＸ無線メディアアダプタ２４５２は、ＴＸ無線メディアアダプタ２４０２から映像クロック再生パケットを無線で受信し、ＮおよびＣＴＳ値をそれから戻す。「ＣＴＳによる除算」ロジック２４５４は、ＲＸ無線メディアアダプタ２４５２の受信機（ＲＸ）基準クロックおよびＣＴＳ値を入力として受信する。ＲＸ基準クロックの周波数はＴＸ無線メディアアダプタ２４０２のＴＸ基準クロックのものと同一であることが理想的であるが、実際は、数パーツパーミリオン（ｐｐｍ）だけＲＸ基準クロックと異なってもよい。
【０１８７】
ＲＸ基準クロックおよびＣＴＳ値に基づいて、「ＣＴＳによる除算」ロジック２４５４は、ＲＸ基準クロックをＣＴＳで除算することによって決定される値を出力する。この出力は、次に、ロジック２４５６でＮによって乗算され、メディアシンクに提供される再生されたピクセルクロックを提供する。本実施形態によると、時間基準周期が短ければ短いほど、実際のピクセルクロック周波数と再生成されたピクセルクロック周波数の間のトラッキングがより良くなる。
Ｐ．本発明の実施形態に係る、ＰＨＹ層実装例
本発明の実施形態によると、ＢＥＲ＝１０−９を提供する１．５Ｇｂｐｓ無線リンクは、複雑かつ非効率な８０２．１５．３ａＭＡＣなどの不要な通信要素が排除され、低密度パリティ検査（ＬＤＰＣ）符号などのさらに強力な物理層技術を用いる場合には、面倒ではあるが達成可能である。
【０１８８】
８０２．１５．３ａ規格は、極度に弱い順方向誤り訂正（ＦＥＣ）符号、拘束長Ｋ＝７を有する畳み込み符号を定め、さらに優れた性能を可能にし得るＬＤＰＣに使用されるものなどのその他のさらに強力な方法を拒絶した。高レートＫ＝７の畳み込み符号と高レート長さが４０９６であるＬＤＰＣの例を考えてみる。具体的には、畳み込み符号に関してＲ＝０．７５、ＬＤＰＣに関してＲ＝０．８であると仮定する。図２５は、非圧縮映像に必要な低ＢＥＲにおいて、８０２．１５．３ａが目標とする誤り率における性能差が約１ｄＢだけである一方、ＬＤＰＣは５ｄＢよりも大きな性能向上を提供することを示す。図２５において、Ｅｂ／Ｎｏは、デジタル通信システムの信号対ノイズ比であるスペクトルノイズ密度に対するビット当たりのエネルギーを示す。
【０１８９】
さらに、本発明の実施形態は、順方向の映像チャンネルのみのために広帯域幅を使用する二地点間リンクを提供することから、ＭＡＣオーバーヘッドは必要とされない。この方法は、送信／受信スイッチなどの８０２．１５．３ａにより必要とされるラジオ周波数（ＲＦ）受信機の要素が排除可能であり、受信機の感度（つまり、ノイズ指数）を最小限にし得るという点において、８０２．１５．３ａに比べて追加の利点を提供する。例えば、８０２．１５．３ａシステムのノイズ指数（ＮＦ）は６．６ｄＢ前後と推定されるが、本発明の実施形態は、無線プロトコルを実装するのに必要なＲＦ要素だけを備えることによって、１ｄＢよりも大きなＮＦを軽減する。
【０１９０】
最新のＲＦおよび混合信号要素を同時に最大限に利用しながらＦＣＣ規則を満たすために、本発明の実施形態は、直交周波数分割多重（ＯＦＤＭ）技術を含み、二つのチャンネル（その各々がおよそ０．８７５ＧＨｚの帯域幅を有し、それぞれがおよそ３．０６〜３．９３ＧＨｚと３．９４〜４．８２ＧＨｚの間にある）間で交互に入れ替わるＰＨＹ層の解決法を用いる。表２は方法の詳細の一例を示し、例えば、２５６のＯＦＤＭトーンが各チャンネルに伝送され、１９２はデータを搬送し、一方その残りは周波数オフセットおよびサンプリング時間のような機能に適応的に使用される、あるいは、性能を最適化するおよび／またはラジオ周波数（ＲＦ）処理要件を緩和するために、単に空白のままにしておく（つまり、ヌルにする）。
【０１９１】
【表２】
2008533913.tif 000004
性能を評価するために通信技術者が用いる一般的なツールは、リンクバジェット分析である。表３は、８０２．１５．３ａと本発明の実施形態に係る無線ＨＤＭＩの解決法を想定したリンクバジェット示す。リンクバジェットは、平均伝送電力を可能にする最大ＦＣＣを計算する。さらに、リンクバジェットは、０ｄＢｉアンテナ利得をもたらす全方向送受信アンテナを想定する。性能は、棚や壁などの障害物によるＲＦ伝搬損失の３ｄＢを仮定すると、５ｍで特徴付けられる。電子レンジ、２．４または５ＧＨｚで動作するＷｉ−Ｆｉ（登録商標）システム、または携帯電話などのＵＷＢシステムまたはＲＦソースなどからの多少の干渉も含まれる。結果は、ＢＥＲおよびＥｂ／Ｎ０を関連付けるように使用されることができる。例えば、無視できるほどの干渉（この場合、干渉対ノイズの率は、０．００１または−１００ｄＢ）で、８０２．１５．３ａのＢＥＲは１０−６であり、その場合、データ転送速度は８０２．１５．３ａの三倍にもなり、本発明の実施形態は１０−９よりも優れたＢＥＲを達成する。
【０１９２】
【表３】
2008533913.tif 000005
リンクバジェットは、干渉の関数としての性能を評価するためにも使用可能である。例えば、受信機から２５ｍの距離で（１２ｄＢのＲＦ損失を含む受信機へのパスを有する）８０２．１５．３ａの干渉が存在すると仮定すると、図２６は、干渉の数の関数としてＢＥＲが計算されたリンクバジェットを示す。単一の干渉であっても、ＭＰＥＧ−２に対応するために必要な品質に及ばない厳しい８０２．１５．３ａの性能劣化という結果になる一方、１０の干渉であっても、本発明の実施形態に係るＨＤＭＩ解決に関するビット誤り率は微小である。
【０１９３】
図２７および図２８は、本発明の実施形態に係る無線ＨＤＭＩ送信機２７００および受信機２８００の各々のブロック図を示す。送信機２７００および受信機２８００の各々は、コストを最低限に抑えるため、ならびに性能を最大限に生かすために直接変換を用いる。
【０１９４】
図２７に示されるように、送信機２７００は、ベースバンド処理ロジック２７０２およびＲＦ／混合信号ロジック２７０４を備える。ベースバンド処理ロジック２７０２は、ＬＤＰＣ符号化手法に基づいて入力データを符号化するＬＤＰＣ符号器２７１０、および二つの異なるＲＦチャンネル上を伝送する二つの信号処理パスのうちの一つに沿い符号化されたデータを交互に送信するロジック２７１２を備える。各伝送パスは、ＬＤＰＣ符号化データを受信し、それからＱＰＳＫまたは１６ＱＡＭシンボルを形成する配置マッパー２７１４、２７１８、および逆高速フーリエ変換（ＩＦＦＴ）を含み、複素数ＩＦＦＴ出力を生成するＯＦＤＭ処理ロジック２７１６、２７２０を備える。
【０１９５】
ＯＦＤＭ処理ロジック２７１６からの複素数ＩＦＦＴ出力は、ＲＦ／混合信号ロジック２６０４内における並列のデジタル／アナログ変換器（ＤＡＣ）２７４０および２７４４に送られる。次に、ＤＡＣ出力は、ＤＡＣによってもたらされる変形を抑制するために低域通過フィルタ（ＬＰＦ）２７４２および２７４６の各々によって通過させられ、チャンネル１として示される第一のＲＦチャンネル上を伝送するために第一のローカル発振器に従って信号を変調するＩ／Ｑ変調器２７４８に送られる。同様に、ＯＦＤＭ処理ロジック２７２０からの複素数ＩＦＦＴ出力は、並列のＤＡＣ２７５０および２７５４に送られ、その出力はＬＰＦ２７５２および２７５６の各々によって通過させられ、チャンネル２として示される第二のＲＦチャンネル上を伝送するために第二のローカル発振器に従って信号を変調するＩ／Ｑ変調器２７５８に送られる。ＤＡＣ２７４０、２７４４、２７５０、および２７５４は、およそ６ビット／サンプルで、およそ８７５Ｍｓｐｓで動作する。
【０１９６】
Ｉ／Ｑ変調器２７４８および２７５８からの出力は、電力結合器２７６０によって結合されて、先の変換処理からの不要な調波およびノイズを削減するためにフィルタ２７６２によって通過される。生成されたＲＦ信号は、アンテナ２７６４を介して送信される。電力増幅器（ＰＡ）は、ＦＣＣ伝送所要電力が低いこと、およびＤＡＣでのクリッピング使用が少量であることから、必要とされない場合があることに留意したい。さらに、送信機の複雑性を軽減するために、本発明の実施形態は、効率的な符号化を可能にする構造化ＬＤＰＣ符号を使用する。
【０１９７】
図２８に示されるように、受信機２８００は、ＲＦ／混合信号ロジック２８０２およびベースバンド処理ロジック２８０４から構成される。混合信号ロジック２８０２は、送信されたＲＦ信号を受信するアンテナ２８１０、受信した信号を増幅する低雑音増幅器（ＬＮＡ）２８１２、および二つの異なる信号処理パスへの伝送のために増幅された信号を分割するパワー分割器２８１４を備える。各信号処理パスは、後に続く二つの並列信号チェーンに沿って処理するために、増幅された信号の同相（Ｉ）および直角位相（Ｑ）の成分を抽出するＩ／Ｑ復調器２８１６、２８１８から構成される。Ｉ／Ｑ復調器２８１６は、ＲＦチャンネル１上で伝送された信号を抽出するために、第一のＬＯによって駆動されるが、Ｉ／Ｑ復調器は、ＲＦチャンネル２上で伝送される信号を抽出するために第二のＬＯによって駆動される。
【０１９８】
Ｉ成分を処理するための各信号チェーンは、Ｉデータをフィルタしおよび増幅させる低域通過フィルタ（ＬＰＦ）および可変利得増幅器（ＶＧＡ）２８２０、２８３０をそれぞれ備え、その後にアナログのＩ信号をデジタルの信号に変換するアナログ／デジタル変換器（ＡＤＣ）２８２２、２８３２が続く。同様に、Ｑ要素を処理するための各信号チェーンは、Ｑデータをフィルタしおよび増幅させるＬＰＦ／ＶＧＡ２８２４、２８３４をそれぞれ備え、その後にアナログのＱ信号をデジタルの信号に変換するＡＤＣ２８２６、２８３６が続く。ＡＤＣ２８２２、２８２６、２８３２、および２８３６の各々は、およそ８７５Ｇｓｐｓで動作し、およそ６有効ビットの解像度を提供する。
【０１９９】
チャンネル１のＩおよびＱデータは、次に、同期化、同等化、およびチャンネル推定などの動作を実行するベースバンド処理ロジック２８０４内におけるＯＦＤＭ処理機２８４０、２８４２に送られる。同様に、チャンネル２のＩおよびＱデータは、次に、同様の動作を実行するベースバンド処理ロジック２８０４内におけるＯＦＤＭ処理機２８５０、２８５２に送られる。ロジック２８６０は、ＯＦＤＭ処理機２８４０、２８４２およびＯＦＤＭ処理機２８５０、２８５２から、出力ストリームを生成するためにデータを復号化するＬＤＰＣ復号器２８６２に、得られた復調信号を交互に送る。実施形態において、ＬＤＰＣ復号器の複雑性は、一定の無線ＨＤＭＩブロックのサイズおよび符号レートを採用することにより軽減される。
【０２００】
本発明の実施形態によると、送信機および受信機の両方に関して、ＯＦＤＭおよびＬＤＰＣ動作を含むベースバンド機能は一装置において実装され、そこで、ＲＦ／混合信号動作は、ＲＦ／混合信号チップに含まれる。ＨＤＭＩ情報を搬送する分離されたバックチャンネルも用いられることを留意したい。
Ｑ．本発明の実施形態に係る、トレーニング情報の配置
以下にさらに詳しく説明されるように、本発明の実施形態は、トレーニング情報の動的かつ便宜的な配置を実行し、無線による高精細度コンテンツの転送のための効果的な機能障害推定および電力レベル設定を可能にする。
【０２０１】
本明細書の別の項目に説明されるように、非圧縮または可逆圧縮された高精細度コンテンツは、Ｇｂｐｓおよびより速いデータ転送速度で１０−９のまたはそれ以下のＢＥＲを必要とする。そのような低ＢＥＲを達成するためには、無線チャンネルおよびラジオ周波数（ＲＦ）／混合信号の障害に関する正確な推定およびその影響についての補償が必要である。チャンネルの障害には、ＲＦ障害物による周波数選択的なフェージングおよび減衰が挙げられるが、ＲＦ障害には、送信機および受信機のローカル発振器の周波数オフセットおよびＩ／Ｑ不均衡が挙げられる。混合信号障害には、サンプリングクロックエラーおよびタイミングオフセットが挙げられる。
【０２０２】
Ｇｂｐｓおよびより速いデータ転送速度に対応するのに必要な広帯域において、実用的なＲＦおよび混合信号の成分は、比較的小さなダイナミックレンジを有する。この限られたダイナミックレンジにおいて効果的に動作するために、送信機および受信機の信号電力レベルは、注意深く監視および制御されなければならない。例えば、受信信号強度インジケータ（ＲＳＳＩ）および可変利得増幅器（ＶＧＡ）を用いる受信機のアナログ利得制御（ＡＧＣ）ループは、アナログ／デジタル変換器（ＡＤＣ）に入る信号電力レベルが、ＡＤＣのビット有効数および関連するスプリアスフリーによって規定されるダイナミックレンジ（ＳＦＤＲ）内にあることを確実にするために必要とされる。さらに、３．１〜１０．６ＧＨｚの間の免許不要の超広帯域周波数レンジにおいて動作する送信機が、特定のＦＣＣ規定マスク未満の伝送電力を持たなくてはならないため、伝送電力は、推定され動的に調整されなければならない。場合によっては、送信機と受信機との間の確実に対応するレンジを最大にするために、できるだけ近くでこのマスクに伝送することが望ましい。その他の場合においては、所定の送信機と受信機のレンジにおいてＢＥＲ要件を満たすのに必要な電力だけを伝送することが望ましい。このケースは、本発明の実施形態に係るＨＤＭＩシステムが、ＵＷＢ帯域を共有するかまたは近接するスペクトル（例えば、２．４ＧＨｚでのＩＳＭ帯域）で動作するその他のシステムに引き起こす干渉を最小限にする必要があるシナリオにおいて発生する。
【０２０３】
上に説明される障害推定タスクを達成するための一般的かつ効果的な方法の一つは、送信機および受信機の両方に既知であるトレーニングデータを、送信機が送信することにある。トレーニングデータを使用して、ＲＦおよび混合信号障害を部分的に補償し、チャンネル推定に対応する方法は既知である。通常、トレーニングデータを使用した推定方法の忠実性は、トレーニング系列の長さとともに向上する。トレーニングデータに関連する電力レベルも、利用可能なダイナミックレンジを最大限に利用するために、所望の伝送電力レベルの維持および内部の送信機および受信機の電力レベルを設定するために測定されることができる。
【０２０４】
高精細度のコンテンツを配信する無線システムを達成するための課題は、効果的な障害推定および補償を可能にするためのトレーニングを挿入する機会を見つけることにある。本発明の実施形態は、トレーニング情報の挿入のために使用可能なビット間隔を生成するために、水平帰線消去間隔（ＨＢＩ）および垂直帰線消去間隔（ＶＢＩ）中に伝送されるデータの情報速度を減少させる。映像システムにおいて、ＨＢＩおよびＶＢＩは、通常、いくつかの目的のために利用される。例えば、ＶＢＩは、ブラウン管（ＣＲＴ）ディスプレイに使用され、ＣＲＴ電子ビームを画像の最後の線をペイントした後に中断させ、次の画面を描くために左上隅で再開させることを可能にする。ビームが右下隅（映像データのフィールド完成後の終点）から、左上隅（次のフィールドの始点）に再び焦点を合わせ、再び向きを合わせるのに時間を要する。ＨＢＩは、次の線を描き始めるために、ＣＲＴ装置における電子ビームが一つの水平線の端から画面の左に移動するために使用される。この間に、電子ビームは、ビームが端から左へスキャンする際にその他の線が誤って作成されないように中断される。ＶＢＩおよびＨＢＩは、音声および制御データの他に、字幕文字などのその他の情報の転送にも使用される場合がある。
【０２０５】
本発明の実施形態は、トレーニングの決定的な重要性を認識し、ＨＤＭＩフレームにおいて動的かつ便宜的にトレーニングを導入することで推定および電力レベル設定更新をＨＤＭＩ線ごとに可能する。長いトレーニングサイズは、消去間隔に含まれる情報を再フォーマットすることによって達成されることができる。
【０２０６】
本発明のさらなる実施形態は、高精細度コンテンツの無線転送のための継続的でストリーミングである方法も使用することによって、搬送波検知多重アクセス／衝突回避（ＣＳＭＡ／ＣＡ）（例えば、８０２．１１、８０２．１５．３ａ）に基づくオーバーヘッドなどのパケットベースのアプローチによってもたらされるオーバーヘッドを回避し、初期の高性能の障害推定および電力レベル設定を提供するコンテンツの転送前に拡張されたトレーニング間隔の挿入を可能にする。このような拡張されたトレーニング間隔は、標準のＣＳＭＡ／ＣＡシステムにおいて利用不可能である。このようなパケットベースのシステムにおいては、一般的に、トレーニングに対応するために各パケットの開始にプリアンブルが静的に挿入される。データはプリアンブルの後に続き、通常、いくつかのパイロット信号がデータとともに伝送され、プリアンブルの後にいくつかの追加のトレーニングを可能にする。このようなシステムにおいて、全ての機能障害推定は、単一パケットに含まれるトレーニング情報を使用して実行される必要がある。しかしながら、そのようなトレーニングの長さは、システムのスループットを低減させるオーバーヘッドをもたらすために制約される。さらに、そのようなシステムは、トレーニング系列の動的配置が可能ではなく、例えば、消去間隔中の情報速度をトレーニングのために低減させる。
【０２０７】
ＴＸ無線メディアアダプタのＢＥＲ性能を改善するため、本発明の実施形態は、例えばメディアソーから受信され得るＨＤＭＩフォーマットされた信号に、トレーニングデータまたは系列を導入する。具体的には、ＴＸ無線メディアアダプタのＰＨＹ層ロジックは、ＨＤＭＩフォーマットされた信号を受信し、トレーニングデータを含む再フォーマットされたＨＤＭＩ出力信号を生成する。導入されたトレーニングデータは、ＴＸ無線メディアアダプタおよび対応する遠隔のＲＸ無線メディアアダプタの両方に既知であるビット列である。
【０２０８】
ＨＤＭＩ信号フォーマットは、三つの「周期」タイプを含む。映像データ周期は映像再生情報を含む。データアイランド周期は、音声再生情報および／または制御情報を含むことができる。制御周期は制御情報のみを含む。映像データ周期の情報速度は、データアイランド周期および制御周期の情報速度よりも速い。具体的には、映像データ周期の情報速度は、データアイランド周期の情報速度の約二倍、ならびに制御周期の情報速度の約四倍である。
【０２０９】
ＴＸ無線メディアアダプタにより導入されたトレーニングデータは、チャンネルの機能障害、例えば、ＲＦ障害物による周波数選択的なフェージングおよび減衰を補償するために使用される。トレーニングデータは、ＲＦ機能障害、例えば、送信機および受信機のローカル発振器の周波数オフセット（ＬＯ）および同相（Ｉ）チャンネル／直角位相（Ｑ）チャンネルの不均衡を補償するためにも使用される。さらに、トレーニングデータは、混合信号障害、例えば、サンプリングのクロックエラーおよびタイミングオフセットを補償するためにも使用される。トレーニングデータに関連する電力レベルは、所望の伝送電力レベルを維持するために測定されることもできる。これらの電力レベルは、送信機および／または受信機の利用可能なダイナミックレンジを十分利用するために、内部の送信機および受信機の電力レベルを設定するためにも使用されることができる。
【０２１０】
一般的に、ＨＤＭＩにフォーマットされた信号の情報速度は、映像情報が伝送されないのでＶＢＩおよびＨＢＩ中に大幅に減少される。長いトレーニング系列は、ＶＢＩおよびＨＢＩ中に伝送された情報を再フォーマットして、ＴＸ無線メディアアダプタにより導入される。ＴＸ無線メディアアダプタは、ＨＤＭＩにフォーマットされた信号の既存の情報を再フォーマットした後に、ＨＤＭＩにフォーマットされた信号内のどこにおいてもトレーニング系列を導入することができる。再フォーマットされたＨＭＩ信号は、回線速度をほぼ同一に維持するために、元々のＨＤＭＩ信号の伝送速度よりも増加した速度で伝送されることができる。
【０２１１】
図２９は、本発明に係る、ＨＤＭＩフレーム２９００の一部におけるトレーニング系列の挿入を示す。図２９に示されるように、ＨＤＭＩフレーム２９００は、２９０２−１から２９０２−Ｘまでの多数の線を備える。２９０２−１から２９０２−Ｘの線は順次伝送される。２９０２−１から２９０２−１０の線は、垂直帰線消去間隔２９０４中に伝送される。２９０２−１１から２９０２−Ｘは、アクティブ走査周期２９０６中に伝送される。アクティブ走査周期２９０６中に伝送される線は、制御周期２９０８、データアイランド周期２９１０、および映像データ周期２９１２を含むことができる。これらの線は、映像データ周期２９１２内にアクティブ映像情報を含む。垂直帰線消去間隔２９０４中に伝送される線は、映像データ周期２９１２を含まない。水平帰線消去間隔２９１４は、アクティブ走査周期２９０６中に各アクティブ走査線を開始する。映像データ周期２９１２は、水平帰線消去間隔２９１４中には伝送されない。
【０２１２】
前述したように、データアイランド２９１０の伝送情報速度は、映像データ周期２９１２の伝送情報速度のおよそ半分である。さらに、制御情報２９０８の伝送情報速度は、映像データ周期２９１２の伝送情報速度のおおよそ四分の一である。最小限のシステムの複雑性でトレーニングデータを導入するために、ＴＸ無線メディアアダプタ内のＰＨＹロジックは、ＨＤＭＩフレーム２９００を再フォーマットし、およそ映像データ周期２９１２の伝送情報速度で制御周期２９０８およびデータアイランド周期２９１０を伝送する。具体的には、ＴＸ無線メディアアダプタは、制御周期２９０８を伝送するのに通常必要とされる時間の約四分の一で制御周期２９０８が伝送されるように、制御周期２９０８の伝送情報速度を上げる。同様に、ＴＸ無線メディアアダプタは、データアイランド周期２９１０を伝送するのに通常必要な時間の約半分でデータアイランド周期２９１０が伝送されるように、データアイランド周期２９１０の伝送情報速度を上げる。制御周期２９０８およびデータアイランド周期２９１０をより速い情報速度で伝送するためのＴＸ無線メディアアダプタのこの能力は、トレーニングデータの挿入のための時間またはビット間隔を「確保」する。
【０２１３】
トレーニングデータを挿入するために、ＴＸ無線メディアアダプタは、元々の情報が圧縮されて再フォーマットデータブロックになるように、線または線の一部分を再フォーマットする。つまり、線または線の一部の制御周期２９０８、データアイランド周期２９１０、または映像データ周期２９１２内に含まれる情報が、再圧縮および再フォーマットされて再フォーマットデータブロックになる。再フォーマットデータブロックは、そこに含まれる異なる種類の情報を区別するために、オーバーヘッド情報およびヘッダー情報を含むことができる。さらに各線は、多数の再フォーマットデータブロックを含むことができる。同時に、線の元々の制御周期２９０８、データアイランド周期２９１０、または映像データ周期２９１２と同一の情報を含む。しかしながら、再フォーマットデータブロックは、より短い時間でこの情報を伝達する。したがって、各線または線の一部分について確保された時間は、トレーニングデータを収容することができる。
【０２１４】
図３０は、本発明に係る、再フォーマットされたＨＤＭＩフレーム３０００の一部分におけるトレーニング系列の配置を示す。再フォーマットされたＨＤＭＩフレーム３０００は、図２９に示されるＨＤＭＩフレーム２９００に基づく。図３０に示されるように、再フォーマットデータブロック３０２０は、制御周期２９０８、データアイランド周期２９１０、または映像データ周期２９１２からの情報を含む。再フォーマットデータブロック３０２０は、そこに含まれる情報の種類を区別するためにオーバーヘッドまたはヘッダー情報を含む。垂直帰線消去間隔２９０４内の再フォーマットデータブロック３０２０は、一つ以上の全体または一部の制御周期２９０８またはデータアイランド周期２９１０を含むことができる。アクティブ走査周期２９０６内の再フォーマットデータブロック３０２０は、一つ以上の全体または部分的な制御周期２９０８、データアイランド周期２９１０、または映像データ周期２９１２を含む。全体として、再フォーマットデータブロック３０２０は、一つ以上の全周期および／または１つ以上の周期の全部に満たない部分を含むことができる。トレーニングブロック３０１０は、ＴＸ無線メディアアダプタによって各線の使用可能なビット間隔に挿入されたトレーニングデータを含む。
【０２１５】
本発明のトレーニング挿入機構は、再フォーマットされたＨＤＭＩフレーム３０００内のいかなる位置においてもトレーニングデータの挿入を可能にする。したがって、再フォーマットデータブロック３０２０は、ＨＤＭＩフレーム２９００のフォーマット化されていない部分に対応する再フォーマットされたＨＤＭＩフレーム３０００内のいかなる位置にも配置されることができる。さらに、ＨＤＭＩフレーム２９００のフォーマット化されていない部分は、複数の再フォーマットデータブロック３０２０に再フォーマットされることができる。本発明のトレーニング挿入機構は、ＨＤＭＩフレーム２９００をさまざまな異なるサイズの部分に再フォーマットされることを可能にする（例えば、線の一部分を同時に、一つの線を同時に、いくつかの線を同時に、または全体のフレームを同時に）。
【０２１６】
本発明の一実施形態において、ＴＸ無線メディアアダプタは、トレーニングブロック３０１０を、各線内の所定の位置に挿入する。例えば、ＴＸ無線メディアアダプタは、線２９０２−１から２９０２−１０内の同一の所定の位置にトレーニングブロック３０１０を配置することができる。ＴＸ無線メディアアダプタは、２９０２−１１から２９０２−Ｘ内の同一の所定の位置に、トレーニングブロック３０１０を配置することもできる。トレーニングブロック３０１０を所定の位置に配置することによって、再フォーマットデータブロック３０２０の位置または配置が決定される。したがって、再フォーマットされたＨＤＭＩフレーム３０００内の予測可能性のレベルが伝達されることができる。これにより、受信機は、再フォーマットされたＨＤＭＩフレーム３０００内に含まれるトレーニングブロック３０１０をさらに容易に見つけ、一定の性能基準を保証することができる。さらに、本発明の一実施形態において、ＴＸ無線メディアアダプタは、再フォーマットされたＨＤＭＩフレーム３０００の垂直帰線消去間隔２９０４または水平帰線消去間隔２９１４内で所定の位置に、トレーニングブロック３０１０を挿入する。
【０２１７】
図３０は、本発明のトレーニングデータの挿入方法によって長いトレーニング系列が導入可能であることを示す。具体的には、周期タイプおよびトレーニングデータを区別するために必要なオーバーヘッドを決定した後に、本発明の挿入方法は、ＶＢＩおよびＨＢＩの約半分がトレーニング系列の伝送のために使用されることを可能にする。このように、本発発明の挿入方法は、チャンネル推定および電力レベル設定更新の両方の動的な挿入を、スループットを下げることなく線単位ベースで提供する。
【０２１８】
トレーニング情報の導入により、再フォーマットされたＨＤＭＩフレーム３０００の再フォーマットされた部分のビット長が、ＨＤＭＩフレーム２９００の対応するフォーマットされていない部分よりも大きくなる。ＨＤＭＩフレーム２９００と再フォーマットされたＨＤＭＩフレーム３０００の回線速度をほぼ同じに維持するために、再フォーマットされた部分は増大された速度で伝送される。多くの場合、再フォーマットされた部分の伝送速度は、元々のフォーマット化されていない部分の伝送速度を上回る。再フォーマットされた部分の伝送速度は、映像周期の伝送情報速度であることが可能である。しかしながら、再フォーマットされた部分の伝送速度は、導入されたオーバーヘッドまたはヘッダー情報のために、収容すべき映像周期の伝送情報速度よりも若干上回ってもよい。
【０２１９】
再フォーマットデータブロック３０２０は、例えば、再フォーマットされたＨＤＭＩフレーム３０００の部分を区別するフラッグ、および提供されたトレーニング情報の種類などのさまざまな情報を含むことができる。具体的には、再フォーマットデータブロック３０２０は、例えば、「周期の開始」、「周期の終了」、「線の開始」、「線の終了」、「フレームの開始」、「フレームの終了」、「トレーニングの開始」、「トレーニングの終了」、および「トレーニングの種類」などのオーバーヘッド情報を含むことができる。さらに、再フォーマットデータブロック３０２０内に含まれるオーバーヘッドは、ゼロパディングまたはデータ複製を含んでもよい。
【０２２０】
トレーニングブロック３０１０は、対応する受信機（つまり、ＲＸ無線メディアアダプタ）によって、性能向上のために使用されるプリアンブルを含むことができる。例えば、トレーニングブロッック３０１０は、チャンネル推定、電力制御、タイミング同期、周波数オフセット推定、Ｉ／Ｑ不均衡、または自動利得制御のために、対応する受信機によって使用されるプリアンブルを含むことができる。
【０２２１】
本発明の別の局面において、ＴＸ無線メディアアダプタのＰＨＹロジックは、ＴＸ無線メディアアダプタが、対応する遠隔のＲＸ無線メディアアダプタと無線リンクを初めに確立する際に、拡張されたトレーニング系列の挿入を提供する。メディアコンテンツの転送の前に、拡張されたトレーニング系列を使用することによって、初期の高性能障害推定および電力レベル設定が提供される。このような拡張されたトレーニング間隔は、例えばＩＥＥＥ８０２．１１またはＩＥＥＥ８０２．１５．３ａなどの標準の搬送波検知多重アクセス／衝突回避（ＣＳＭＡ／ＣＡ）スキームにおいて使用可能ではない。
Ｒ．本発明の実施形態にかかる、ドングルベースの実装
図３１は、本発明の送信（または受信）無線メディアアダプタが、Ｓ−映像コンテンツの無線配信のためにドングルとして実施されるシステム３１００を示す。図３１に示されるように、ドングルはベースユニット３１０２、対応するアナログ映像コネクタ３１１４を有するアナログ映像ケーブル３１０６、対応するアナログ音声コネクタ３１２２を有するアナログ音声ケーブル３１０４、および電源ケーブル３１１０を備える。複合ケーブルインターフェース３１１６は、アナログ音声ケーブル３１０４およびアナログ映像ケーブル３１０６を、複合ケーブル３１０８に連結する。複合ケーブル３１０８は、アナログ音声ケーブル３１０４およびアナログ映像ケーブル３１０６を単一のケーブル内に収容するように構造化される。
【０２２２】
複合ケーブル３１０８および電源ケーブル３１１０は、ベースユニット３１０２に結合される。複合ケーブル３１０８および電源ケーブル３１１０は、ベースユニット３１０２に永久的に装着されるか、取り外し可能なプラグまたはジャックを介して接続されることができる。電源ケーブル３１１０は、ベースユニット３１０２に電力を供給する。電源ケーブル３１１０は、壁コンセントから電力を引き出すこと、あるいは、メディアソースまたはメディアシンク上の既存の接続から電力を引き出すことができる。例えば、電力ケーブル３１１０は、メディアソースまたはメディアシンクによって提供されるユニバーサルシリアルバス（ＵＳＢ）ポートから電力を引き出すように構造化されることができる。
【０２２３】
ベースユニット３１０２はメディアアダプタインターフェスを含み、アナログ音声およびアナログ映像信号を、それぞれの本来のフォーマットから複合伝送フォーマットに変換する（または、ＲＸ無線メディアアダプタの場合、アナログ音声およびアナログ映像信号を、複合伝送フォーマットからそれぞれの本来のフォーマットに戻して変換する）。ベースユニット３１０２は、再フォーマットされたアナログ音声およびアナログ映像信号を含む無線信号を処理および伝送するための無線送信機（または、ＲＸ無線メディアアダプタの場合、再フォーマットされたアナログ音声および音声映像信号を含む無線信号を受信および処理するための無線受信機）をさらに備える。ベースユニット３１０２は、ベースユニット３１０２と遠隔のベースユニットの間の無線リンクの状態を視覚的に示すＬＥＤ（図示せず）を備えてもよい。
【０２２４】
ベースユニット３１０２は、無線信号を伝送するために（または、ＲＸ無線メディアアダプタの場合、無線信号を受信するために）内部アンテナまたは外部アンテナを備えることができる。さらに、ベースユニット３１０２は、ベースユニット３１０２がメディアソース／シンク３１２０に装着されるようにする装着機構３１１８を備えることができる。
【０２２５】
実施形態において、アナログ映像ケーブル３１０６および対応するアナログ映像コネクタ３１１４は、Ｓ−映像接続インターフェース規格に基づいて構造化され、アナログ音声ケーブル３１０４および対応するアナログ音声コネクタ３１１４は、ＲＣＡラインレベルの接続インターフェース規格に基づいて構造化される。しかしながら、この説明は限定することを目的とせず、アナログ映像ケーブル３１０６および対応するアナログ映像コネクタ３１１４は、例えば、ＹＵＶ、ＲＧＢ、およびＣＶＢＳフォーマットなどのさまざまな接続インターフェース規格に基づいて構造化されることができる。同様に、アナログ音声ケーブル３１０４および対応するアナログ音声コネクタ３１１２は、例えば、ＸＬＲラインレベルのフォーマットなどのさまざまな接続インターフェース規格に基づいて構造化されることができる。
【０２２６】
装着装置３１１８は、ベースユニット３１０２をメディアソース／シンク３１２０に装着するための手段を提供する。実施形態において、ベースユニット３１０２は、メディアソース／シンク３１２０のプラスチック成形物の上に形成される既存のホルダーまたはソケットを使用して、メディアソース／シンク３１２０に取り付けられる。あるいは、ベースユニット３１０２は、メディアソース／シンク３１２０に装着するために、例えば、テープ、Ｖｅｌｃｒｏ（登録商標）、またはフックなどのその他の装着機構を備えてもよい。さらに、ベースユニット３１０２は、メディアソース／シンク３１２０に配置される対応するコネクタと「嵌合」するように設計される、ベースユニット３１０２上に組み込まれる金属またはプラスチックの形成を備えることができる。図３２は、本発明の送信（または受信）無線メディアアダプタが、ＤＶＩコンテンツの無線配信のためにドングルとして実施されるシステムを示す。図３２に示されるように、ドングルは、ベースユニット３２０２、対応するデジタル映像コネクタ３２１４を有するデジタル映像ケーブル３２０６、対応するアナログ音声コネクタ３２１２を有するアナログ音声ケーブル３２０４、および電源ケーブル３２１０を備える。複合ケーブルインターフェース３２１６は、アナログ音声ケーブル３２０４およびアナログ映像ケーブル３２０６を、複合ケーブル３２０８に連結する。複合ケーブル３２０８は、アナログ音声ケーブル３２０４およびアナログ映像ケーブル３２０６を単一のケーブル内に収容するように構造化される。
【０２２７】
複合ケーブル３２０８および電源ケーブル３２１０は、ベースユニット３２０２に結合される。複合ケーブル３２０８および電源ケーブル３２１０は、ベースユニット３２０２に永久的に装着されるか、取り外し可能なプラグまたはジャックを介して接続されることができる。電源ケーブル３２１０は、ベースユニット３２０２に電力を供給する。電源ケーブル３２１０は、壁コンセントから電力を引き出すか、あるいは、メディアソースまたはメディアシンク上の既存の接続から電力を引き出すことができる。例えば、電力ケーブル３２１０は、メディアソースまたはメディアシンクによって提供されるユニバーサルシリアルバス（ＵＳＢ）ポートから電力を引き出すように構造化されることができる。
【０２２８】
ベースユニット３２０２はメディアアダプタインターフェスを含み、アナログ音声およびデジタル映像信号を、それぞれの本来のフォーマットから複合伝送フォーマットに変換する（または、ＲＸ無線メディアアダプタの場合、アナログ音声およびデジタル映像信号を、複合伝送フォーマットからそれぞれの本来のフォーマットに戻して変換する）。ベースユニット３２０２は、再フォーマットされたアナログ音声およびデジタル映像信号を含む無線信号を処理および伝送するための無線送信機（または、ＲＸ無線メディアアダプタの場合、再フォーマットされたアナログ音声およびデジタル映像信号を含む無線信号を受信および処理するための無線受信機）をさらに備える。ベースユニット３２０２は、ベースユニット３２０２と遠隔のベースユニットの間の無線リンクの状態を視覚的に示すＬＥＤ（図示せず）を備えてもよい。
【０２２９】
ベースユニット３２０２は、無線信号を伝送するために（または、ＲＸ無線メディアアダプタの場合、無線信号を受信するために）内部アンテナまたは外部アンテナを備えることができる。さらに、ベースユニット３２０２は、ベースユニット３２０２がメディアソース／シンク３２２０に装着されるようにする装着機構３２１８を備えることができる。
【０２３０】
実施形態において、デジタル映像ケーブル３２０６および対応するデジタル映像コネクタ３２１４は、ＤＶＩ接続インターフェース規格に基づいて構造化され、アナログ音声ケーブル３２０４および対応するアナログ音声コネクタ３２１４は、ＲＣＡラインレベルの接続インターフェース規格、または、例えばＸＬＲラインレベルのフォーマットなどのさまざまなその他の接続インターフェース規格に基づいて構造化されることができる。
【０２３１】
装着装置３２１８は、ベースユニット３２０２をメディアソース／シンク３２２０に装着するための手段を提供する。実施形態において、ベースユニット３２０２は、メディアソース／シンク３２２０のプラスチックの成形物上に形成される既存のホルダーまたはソケットを使用して、メディアソース／シンク３２２０に取付けられる。あるいは、ベースユニット３２０２は、メディアソース／シンク３２２０に装着するために、例えば、テープ、Ｖｅｌｃｒｏ（登録商標）、またはフックなどのその他の装着機構を備えてもよい。さらに、ベースユニット３２０２は、メディアソース／シンク３２２０に配置される対応するコネクタと「嵌合」するように設計される、ベースユニット３２０２上に組み込まれる金属またはプラスチックの形成を備えることができる。
【０２３２】
図３３は、本発明の送信（または受信）無線メディアアダプタが、ＨＤＭＩコンテンツの無線配信のためにドングルとして実施されるシステムを示す。図３３に示されるように、ドングルは、ベースユニット３３０２、対応するデジタルコネクタ３３１４を有するデジタルケーブル３３０６、および電源ケーブル３３１０を備える。
【０２３３】
電源ケーブル３３１０は、ベースユニット３３０２に結合される。電源ケーブル３３１０は、ベースユニット３３０２に永久的に装着されるか、取り外し可能なプラグまたはジャックを介して接続されることができる。電源ケーブル３３１０は、ベースユニット３３０２に電力を供給する。電源ケーブル３３１０は、壁コンセントから電力を引き出すか、あるいは、メディアソースまたはメディアシンク上の既存の接続から電力を引き出すことができる。例えば、電力ケーブル３３１０は、メディアソースまたはメディアシンクによって提供されるユニバーサルシリアルバス（ＵＳＢ）ポートから電力を引き出すように構造化されることができる。
【０２３４】
ベースユニット３３０２はメディアアダプタインターフェスを含み、デジタル音声／映像信号を、本来のフォーマットから伝送フォーマットに変換する（または、ＲＸ無線メディアアダプタの場合、デジタル音声／映像信号を、伝送フォーマットから本来のフォーマットに戻して変換する）。ベースユニット３３０２は、再フォーマットされたデジタル音声／映像信号を含む無線信号を処理および伝送するための無線送信機（または、ＲＸ無線メディアアダプタの場合、再フォーマットされたデジタル音声／映像信号を含む無線信号を受信および処理するための無線受信機）をさらに備える。ベースユニット３３０２は、ベースユニット３３０２と遠隔のベースユニットの間の無線リンクの状態を視覚的に示すＬＥＤ（図示せず）を備えてもよい。
【０２３５】
ベースユニット３３０２は、無線信号を伝送するために（または、ＲＸ無線メディアアダプタの場合、無線信号を受信するために）内部アンテナまたは外部アンテナを備えることができる。さらに、ベースユニット３３０２は、ベースユニット３３０２がメディアソース／シンク３３２０に装着されるようにする装着機構３３１８を備えることができる。
【０２３６】
実施形態において、デジタルケーブル３３０６は、ＨＤＭＩ接続インターフェース規格に基づいて構造化される。
【０２３７】
装着装置３３１８は、ベースユニット３３０２をメディアソース／シンク３３２０に装着するための手段を提供する。実施形態において、ベースユニット３３０２は、メディアソース／シンク３３２０のプラスチックの成形物上に形成される既存のホルダーまたはソケットを使用して、メディアソース／シンク３３２０に取付けられる。あるいは、ベースユニット３３０２は、メディアソース／シンク３３２０に装着するために、例えば、テープ、Ｖｅｌｃｒｏ（登録商標）、またはフックなどのその他の装着機構を備えてもよい。さらに、ベースユニット３３０２は、メディアソース／シンク３３２０に配置される対応するコネクタと「嵌合」するように設計される、ベースユニット３３０２上に組み込まれる金属またはプラスチックの形成を備えることができる。
Ｓ．結論
「コネクテッドホーム」が現実になりつつある中、消費者は、より簡単で邪魔にならない設置、より柔軟な配置、およびより低い全設置費用を要望している。残念ながら、既存の解決法は、高価でかさばり、そして消費者が接続、ケーブル、および技術プロトコルについて知る必要がある。無線技術によりこれらの制約を克服することが約束されるが、既存で提案されている水準では、ＨＤＭＩケーブルの無線での代用などの帯域幅を必要とする用途に対応できない。
【０２３８】
例えば、家庭用の映像分配に必要な高いデータ転送速度および品質を達成するために、本発明の特定の実施形態は、ＨＤＭＩの独特の要件に合わせて無線の解決法を用意する。本発明の実施形態に係る無線ＨＤＭＩの解決法は、１．５Ｇｂｐｓで１０−９のＢＥＲを達成する一方で、送信機および受信機の間のレイテンシを最小限にする。この解決法は強固であり、多くの帯域内干渉の存在下でも高品質性能を提供する。
【０２３９】
本発明のさまざまな実施形態が上に説明されたが、それらは一例としてのみ提示され、限定されないことが理解されるべきである。添付の請求項に規定される本発明の精神と範囲から逸脱することなく、形式および詳細においてさまざまな変更が加えられてもよいことが当業者に理解されるだろう。したがって、本発明の幅および範囲は、上記の例示的実施形態のいかなるものにも限定されるべきではなく、以下の請求項およびその均等物に基づいてのみ規定されるべきである。
【図面の簡単な説明】
【０２４０】
【図１】図１は、本発明の実施形態に係る、コンテンツソースからコンテンツシンクへの無線配信のための汎用システムを示す。
【図２】図２は、本発明の実施形態に係る、コンテンツソースとコンテンツシンクの間のＨＤＭＩケーブルを代用するために、無線インターフェースが使用されるシステムを示す。
【図３】図３は、高価でかさばるＨＤＭＩケーブルを使用して、コンテンツソースとコンテンツシンクの間でＨＤＭＩ信号が伝送される、従来技術のシステムを示す。
【図４】図４は、コンテンツソースとコンテンツシンクの間のＨＤＭＩ信号の無線伝送を提供する、本発明の実施形態に係るシステムを示す。
【図５】図５は、ＤＶＩケーブルおよび複数の音声ケーブルをそれぞれ使用して、ＤＶＩ信号およびアナログ音声信号が、コンテンツソースとコンテンツシンクの間で伝送される従来技術のシステムを示す。
【図６】図６は、ＤＶＩおよびアナログ音声信号のコンテンツソースからコンテンツシンクまでの無線送信のために提供する、本発明の実施形態に係るシステムを示す。
【図７】図７は、非可逆圧縮された高精細度コンテンツがコンテンツソースからコンテンツシンクに無線で転送される従来技術のシステムを示す。
【図８】図８は、本発明の実施形態に係る、コンテンツソースからコンテンツシンクまで高精細度コンテンツを転送するための高性能の無線インターフェースと連合された、可逆圧縮を用いるシステムを示す。
【図９】図９は、本発明の実施形態に係る、圧縮を用いず、コンテンツソースからコンテンツシンクへ高精細度コンテンツを転送するための高性能の無線インターフェースを用いるシステムを示す。
【図１０】図１０は、標準のＨＤＭＩケーブル上をコンテンツソースからコンテンツシンクに送信されるデータに、ＨＤＣＰプロトコルが実行される従来のシステムを示す。
【図１１】図１１は、本発明の実施形態に係る、コンテンツソースとコンテンツシンクの間の無線リンク上でＨＤＣＰプロトコルを実行するシステムを示す。
【図１２】図１２は、ソース／シンクの二つの対の各々が、高精細度コンテンツの伝送のための第一の無線チャンネルと、ＭＡＣおよびマルチメディア信号のための第二の無線チャンネルを利用する本発明の実施形態を示す。
【図１３】図１３は、本発明の実施形態に係る、高精細度コンテンツをパスさせるための第一の無線チャンネルと、ＭＡＣおよびマルチメディア信号のための第二の無線チャンネルを利用するシステムをより詳細に示す。
【図１４】図１４は、本発明の実施形態に係る、コンテンツソースとコンテンツシンクの間の通信のために使用される第一および第二の無線チャンネルのための帯域幅割当をグラフで示す。
【図１５】図１５は、本発明の実施形態に係る、共有無線リソースに関わる複数のコンテンツソースと複数のコンテンツシンクを示す。
【図１６】図１６は、メディアソースとメディアシンクの間の高精細度コンテンツの転送を有線接続上で開始する従来のプロセスを示す。
【図１７Ａ】図１７Ａは、本発明の自動検出および自動接続のプロセスの第一の部分を示す。
【図１７Ｂ】図１７Ｂは、本発明の自動検出および自動接続のプロセスの第二の部分を示す。
【図１８】図１８は、本発明の実施形態に係る、その他のユーザーに同時に占拠されない一組の周波数上で、多数のユーザーによる周波数ホッピングに対応するシステムを示す。
【図１９】図１９は、送受信ダイバーシティが、コンテンツソースとコンテンツシンクの間のＲＦ通信のために使用される本発明の例示的実施形態を示す。
【図２０】図２０は、コンテンツソースとコンテンツシンクの間の無線ＨＤＭＩインターフェースにおける遷移時間最短差動信号伝送方式（ＴＭＤＳ）の復号化および符号化動作の実行を示す図である。
【図２１】図２１は、従来技術のシステムが、ケーブルを介して接続されたメディアソースとメディアシンクの間のＤＤＣおよびＣＥＣチャンネルを実装するプロセスを示す図である。
【図２２】図２２は、本発明の実施形態に係る、ＤＤＣチャンネルが、無線ＨＤＭＩインターフェースを介して接続されたコンテンツソースとコンテンツシンクの間で実装されるプロセスを示す図である。
【図２３】図２３は、本発明の実施形態に係る、ＣＥＣチャンネルが、無線ＨＤＭＩインターフェースを介して接続されたコンテンツソースとコンテンツシンクの間で実装されるプロセスを示す図である。
【図２４Ａ】図２４Ａは、本発明の実施形態に係る、クロック情報を無線で送信する送信（ＴＸ）無線メディアアダプタを示す。
【図２４Ｂ】図２４Ｂは、本発明の実施形態に係る、クロック情報を無線で受信する受信（ＲＸ）無線メディアアダプタを示す。
【図２５】図２５は、畳み込み符号に基づく順方向誤り訂正（ＦＥＣ）技術と、低密度パリティ検査（ＬＤＰＣ）符号に基づくＦＥＣ技術との間の性能差を示すグラフである。
【図２６】図２６は、従来技術の８０２．１５．３ａの超広帯域無線（ＵＷＢ）システムと、本発明の実施形態に係る通信ＨＤＭＩシステムについての干渉数の関数としてＢＥＲを比較するグラフである。
【図２７】図２７は、本発明の実施形態に係る、無線ＨＤＭＩ送信機のブロック図である。
【図２８】図２８は、発明の実施形態に係る、無線ＨＤＭＩ受信機のブロック図である。
【図２９】図２９は、従来のシステムに係る、ＨＤＭＩフレームの一部分内の映像周期、データアイランド周期、および制御周期を示す。
【図３０】図３０は、本発明に係る、再フォーマットしたＨＤＭＩフレームの一部分内のトレーニング系列の配置を示す。
【図３１】図３１は、本発明の送信（受信）無線メディアアダプタが、Ｓ−映像コンテンツの無線配信のためにドングルとして実装されるシステムを示す。
【図３２】図３２は、本発明の送信（受信）無線メディアアダプタが、ＤＶＩコンテンツの無線配信のためにドングルとして実装されるシステムを示す。
【図３３】図３３は、本発明の送信（受信）無線メディアアダプタが、ＨＤＭＩコンテンツの無線配信のためにドングルとして実装されるシステムを示す。
【図３４Ａ】図３４Ａは、本発明の局面に係る、汎用コンテンツソースと汎用コンテンツシンクの間の集積回路間（Ｉ２Ｃ）書き込みトランザクションの第一の部分を示す。
【図３４Ｂ】図３４Ｂは、本発明の局面に係る、汎用コンテンツソースと汎用コンテンツシンクの間のＩ２Ｃ書き込みトランザクションの第二の部分を示す。
【図１】
2008533913.tif 000006
【図２】
2008533913.tif 000007
【図３】
2008533913.tif 000008
【図４】
2008533913.tif 000009
【図５】
2008533913.tif 000010
【図６】
2008533913.tif 000011
【図７】
2008533913.tif 000012
【図８】
2008533913.tif 000013
【図９】
2008533913.tif 000014
【図１０】
2008533913.tif 000015
【図１１】
2008533913.tif 000016
【図１２】
2008533913.tif 000017
【図１３】
2008533913.tif 000018
【図１４】
2008533913.tif 000019
【図１５】
2008533913.tif 000020
【図１６】
2008533913.tif 000021
【図１７Ａ】
2008533913.tif 000022
【図１７Ｂ】
2008533913.tif 000023
【図１８】
2008533913.tif 000024
【図１９】
2008533913.tif 000025
【図２０】
2008533913.tif 000026
【図２１】
2008533913.tif 000027
【図２２】
2008533913.tif 000028
【図２３】
2008533913.tif 000029
【図２４Ａ】
2008533913.tif 000030
【図２４Ｂ】
2008533913.tif 000031
【図２５】
2008533913.tif 000032
【図２６】
2008533913.tif 000033
【図２７】
2008533913.tif 000034
【図２８】
2008533913.tif 000035
【図２９】
2008533913.tif 000036
【図３０】
2008533913.tif 000037
【図３１】
2008533913.tif 000038
【図３２】
2008533913.tif 000039
【図３３】
2008533913.tif 000040
【図３４Ａ】
2008533913.tif 000041
【図３４Ｂ】
2008533913.tif 000042
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
コンテンツソースからコンテンツシンクへメディアコンテンツを転送するためのシステムであって、該システムは、
第一の変換ロジックと送信機とを備えている第一の無線メディアアダプタであって、該第一の変換ロジックは、非圧縮映像データを表す出力信号であって、有線通信インターフェース上の伝送のために符号化された出力信号を該コンテンツソースから受信し、該出力信号を無線通信に適したフォーマットに変換し、該送信機は、３．１ギガヘルツ（ＧＨｚ）〜１０．６ＧＨｚの周波数範囲にある第一の超広帯域（ＵＷＢ）無線周波数（ＲＦ）チャンネル上で該変換された出力信号を無線で送信する、第一の無線メディアアダプタと、
受信機と第二の変換ロジックとを備えている第二の無線メディアアダプタであって、該受信機は、該無線で送信された信号を無線で受信し、該第二の変換ロジックは、該無線で受信された信号を、該非圧縮映像データを表す入力信号であって、該有線通信インターフェース上の伝送のために符号化された入力信号に変換し、該入力信号を該コンテンツシンクに送信する、第二の無線メディアアダプタと
を備えている、システム。
【請求項２】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、または
ＹＵＶ映像インターフェース
のうちの一つを含む、請求項１に記載のシステム。
【請求項３】
前記第一の無線メディアアダプタは、第一の送受信機をさらに備え、前記第二の無線メディアアダプタは、第二の送受信機をさらに備え、
前記送信機および前記受信機は、前記コンテンツソースから前記コンテンツシンクへメディアコンテンツを配信するために、前記第一のＵＷＢ  ＲＦチャンネル上で通信し、
該第一の送受信機および該第二の送受信機は、メディアアクセス制御（ＭＡＣ）情報を交換するため、および／またはマルチメディアシグナリングを実行するために、第二のＲＦチャンネル上で通信する、請求項１に記載のシステム。
【請求項４】
前記第一の送受信機および前記第二の送受信機は、高帯域幅デジタルコンテンツ保護（ＨＤＣＰ）パラメータを、前記第二のＲＦチャンネル上で通信する、請求項３に記載のシステム。
【請求項５】
前記第一の送受信機および前記第二の送受信機は、ディスプレイデータチャンネル（ＤＤＣ）情報を、前記第二のＲＦチャンネル上で通信する、請求項３に記載のシステム。
【請求項６】
前記第一の送受信機および前記第二の送受信機は、コンシューマーエレクトロニクスコントロール（ＣＥＣ）チャンネル情報を、前記第二のＲＦチャンネル上で通信する、請求項３に記載のシステム。
【請求項７】
前記第一の送受信機および前記第二の送受信機は、受信される信号品質に関連する情報を通信する、請求項３に記載のシステム。
【請求項８】
前記第一の無線メディアアダプタは、受信される信号品質に関連する前記情報に基づいて前記送信機の動作パラメータを調整する、請求項７に記載のシステム。
【請求項９】
前記第一の変換ロジックは、前記出力信号の低密度パリティ検査（ＬＤＰＣ）符号化を実行し、前記第二の変換ロジックは、前記無線で受信された信号のＬＤＰＣ復号化を実行する、請求項１に記載のシステム。
【請求項１０】
前記第一の変換ロジックは、前記出力信号の遷移時間最短差動信号伝送方式（ＴＭＤＳ）復号化を実行し、前記第二の変換ロジックは、前記無線で受信された信号のＴＭＤＳの符号化を実行する、請求項１に記載のシステム。
【請求項１１】
前記第一の変換ロジックは、前記出力信号の集積回路間（Ｉ２Ｃ）復号化を実行し、前記第二の変換ロジックは、前記無線で受信された信号のＩ２Ｃの符号化を実行する、請求項１に記載のシステム。
【請求項１２】
前記第一の変換ロジックは、前記出力信号のコンシューマーエレクトロニクスコントロール（ＣＥＣ）復号化を実行し、前記第二の変換ロジックは、前記無線で受信された信号のＣＥＣの符号化を実行する、請求項１に記載のシステム。
【請求項１３】
前記第一の変換ロジックは、前記コンテンツソースに関連する第一の基準クロックおよびピクセルクロックに基づいて制御情報を生成し、前記送信機は該制御情報を無線で伝送し、前記受信機は、該制御情報を無線で受信し、前記第二の変換ロジックは、該無線で受信された制御情報および第二の基準クロックに基づいて該ピクセルクロックを再生成する、請求項１に記載のシステム
【請求項１４】
コンテンツソースからコンテンツシンクへメディアコンテンツを転送する方法であって、該方法は、
非圧縮映像データを表す出力信号であって、有線通信インターフェース上の伝送のために符号化された出力信号を、該コンテンツソースから受信することと、
該出力信号を、無線通信に適したフォーマットに変換することと、
３．１ギガヘルツ（ＧＨｚ）〜１０．６ＧＨｚの周波数範囲にある第一の超広帯域（ＵＷＢ）無線周波数（ＲＦ）チャンネル上で、該変換された出力信号を無線で送信および受信することと、
該無線で受信された信号を、該非圧縮映像データを表す入力信号であって、該有線通信インターフェース上の伝送のために符号化された入力信号に変換することと、
該入力信号を該コンテンツシンクに伝送することと
を含む、方法。
【請求項１５】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、または
ＹＵＶ映像インターフェース
のうちの一つを含む、請求項１４に記載の方法。
【請求項１６】
前記変換された出力信号を無線で送信および受信することは、前記コンテンツソースから前記コンテンツシンクへメディアコンテンツを配信するために、前記変換された出力信号を前記第一のＵＷＢ  ＲＦチャンネル上で、無線で送信および受信することを含み、
前記方法は、
メディアアクセス制御（ＭＡＣ）情報を交換するため、および／またはマルチメディアシグナリングを実行するために、第二のＲＦチャンネル上で信号を無線で送信および受信することをさらに含む、請求項１４に記載の方法。
【請求項１７】
前記第二のＲＦチャンネル上で信号を無線で送信および受信することは、高帯域幅デジタルコンテンツ保護（ＨＤＣＰ）パラメータを、該第二のＲＦチャンネル上で通信することを含む、請求項１６に記載の方法。
【請求項１８】
前記第二のＲＦチャンネル上で信号を無線で送信および受信することは、ディスプレイデータチャンネル（ＤＤＣ）情報を、該第二のＲＦチャンネル上で通信することを含む、請求項１６に記載の方法。
【請求項１９】
前記第二のＲＦチャンネル上で信号を無線で送信および受信することは、コンシューマーエレクトロニクスコントロール（ＣＥＣ）チャンネル情報を、該第二のＲＦチャンネル上で通信することを含む、請求項１６に記載の方法。
【請求項２０】
前記第二のＲＦチャンネル上で信号を無線で送信および受信することは、受信される信号品質に関する情報を通信することを含む、請求項１６に記載の方法。
【請求項２１】
受信される信号品質に関する前記情報に基づいて、前記変換された出力信号の無線伝送に関する動作パラメータを調整することをさらに含む、請求項２０に記載の方法。
【請求項２２】
前記出力信号を、無線通信に適したフォーマットに変換することは、前記出力信号の低密度パリティ検査（ＬＤＰＣ）符号化を実行することを含み、前記無線で受信された信号を、前記有線通信インターフェース上の伝送のために符号化された入力信号に変換することは、前記無線で受信された信号のＬＤＰＣ復号化を実行することを含む、請求項１４に記載の方法。
【請求項２３】
前記出力信号を、無線通信に適したフォーマットに変換することは、前記出力信号の遷移時間最短差動信号伝送方式（ＴＭＤＳ）復号化を実行することを含み、前記無線で受信された信号を、前記有線通信インターフェース上の伝送のために符号化された入力信号に変換することは、前記無線で受信された信号のＴＭＤＳ符号化を実行することを含む、請求項１４に記載の方法。
【請求項２４】
前記出力信号を、無線通信に適したフォーマットに変換することは、前記出力信号の集積回路間（Ｉ２Ｃ）復号化を実行することを含み、前記無線で受信された信号を、前記有線通信インターフェース上の伝送のために符号化された入力信号に変換することは、前記無線で受信された信号のＩ２Ｃ符号化を実行することを含む、請求項１４に記載の方法。
【請求項２５】
前記出力信号を、無線通信に適したフォーマットに変換することは、前記出力信号のコンシューマーエレクトロニクスコントロール（ＣＥＣ）復号化を実行することを含み、前記無線で受信された信号を、前記有線通信インターフェース上の伝送のために符号化された入力信号に変換することは、前記無線で受信された信号のＣＥＣ符号化を実行することを含む、請求項１４に記載の方法。
【請求項２６】
前記コンテンツソースに関連する第一の基準クロックとピクセルクロックに基づいて、制御情報を生成することと、
該制御情報を無線で送信および受信することと、
該無線で受信された制御情報および第二の基準クロックに基づいて、該ピクセルクロックを再生成することと
をさらに含む、請求項１４に記載の方法。
【請求項２７】
（ａ）コンテンツソースであって、該コンテンツソースは、
（ｉ）非圧縮映像データを表す出力信号であって、有線通信インターフェース上の伝送のためにフォーマットされた出力信号を生成するオーディオ／ビジュアル（Ａ／Ｖ）ソースと、
（ｉｉ）該出力信号を受信し、該出力信号を無線通信に適したフォーマットに変換し、３．１ギガヘルツ（ＧＨｚ）〜１０．６ＧＨｚの周波数範囲にある第一の超広帯域（ＵＷＢ）無線周波数（ＲＦ）チャンネル上で、該変換された出力信号を無線で送信する第一の無線メディアアダプタと
を備えているコンテンツソースと、
（ｂ）コンテンツシンクであって、該コンテンツシンクは、
（ｉ）該無線で送信された信号を無線で受信し、該無線で受信された信号を、該非圧縮映像データを表す入力信号であって、該有線通信インターフェース上の伝送のためにフォーマットされた入力信号に変換する第二の無線メディアアダプタと、
（ｉｉ）該入力信号を受信し、該入力信号に応答してユーザーに対するＡ／Ｖ提示を生成するＡ／Ｖ提示システムと
を備えているコンテンツシンクと
を備えている、システム。
【請求項２８】
前記有線通信インターフェースは、
高精細度メディアインターフェース（ＨＤＭＩ）、
デジタル映像インターフェース（ＤＶＩ）、
コンポジット映像（ＣＶＳＢ）インターフェース、
Ｓ−映像インターフェース、
ＲＧＢ映像インターフェース、または
ＹＵＶ映像インターフェース
のうちの一つを含む、請求項２７に記載のシステム。
【請求項２９】
前記第一の無線メディアアダプタは、第三の変換ロジックをさらに備え、該第三の変換ロジックは、有線オーディオ通信インターフェース上の伝送のために符号化されたオーディオ出力信号を前記コンテンツソースから受信し、該オーディオ出力信号を、無線通信に適したフォーマットに変換し、前記送信機は、前記第一のＵＷＢ  ＲＦチャンネル上で該変換されたオーディオ出力信号を無線で送信し、
前記第二の無線メディアアダプタは、第四の変換ロジックをさらに備え、前記受信機は、該変換されて無線で送信されたオーディオ出力信号を無線で受信し、該第四の変換ロジックは、該変換されて無線で受信されたオーディオ出力信号を、該有線オーディオ通信インターフェース上の伝送のために符号化されたオーディオ入力信号に変換し、該オーディオ入力信号を前記コンテンツシンクに送信する、請求項１に記載のシステム。
【請求項３０】
前記有線オーディオ通信インターフェースは、
ＲＣＡオーディオインターフェース、
ＸＬＲオーディオインターフェース、
５．１サラウンドサウンドオーディオインターフェース、
６．１サラウンドサウンドオーディオインターフェース、
７．１サラウンドサウンドオーディオインターフェース、または
１０．１サラウンドサウンドオーディオインターフェース
のうちの一つを含む、請求項２９に記載のシステム。
【請求項３１】
有線オーディオ通信インターフェース上の伝送のために符号化されたオーディオ出力信号を前記コンテンツソースから受信することと、
該オーディオ出力信号を、無線通信に適したフォーマットに変換することと、
前記第一のＵＷＢ  ＲＦチャンネル上で該変換されたオーディオ出力信号を無線で送信および受信することと、
該変換されて無線で受信されたオーディオ出力信号を、該有線オーディオ通信インターフェース上の伝送のために符号化されたオーディオ入力信号に変換することと、
該オーディオ入力信号を前記コンテンツシンクに送信することと
をさらに包含する、請求項１４に記載の方法。
【請求項３２】
前記有線オーディオ通信インターフェースは、
ＲＣＡオーディオインターフェース、
ＸＬＲオーディオインターフェース、
５．１サラウンドサウンドオーディオインターフェース、
６．１サラウンドサウンドオーディオインターフェース、
７．１サラウンドサウンドオーディオインターフェース、または
１０．１サラウンドサウンドオーディオインターフェース
のうちの一つを含む、請求項３１に記載の方法。
【請求項３３】
前記Ａ／Ｖソースは、有線オーディオ通信インターフェース上の伝送のためにフォーマットされたオーディオ出力信号を生成し、
前記第一の無線メディアアダプタは、該オーディオ出力信号を受信し、該オーディオ出力信号を、無線通信に適したフォーマットに変換し、前記第一のＵＷＢ  ＲＦチャンネル上で該変換されたオーディオ出力信号を無線で送信し、
前記第二の無線メディアアダプタは、該変換されて無線で送信されたオーディオ出力信号を無線で受信し、該変換されて無線で受信されたオーディオ出力信号を、該有線オーディオ通信インターフェース上の伝送のためにフォーマットされたオーディオ入力信号に変換し、
前記Ａ／Ｖ提示システムは、該オーディオ入力信号を受信し、該オーディオ入力信号に応答してユーザーに対してＡ／Ｖ提示を生成する、請求項２７に記載のシステム。
【請求項３４】
前記有線オーディオ通信インターフェースは、
ＲＣＡオーディオインターフェース、
ＸＬＲオーディオインターフェース、
５．１サラウンドサウンドオーディオインターフェース、
６．１サラウンドサウンドオーディオインターフェース、
７．１サラウンドサウンドオーディオインターフェース、または
１０．１サラウンドサウンドオーディオインターフェース
のうちの一つを含む、請求項３３に記載のシステム。
【国際調査報告】
2008533913.tif 000043